(57)【要約】      （修正有）【課題】アンライセンススペクトル上でのＬＴＥのためのｅＩＭＴＡ手順の使用を可能にするワイヤレス通信のための方法、装置およびコンピュータ可読媒体を提供する。【解決手段】アンライセンススペクトルにおけるＬＴＥへのＴＤＤおよびｅＩＭＴＡの適用における、この周波数範囲内で動作するＲＡＴからの干渉と、ＲＡＴの挙動とを補償するため、アンライセンススペクトルにおけるキャリア上で通信するための構成情報をＵＥに伝える。構成情報は、アンライセンスキャリア上の少なくとも１つのフレームについてのサブフレーム割振りを示す。【選択図】図７
2020039136.tif 000002
【特許請求の範囲】
【請求項１】
ユーザ機器（ＵＥ）におけるワイヤレス通信の方法であって、
基地局から第１の構成情報を受信しようと試みることと、ここで、前記第１の構成情報は、前記基地局の特定のキャリア上の少なくとも１つのフレームについての第１のサブフレーム割振りを指示する、
前記第１の構成情報を受信しようとする前記試みが成功したときに、前記第１のサブフレーム割振りに従って、前記特定のキャリア上の前記少なくとも１つのフレーム中に前記基地局からダウンリンクサブフレームを受信することと、ここで、前記ダウンリンクサブフレームは、データ送信の最初のサブフレームであり、前記第１のサブフレーム割振りの開始に後続する、
を備える方法。
【請求項２】
前記第１の構成情報は、前記基地局のプライマリコンポーネントキャリア（ＰＣＣ）上の第１のフレーム中で受信され、前記特定のキャリアは前記基地局のセカンダリコンポーネントキャリア（ＳＣＣ）であり、前記ＰＣＣはライセンススペクトル中にあり、前記ＳＣＣはアンライセンススペクトル中にあり、前記方法は、
前記ＳＣＣ上での前記基地局からの前記データ送信の開始を検出しようと試みること、ここにおいて、前記基地局から前記ダウンリンクサブフレームを前記受信することは、データ送信の前記開始を検出しようとする前記試みが成功したときに実施される、
をさらに備える、請求項１に記載の方法。
【請求項３】
前記第１のサブフレーム割振りは、前記少なくとも１つのフレーム中での、１つまたは複数のアップリンクサブフレーム、１つまたは複数のダウンリンクサブフレーム、および１つまたは複数の特殊サブフレームの割振りを指示する、請求項２に記載の方法。
【請求項４】
前記少なくとも１つのフレームは、前記ＳＣＣ上の前記第１のフレームを含み、前記第１の構成情報は、前記第１のフレームの最初のサブフレーム中に前記ＰＣＣ上で受信される、請求項２に記載の方法。
【請求項５】
前記アンライセンススペクトルを保持するために、前記ＳＣＣ上の前記第１のフレームの最終サブフレームにおいて、前記基地局にデータを送信するか、または前記基地局からデータを受信することと、
前記ＰＣＣ上の第２のフレームの最初のサブフレームにおいて前記基地局から前記ＳＣＣについての第２の構成情報を受信することと、ここにおいて、前記第２のフレームは前記第１のフレームに後続かつ連続し、前記第２の構成情報は、前記ＳＣＣ上の前記第２のフレームについての第２のサブフレーム割振りを指示する、
前記基地局から第２のダウンリンクサブフレームを受信することと、ここで、前記第２のダウンリンクサブフレームは前記第２のサブフレーム割振りの開始に後続する、
をさらに備える、請求項４に記載の方法。
【請求項６】
前記第１の構成情報は、１つのフレーム中での前記第１のサブフレーム割振りを指示し、前記１つのフレームの前記第１のサブフレーム割振りは、前記少なくとも１つのフレームの各フレームに適用される、請求項２に記載の方法。
【請求項７】
前記第１の構成情報は、前記１つのフレームの最後における複数の連続するアップリンクサブフレームを指示し、前記方法は、データ送信の前記開始を検出しようとする前記試みが成功しなかったときに、デフォルト構成に従って、前記複数の連続するアップリンクサブフレームのうちの最初のサブフレームに対応する前記第１のフレームのサブフレームにおいて、前記基地局と通信することをさらに備える、請求項６に記載の方法。
【請求項８】
前記特定のキャリアはアンライセンススペクトル中にあり、前記第１の構成情報を受信しようと前記試みることは、前記特定のキャリア上で実施され、前記方法は、
第１のフレーム中の前記特定のキャリア上での、前記基地局からの前記データ送信の開始を検出することをさらに備える、
請求項１に記載の方法。
【請求項９】
前記少なくとも１つのフレームは、前記第１のフレームに後続かつ連続する第２のフレームを含む、請求項８に記載の方法。
【請求項１０】
前記第２のフレーム中の最初のダウンリンクサブフレームにおいて第２の構成情報を受信することと、ここにおいて、前記第２の構成情報は、前記特定のキャリア上の前記第２のフレームについての第２のサブフレーム割振りを指示する、
前記特定のキャリア上で前記第１の構成情報を受信しようとする前記試みが成功しなかったときに、前記第２のサブフレーム割振りに従って、前記基地局から、前記特定のキャリア上の前記第２のフレーム中で第２のダウンリンクサブフレームを受信することと、  をさらに備える、請求項９に記載の方法。
【請求項１１】
前記少なくとも１つのフレームは前記第１のフレームを含み、前記第１の構成情報は、前記第１のフレームの最初のダウンリンクサブフレームにおいて受信される、請求項８に記載の方法。
【請求項１２】
前記少なくとも１つのフレームは、前記第１のフレームに続くＭ個のフレームを含み、Ｍは１よりも大きい整数である、請求項８に記載の方法。
【請求項１３】
前記Ｍ個のフレームのうちの最初のフレーム中の最初のダウンリンクサブフレームにおいて第２の構成情報を受信することと、ここにおいて、前記第２の構成情報は、前記特定のキャリア上の１つのフレーム中での第２のサブフレーム割振りを指示する、
前記特定のキャリア上で前記第１の構成情報を受信しようとする前記試みが成功しなかったときに、前記第２のサブフレーム割振りに従って、前記Ｍ個のフレームの各々においてダウンリンクサブフレームを前記基地局から受信することと、
をさらに備える、請求項１２に記載の方法。
【請求項１４】
前記少なくとも１つのフレームに関連付けられたアップリンク許可を受信することと、前記アップリンク許可と前記第１のサブフレーム割振りとの間に衝突が存在すると決定することと、前記アップリンク許可に従って、前記少なくとも１つのフレーム中に前記基地局と通信することとをさらに備える、請求項８に記載の方法。
【請求項１５】
基地局におけるワイヤレス通信の方法であって、
ユーザ機器（ＵＥ）に第１の構成情報を送信しようと試みることと、ここで、前記第１の構成情報は、特定のキャリア上の少なくとも１つのフレームについての第１のサブフレーム割振りを指示する、
前記第１の構成情報を送信しようとする前記試みが成功したときに、前記第１のサブフレーム割振りに従って、前記特定のキャリア上の前記少なくとも１つのフレーム中に前記ＵＥにダウンリンクサブフレームを送信することと、ここで、前記ダウンリンクサブフレームは、データ送信の最初のサブフレームであり、前記第１のサブフレーム割振りの開始に後続する、
を備える、方法。
【請求項１６】
前記特定のキャリアは前記基地局のセカンダリコンポーネントキャリア（ＳＣＣ）であり、前記第１の構成情報は、前記基地局のプライマリコンポーネントキャリア（ＰＣＣ）上の第１のフレーム中で前記ＵＥに送信され、前記ＰＣＣはライセンススペクトル中にあり、前記ＳＣＣはアンライセンススペクトル中にあり、前記方法は、
前記ＳＣＣ上での前記第１のサブフレーム割振りに従って、前記ＵＥにデータ送信の開始を示すインジケータを送信しようと試みること、ここにおいて、前記ダウンリンクサブフレームを前記ＵＥに前記送信することは、前記インジケータを送信しようとする前記試みが成功したときに実施される、
をさらに備える、請求項１５に記載の方法。
【請求項１７】
前記第１のサブフレーム割振りは、前記少なくとも１つのフレーム中での、１つまたは複数のアップリンクサブフレーム、１つまたは複数のダウンリンクサブフレーム、および１つまたは複数の特殊サブフレームの割振りを指示する、請求項１６に記載の方法。
【請求項１８】
前記少なくとも１つのフレームは前記ＳＣＣ上の前記第１のフレームを含み、前記第１の構成情報は、前記第１のフレームの最初のサブフレーム中に前記ＰＣＣ上で送信される、請求項１６に記載の方法。
【請求項１９】
前記アンライセンススペクトルを保持するために、前記ＳＣＣ上の前記第１のフレームの最終サブフレームにおいて、前記ＵＥからデータを受信するか、または前記ＵＥにデータを送信することと、
前記ＰＣＣ上の第２のフレームの最初のサブフレームにおいて前記ＵＥに前記ＳＣＣについての第２の構成情報を送信することと、ここにおいて、前記第２のフレームは前記第１のフレームに後続かつ連続し、前記第２の構成情報は、前記ＳＣＣ上の前記第２のフレームについての第２のサブフレーム割振りを指示する、
前記ＵＥに第２のダウンリンクサブフレームを送信することと、ここで、前記第２のダウンリンクサブフレームは前記第２のサブフレーム割振りの開始に後続する、
をさらに備える、請求項１８に記載の方法。
【請求項２０】
前記第１の構成情報は、１つのフレーム中でのサブフレームの前記第１の割振りを指示し、前記１つのフレームの前記第１の割振りは、前記少なくとも１つのフレームの各フレームに適用される、請求項１６に記載の方法。
【請求項２１】
前記第１の構成情報は、前記１つのフレームの最後における複数の連続するアップリンクサブフレームを指示し、前記方法は、前記インジケータを送信しようとする前記試みが成功しなかったときに、デフォルト構成に従って、前記複数の連続するアップリンクサブフレームのうちの最初のサブフレームに対応する前記第１のフレームのサブフレームにおいて前記ＵＥと通信することをさらに備える、請求項２０に記載の方法。
【請求項２２】
第１のフレーム中の前記特定のキャリア上で、ユーザ機器（ＵＥ）にデータ送信の開始を指示するインジケータを送信すること、ここにおいて、前記特定のキャリアはアンライセンススペクトル中にある、
をさらに備える、請求項１５に記載の方法。
【請求項２３】
前記少なくとも１つのフレームは、前記第１のフレームに後続かつ連続する第２のフレームを含む、請求項２２に記載の方法。
【請求項２４】
前記第２のフレーム中の最初のダウンリンクサブフレーム中で第２の構成情報を送信することと、ここにおいて、前記第２の構成情報は、前記特定のキャリア上の前記第２のフレームについての第２のサブフレーム割振りを指示する、
前記特定のキャリア上で前記第１の構成情報を送信しようとする前記試みが成功しなかったときに、前記第２のサブフレーム割振りに従って、前記ＵＥに、前記特定のキャリア上の前記第２のフレーム中の第２のダウンリンクサブフレームを送信することと、
をさらに備える、請求項２３に記載の方法。
【請求項２５】
前記少なくとも１つのフレームは前記第１のフレームを含み、前記第１の構成情報は、前記第１のフレームの最初のダウンリンクサブフレーム中に送信される、請求項２２に記載の方法。
【請求項２６】
前記少なくとも１つのフレームは、前記第１のフレームに続くＭ個のフレームを含み、Ｍは１よりも大きい整数である、請求項２２に記載の方法。
【請求項２７】
前記Ｍ個のフレームのうちの最初のフレーム中の最初のダウンリンクサブフレームにおいて第２の構成情報を送信することと、ここにおいて、前記第２の構成情報は、前記特定のキャリア上の１つのフレーム中での第２のサブフレーム割振りを指示する、
前記特定のキャリア上で前記第１の構成情報を送信しようとする前記試みが成功しなかったときに、前記第２のサブフレーム割振りに従って、前記Ｍ個のフレームの各々においてダウンリンクサブフレームを前記ＵＥに送信することと、
をさらに備える、請求項２６に記載の方法。
【請求項２８】
前記少なくとも１つのフレームに関連付けられたアップリンク許可を送信することと、ここにおいて、前記アップリンク許可と前記第１のサブフレーム割振りとの間で衝突は存在する、前記アップリンク許可に従って、前記少なくとも１つのフレームにおいて前記ＵＥと通信することとをさらに備える、請求項２２に記載の方法。
【請求項２９】
ワイヤレス通信のための装置であって、前記装置がユーザ機器（ＵＥ）であり、
メモリと、
前記メモリに結合された少なくとも１つのプロセッサとを備え、前記少なくとも１つのプロセッサが、
基地局から第１の構成情報を受信しようと試みることと、ここで、前記第１の構成情報は、前記基地局の特定のキャリア上の少なくとも１つのフレームについての第１のサブフレーム割振りを指示する、
前記第１の構成情報を受信しようとする前記試みが成功したときに、前記第１のサブフレーム割振りに従って、前記特定のキャリア上の前記少なくとも１つのフレーム中に前記基地局からダウンリンクサブフレームを受信することと、ここで、前記ダウンリンクサブフレームは、データ送信の最初のサブフレームであり、前記第１のサブフレーム割振りの開始に後続する、
を行うように構成される、装置。
【請求項３０】
ワイヤレス通信のための装置であって、前記装置が基地局であり、
メモリと、
前記メモリに結合された少なくとも１つのプロセッサとを備え、前記少なくとも１つのプロセッサは、
ユーザ機器（ＵＥ）に第１の構成情報を送信しようと試みることと、ここで、前記第１の構成情報は、特定のキャリア上の少なくとも１つのフレームについての第１のサブフレーム割振りを指示する、
前記第１の構成情報を送信しようとする前記試みが成功したときに、前記第１のサブフレーム割振りに従って、前記特定のキャリア上の前記少なくとも１つのフレーム中に前記ＵＥにダウンリンクサブフレームを送信することと、ここで、前記ダウンリンクサブフレームは、データ送信の最初のサブフレームであり、前記第１のサブフレーム割振りの開始に後続する、
を行うように構成される、装置。
【発明の詳細な説明】
【技術分野】
【０００１】
関連出願の相互参照
[0001]本出願は、その全体が参照により本明細書に明確に組み込まれる、２０１５年１月２９日に出願された「EIMTA CONFIGURATION FOR LTE IN UNLICENSED SPECTRUM」と題する米国仮出願第６２／１０９，５９９号、および２０１６年１月２２日に出願された「EIMTA CONFIGURATION FOR LTE IN UNLICENSED SPECTRUM」と題する米国特許出願第１５／００４，６２８号の利益を主張する。
【０００２】
[0002]本開示は、一般に、通信システムに関し、より詳細には、アンライセンススペクトルにおいて、拡張型干渉軽減およびトラフィック適応（ｅＩＭＴＡ：enhanced interference mitigation and traffic adaptation）構成をＬＴＥ（登録商標）に適用する技法に関する。
【背景技術】
【０００３】
[0003]ワイヤレス通信システムは、電話、ビデオ、データ、メッセージング、およびブロードキャストなどの様々な電気通信サービスを提供するために広く展開されている。通常のワイヤレス通信システムは、利用可能なシステムリソース（たとえば、帯域幅、送信電力）を共有することによって複数のユーザとの通信をサポートすることが可能な多元接続技術を利用することができる。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムが含まれる。
【０００４】
[0004]これらの多元接続技術は、様々なワイヤレスデバイスが都市、国家、地域、さらには地球レベルで通信することを可能にする共通プロトコルを提供するために、様々な電気通信規格において採用されている。例示的な電気通信規格はロングタームエボリューション（ＬＴＥ）である。ＬＴＥは、第３世代パートナーシッププロジェクト（３ＧＰＰ（登録商標））によって公表されたユニバーサルモバイルテレコミュニケーションズシステム（ＵＭＴＳ）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【０００５】
[0005]ＬＴＥでは、ｅＩＭＴＡ無線ネットワーク一時識別子（ＲＮＴＩ）でスクランブルされた物理ダウンリンク制御チャネル（ＰＤＣＣＨ）が、いくつかのｅＩＭＴＡ構成（たとえば、ＤＬ／ＵＬ構成）を搬送し得る。さらに、これらのｅＩＭＴＡ構成は、マルチキャリア構成の一部としてスケジュールされた異なるキャリアに対応し得る。アンライセンススペクトル上でのＬＴＥのためのｅＩＭＴＡ手順の使用を可能にする技法が必要とされている。
【発明の概要】
【０００６】
[0006]アンライセンススペクトルにおけるＬＴＥへの時分割複信（ＴＤＤ）およびｅＩＭＴＡの適用では、この周波数範囲内で動作する無線アクセス技術（ＲＡＴ）からの干渉と、ＲＡＴの挙動とを補償するために、様々な改変が必要とされる場合がある。アンライセンススペクトルにおける動作を促進するための修正ＴＤＤ構成とＵＥ挙動とを含む、様々なＵＥおよび基地局方法が提示される。アンライセンススペクトルにおけるキャリア上で通信するための構成情報がＵＥに伝えられる、ワイヤレス通信のための方法、装置、およびコンピュータ可読媒体が提供される。構成情報（configuration information）は、アンライセンスキャリア上の少なくとも１つのフレームについてのサブフレーム割振りを示す。他の態様は、送信の検出、新規および修正ｅＩＭＴＡ構成送信の通信、ならびに未受信構成情報に対処するための機構を対象とする。
【０００７】
[0007]本開示のある態様では、方法、コンピュータ可読媒体、および装置が提供される。装置は、ＵＥであり得る。ＵＥは、基地局から、プライマリコンポーネントキャリア（ＰＣＣ）上の第１のフレーム中で、セカンダリコンポーネントキャリア（ＳＣＣ）についての第１の構成情報を受信する。ＰＣＣは、ライセンススペクトル中にある。ＳＣＣは、アンライセンススペクトル中にある。第１の構成情報は、ＳＣＣ上の少なくとも１つのフレームについての第１のサブフレーム割振りを示す。ＵＥは、ＳＣＣ上での基地局からのデータ送信の開始を検出しようと試みる。ＵＥは、データ送信の開始を検出しようとする試みが成功したときに、第１のサブフレーム割振りに従って、ＳＣＣ上の少なくとも１つのフレーム中に、基地局からダウンリンクサブフレームを受信する。ダウンリンクサブフレームは、データ送信の最初（initial）のサブフレームであり、第１のサブフレーム割振りの開始に後続する。さらに、ＵＥは、基地局から、ＰＣＣ上の第１のフレーム中で、ＳＣＣについての第１の構成情報を受信するための手段を含む。ＰＣＣは、ライセンススペクトル中にある。ＳＣＣは、アンライセンススペクトル中にある。第１の構成情報は、ＳＣＣ上の少なくとも１つのフレームについての第１のサブフレーム割振りを示す。ＵＥは、ＳＣＣ上での基地局からのデータ送信の開始を検出しようと試みるための手段も含む。ＵＥは、データ送信の開始を検出しようとする試みが成功したときに、第１のサブフレーム割振りに従って、ＳＣＣ上の少なくとも１つのフレーム中に、基地局からダウンリンクサブフレームを受信するための手段をさらに含む。ダウンリンクサブフレームは、データ送信の最初のサブフレームであり、第１のサブフレーム割振りの開始に後続する。
【０００８】
[0008]本開示の別の態様では、方法、コンピュータ可読媒体、および装置が提供される。装置は、ＵＥであり得る。ＵＥは、第１のフレーム中の、キャリア上での基地局からのデータ送信の開始を検出する。キャリアは、アンライセンススペクトル中にある。ＵＥは基地局から、キャリアについての第１の構成情報を受信しようと試みる。第１の構成情報は、キャリア上の少なくとも１つのフレームについての第１のサブフレーム割振りを示す。ＵＥは、キャリアについての第１の構成情報を受信しようとする試みが成功したときに、第１のサブフレーム割振りに従って、キャリア上の少なくとも１つのフレーム中に、基地局からダウンリンクサブフレームを受信する。ダウンリンクサブフレームは、データ送信の最初のサブフレームであり、第１のサブフレーム割振りの開始に後続する。さらに、ＵＥは、第１のフレーム中の、キャリア上での基地局からのデータ送信の開始を検出するための手段を含む。キャリアは、アンライセンススペクトル中にある。ＵＥは、基地局から、キャリアについての第１の構成情報を受信しようと試みるための手段も含む。第１の構成情報は、キャリア上の少なくとも１つのフレームについての第１のサブフレーム割振りを示す。ＵＥは、キャリアについての第１の構成情報を受信しようとする試みが成功したときに、第１のサブフレーム割振りに従って、キャリア上の少なくとも１つのフレーム中に、基地局からダウンリンクサブフレームを受信するための手段をさらに含む。ダウンリンクサブフレームは、データ送信の最初のサブフレームであり、第１のサブフレーム割振りの開始に後続する。
【０００９】
[0009]本開示の別の態様では、方法、コンピュータ可読媒体、および装置が提供される。装置は、基地局であり得る。基地局は、ＳＣＣについての第１の構成情報を、ＰＣＣ上の第１のフレーム中でＵＥに送信する。ＰＣＣは、ライセンススペクトル中にある。ＳＣＣは、アンライセンススペクトル中にある。第１の構成情報は、ＳＣＣ上の少なくとも１つのフレームについての第１のサブフレーム割振りを示す。基地局は、ＳＣＣ上での第１のサブフレーム割振りに従って、ＵＥにデータ送信の開始を示すインジケータを送信しようと試みる。基地局は、インジケータを送信しようとする試みが成功したときに、第１のサブフレーム割振りに従って、ＳＣＣ上の少なくとも１つのフレーム中に、ＵＥにダウンリンクサブフレームを送信する。ダウンリンクサブフレームは、データ送信の最初のサブフレームであり、第１のサブフレーム割振りの開始に後続する。基地局は、ＳＣＣについての第１の構成情報を、ＰＣＣ上の第１のフレーム中でＵＥに送信するための手段を含む。ＰＣＣは、ライセンススペクトル中にある。ＳＣＣは、アンライセンススペクトル中にある。第１の構成情報は、ＳＣＣ上の少なくとも１つのフレームについての第１のサブフレーム割振りを示す。基地局は、ＳＣＣ上での第１のサブフレーム割振りに従って、ＵＥにデータ送信の開始を示すインジケータを送信しようと試みるための手段も含む。基地局は、インジケータを送信しようとする試みが成功したときに、第１のサブフレーム割振りに従って、ＳＣＣ上の少なくとも１つのフレーム中に、ＵＥにダウンリンクサブフレームを送信するための手段をさらに含む。ダウンリンクサブフレームは、データ送信の最初のサブフレームであり、第１のサブフレーム割振りの開始に後続する。
【００１０】
[0010]本開示の別の態様では、方法、コンピュータ可読媒体、および装置が提供される。装置は、基地局であり得る。基地局は、第１のフレームにおいて、キャリア上でＵＥにデータ送信の開始を示すインジケータを送信する。キャリアは、アンライセンススペクトル中にある。基地局はＵＥに、キャリアについての第１の構成情報を送信しようと試みる。第１の構成情報は、キャリア上の少なくとも１つのフレームについての第１のサブフレーム割振りを示す。基地局は、キャリア上で第１の構成情報を送信しようとする試みが成功したときに、第１のサブフレーム割振りに従って、キャリア上の少なくとも１つのフレーム中に、ＵＥにダウンリンクサブフレームを送信する。ダウンリンクサブフレームは、データ送信の最初のサブフレームであり、第１のサブフレーム割振りの開始に後続する。さらに、基地局は、第１のフレームにおいて、キャリア上でＵＥにデータ送信の開始を示すインジケータを送信するための手段を含む。キャリアは、アンライセンススペクトル中にある。基地局は、ＵＥに、キャリアについての第１の構成情報を送信しようと試みるための手段も含む。第１の構成情報は、キャリア上の少なくとも１つのフレームについての第１のサブフレーム割振りを示す。基地局は、キャリア上で第１の構成情報を送信しようとする試みが成功したときに、第１のサブフレーム割振りに従って、キャリア上の少なくとも１つのフレーム中に、ＵＥにダウンリンクサブフレームを送信するための手段をさらに含む。ダウンリンクサブフレームは、データ送信の最初のサブフレームであり、第１のサブフレーム割振りの開始に後続する。
【図面の簡単な説明】
【００１１】
【図１】[0011]ネットワークアーキテクチャの例を示す図。
【図２】[0012]アクセスネットワークの例を示す図。
【図３】[0013]ＬＴＥにおけるＤＬフレーム構造の例を示す図。
【図４】[0014]ＬＴＥにおけるＵＬフレーム構造の例を示す図。
【図５】[0015]ユーザプレーンおよび制御プレーンのための無線プロトコルアーキテクチャの例を示す図。
【図６】[0016]アクセスネットワーク中の発展型ノードＢ（ｅＮＢ）およびユーザ機器（ＵＥ）の例を示す図。
【図７】[0017]一構成におけるプライマリコンポーネントキャリア（ＰＣＣ）およびセカンダリコンポーネントキャリア（ＳＣＣ）上でのＵＥとｅＮＢとの間のワイヤレス通信を示す図。
【図８】[0018]別の構成におけるＰＣＣおよびＳＣＣ上でのＵＥとｅＮＢとの間のワイヤレス通信を示す図。
【図９】[0019]別の構成におけるＰＣＣおよびＳＣＣ上でのＵＥとｅＮＢとの間のワイヤレス通信を示す図。
【図１０】[0020]別の構成におけるＰＣＣおよびＳＣＣ上でのＵＥとｅＮＢとの間のワイヤレス通信を示す図。
【図１１】[0021]別の構成におけるＰＣＣおよびＳＣＣ上でのＵＥとｅＮＢとの間のワイヤレス通信を示す図。
【図１２】[0022]ある構成におけるキャリア上でのＵＥとｅＮＢとの間のワイヤレス通信を示す図。
【図１３】[0023]ある構成におけるキャリア上でのＵＥとｅＮＢとの間のワイヤレス通信を示す図。
【図１４】[0024]別の構成におけるキャリア上でのＵＥとｅＮＢとの間のワイヤレス通信を示す図。
【図１５】[0025]ＰＣＣおよびＳＣＣ上でのＵＥのワイヤレス通信の方法のフローチャート。
【図１６】[0026]ＰＣＣおよびＳＣＣ上でのＵＥのワイヤレス通信の別の方法のフローチャート。
【図１７】[0027]キャリア上でのＵＥのワイヤレス通信の方法のフローチャート。
【図１８】[0028]キャリア上でのＵＥのワイヤレス通信の別の方法のフローチャート。
【図１９】[0029]ＰＣＣおよびＳＣＣ上での基地局のワイヤレス通信の方法のフローチャート。
【図２０】[0030]ＰＣＣおよびＳＣＣ上での基地局のワイヤレス通信の別の方法のフローチャート。
【図２１】[0031]キャリア上での基地局のワイヤレス通信の方法のフローチャート。
【図２２】[0032]キャリア上での基地局のワイヤレス通信の別の方法のフローチャート。
【図２３】[0033]例示的な装置における異なるモジュール／手段／構成要素間のデータフローを示す概念データフロー図。
【図２４】[0034]別の例示的な装置中の異なるモジュール／手段／構成要素間のデータフローを示す概念データフロー図。
【図２５】[0035]処理システムを利用する装置のためのハードウェア実装形態の例を示す図。
【図２６】[0036]処理システムを利用する別の装置のためのハードウェア実装形態の例を示す図。
【発明を実施するための形態】
【００１２】
[0037]添付の図面に関して以下で説明される詳細な説明は、様々な構成の説明として意図されており、本明細書で説明される概念が実践され得る構成を表すことは意図されていない。詳細な説明は、様々な概念の完全な理解を与えるための具体的な詳細を含む。しかしながら、これらの概念はこれらの具体的な詳細なしに実践され得ることは当業者には明らかであろう。場合によっては、そのような概念を不明瞭にしないように、よく知られている構造および構成要素がブロック図の形で示される。
【００１３】
[0038]ここで、様々な装置および方法を参照しながら電気通信システムのいくつかの態様が提示される。これらの装置および方法は、以下の発明を実施するための形態で説明され、様々なブロック、モジュール、構成要素、回路、ステップ、プロセス、アルゴリズムなど（「要素」と総称される）によって添付の図面に示される。これらの要素は、電子ハードウェア、コンピュータソフトウェア、またはそれらの任意の組合せを使用して実装され得る。そのような要素がハードウェアとして実装されるか、またはソフトウェアとして実装されるかは、特定の適用例および全体的なシステムに課される設計制約に依存する。
【００１４】
[0039]例として、要素、または要素の任意の部分、または要素の任意の組合せは、１つまたは複数のプロセッサを含む「処理システム」を用いて実装されてもよい。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲート論理、個別ハードウェア回路、および本開示全体に渡って説明される様々な機能を実施するために構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語と呼ばれるか、または他の名称で呼ばれるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、プロシージャ、関数などを意味すると広く解釈されるものとする。
【００１５】
[0040]したがって、１つまたは複数の例示的な実施形態では、説明される機能は、ハードウェア、ソフトウェア、ファームウェア、またはそれらの任意の組合せで実装され得る。ソフトウェアで実装される場合、機能は、１つまたは複数の命令またはコードとして、コンピュータ可読媒体上に記憶されるか、または符号化され得る。コンピュータ可読媒体はコンピュータ記憶媒体を含む。記憶媒体は、コンピュータがアクセスできる任意の利用可能な媒体であってもよい。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）もしくは他の光ディスクストレージ、磁気ディスクストレージもしくは他の磁気ストレージデバイス、上述のタイプのコンピュータ可読媒体の組合せ、またはコンピュータによってアクセスされ得る、命令もしくはデータ構造の形態のコンピュータ実行可能コードを記憶するために使用され得る任意の他の媒体を備えることができる。
【００１６】
[0041]図１は、ＬＴＥネットワークアーキテクチャを示す図である。ＬＴＥネットワークアーキテクチャは発展型パケットシステム（ＥＰＳ）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ）１０４と、発展型パケットコア（ＥＰＣ）１１０と、事業者のインターネットプロトコル（ＩＰ）サービス１２２とを含み得る。ＥＰＳは他のアクセスネットワークと相互接続することができるが、簡単にするために、それらのエンティティ／インターフェースは図示されていない。図示のように、ＥＰＳはパケット交換サービスを提供するが、当業者が容易に諒解するように、本開示全体に渡って提示される様々な概念は、回線交換サービスを提供するネットワークに拡張され得る。
【００１７】
[0042]Ｅ−ＵＴＲＡＮは、発展型ノードＢ（ｅＮＢ）１０６と、他のｅＮＢ１０８と、マルチキャスト協調エンティティ（ＭＣＥ）１２８とを含む。ｅＮＢ１０６は、ＵＥ１０２に向かってユーザプレーンプロトコル終端と制御プレーンプロトコル終端とを提供する。ｅＮＢ１０６は、バックホール（たとえば、Ｘ２インターフェース）を介して他のｅＮＢ１０８に接続され得る。ＭＣＥ１２８は、発展型マルチメディアブロードキャストマルチキャストサービス（ＭＢＭＳ）（ｅＭＢＭＳ）のために時間／周波数無線リソースを割り振り、ｅＭＢＭＳのために無線構成（たとえば、変調およびコーディング方式（ＭＣＳ））を決定する。ＭＣＥ１２８は、別個のエンティティ、またはｅＮＢ１０６の一部であり得る。ｅＮＢ１０６は、基地局、ノードＢ、アクセスポイント、基地トランシーバ局、無線基地局、無線トランシーバ、トランシーバ機能、基本サービスセット（ＢＳＳ）、拡張サービスセット（ＥＳＳ）、または何らかの他の好適な用語で呼ばれることもある。ｅＮＢ１０６は、ＥＰＣ１１０へのアクセスポイントをＵＥ１０２に提供する。ＵＥ１０２の例は、セルラーフォン、スマートフォン、セッション開始プロトコル（ＳＩＰ）フォン、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスを含む。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれることもある。
【００１８】
[0043]ｅＮＢ１０６は、ＥＰＣ１１０に接続される。ＥＰＣ１１０は、モビリティ管理エンティティ（ＭＭＥ）１１２と、ホーム加入者サーバ（ＨＳＳ）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンタ（ＢＭ−ＳＣ）１２６と、パケットデータネットワーク（ＰＤＮ）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を提供する。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８は、ＵＥのＩＰアドレス割振りならびに他の機能を提供する。ＰＤＮゲートウェイ１１８およびＢＭ−ＳＣ１２６はＩＰサービス１２２に接続される。ＩＰサービス１２２は、インターネット、イントラネット、ＩＰマルチメディアサブシステム（ＩＭＳ）、ＰＳストリーミングサービス（ＰＳＳ）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１９】
[0044]図２は、ＬＴＥネットワークアーキテクチャにおけるアクセスネットワーク２００の例を示す図である。この例では、アクセスネットワーク２００は、いくつかのセルラー領域（セル）２０２に分割される。１つまたは複数のより低い電力クラスのｅＮＢ２０８が、セル２０２のうちの１つまたは複数と重なるセルラー領域２１０を有し得る。より低い電力クラスのｅＮＢ２０８は、フェムトセル（たとえば、ホームｅＮＢ（ＨｅＮＢ））、ピコセル、マイクロセル、またはリモート無線ヘッド（ＲＲＨ）であってよい。マクロｅＮＢ２０４はそれぞれ、それぞれのセル２０２に割り当てられ、セル２０２内のすべてのＵＥ２０６にＥＰＣ１１０へのアクセスポイントを与えるように構成される。アクセスネットワーク２００のこの例では集中型コントローラはないが、代替構成では集中型コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは、１つまたは複数（たとえば、３つ）のセル（セクタとも呼ばれる）をサポートし得る。「セル」という用語は、ｅＮＢの最小カバレッジエリアおよび／または特定のカバレッジエリアをサービスするｅＮＢサブシステムを指すことがある。さらに、「ｅＮＢ」、「基地局」、および「セル」という用語は、本明細書では互換的に使用されることがある。
【００２０】
[0045]アクセスネットワーク２００によって用いられる変調方式および多元接続方式は、導入されている特定の電気通信規格に応じて異なり得る。ＬＴＥ適用例では、周波数分割複信（ＦＤＤ）とＴＤＤの両方をサポートするために、ＯＦＤＭＡがＤＬ上で使用され、ＳＣ−ＦＤＭＡがＵＬ上で使用される。当業者が以下の詳細な説明から容易に諒解するように、本明細書で提示する様々な概念は、ＬＴＥ適用例に好適である。ただし、これらの概念は、他の変調および多元接続技法を使用する他の電気通信規格に容易に拡張されてもよい。例として、これらの概念は、エボリューションデータオプティマイズド（ＥＶ−ＤＯ）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２）によって公表されたエアインターフェース規格であり、移動局に対してブロードバンドインターネットアクセスを可能にするためにＣＤＭＡを使用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ）、ＴＤＭＡを採用するモバイル通信用グローバルシステム（ＧＳＭ（登録商標））、ならびに、ＯＦＤＭＡを採用する、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥ、およびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００２１】
[0046]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、異なるデータストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いで、ＤＬ上で複数の送信アンテナを通して空間的にプリコーディングされた各ストリームを送信することによって達成される。空間的にプリコーディングされたデータストリームは、異なる空間シグネチャとともにＵＥ２０６に到着し、これにより、ＵＥ２０６の各々がそのＵＥ２０６に宛てられた１つまたは複数のデータストリームを復元することが可能になる。ＵＬ上では、各ＵＥ２０６は、空間的にプリコーディングされたデータストリームを送信し、これにより、ｅＮＢ２０４は、空間的にプリコーディングされた各データストリームのソースを識別できるようになる。
【００２２】
[0047]空間多重化は、概して、チャネル状態が良好なときに使用される。チャネル状態があまり好ましくないとき、送信エネルギーを１つまたは複数の方向に集中させるためにビームフォーミングが使用され得る。これは、複数のアンテナを介して送信するためにデータを空間的にプリコーディングすることによって達成され得る。セルのエッジにおいて良好なカバレッジを達成するために、送信ダイバーシティと組み合わせてシングルストリームビームフォーミング送信が使用され得る。
【００２３】
[0048]以下の詳細な説明では、アクセスネットワークの様々な態様について、ＤＬ上でＯＦＤＭをサポートするＭＩＭＯシステムに関して説明する。ＯＦＤＭは、ＯＦＤＭシンボル内でいくつかのサブキャリアを介してデータを変調するスペクトル拡散技法である。サブキャリアは正確な周波数で離間される。この離間は、受信機がサブキャリアからデータを復元することを可能にする「直交性」をもたらす。時間領域では、ＯＦＤＭシンボル間干渉をなくすために、各ＯＦＤＭシンボルにガードインターバル（たとえば、サイクリックプレフィックス）が付加され得る。ＵＬは、高いピーク対平均電力比（ＰＡＰＲ）を補償するために、ＤＦＴ拡散ＯＦＤＭ信号の形でＳＣ−ＦＤＭＡを使用することができる。
【００２４】
[0049]図３は、ＬＴＥにおけるＤＬフレーム構造の例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用される場合があり、各タイムスロットはリソースブロックを含む。リソースグリッドは複数のリソース要素に分割される。ＬＴＥでは、ノーマルサイクリックプレフィックスの場合、リソースブロックは、合計８４個のリソース要素について、周波数領域中に１２個の連続するサブキャリアを含んでおり、時間領域中に７つの連続するＯＦＤＭシンボルを含んでいる。拡張サイクリックプレフィックスの場合、リソースブロックは、合計７２個のリソース要素について、周波数領域中に１２個の連続するサブキャリアを含んでおり、時間領域中に６つの連続するＯＦＤＭシンボルを含んでいる。Ｒ３０２、３０４として示されるリソース要素のうちのいくつかは、ＤＬ基準信号（ＤＬ−ＲＳ）を含む。ＤＬ−ＲＳは、（共通ＲＳと呼ばれることもある）セル固有ＲＳ（ＣＲＳ）３０２と、ＵＥ固有ＲＳ（ＵＥ−ＲＳ）３０４とを含む。ＵＥ−ＲＳ３０４は、対応する物理ＤＬ共有チャネル（ＰＤＳＣＨ）がマッピングされるリソースブロック上で送信される。各リソース要素によって搬送されるビット数は変調方式に依存する。したがって、ＵＥが受信するリソースブロックが多いほど、および変調方式が高いほど、ＵＥのデータレートは高くなる。
【００２５】
[0050]図４は、ＬＴＥにおけるＵＬフレーム構造の例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションをもたらす。
【００２６】
[0051]ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂも割り当てられ得る。ＵＥは、制御セクションの中に割り当てられたリソースブロック上の物理ＵＬ制御チャネル（ＰＵＣＣＨ）において制御情報を送信し得る。ＵＥは、データセクションの中に割り当てられたリソースブロック上の物理ＵＬ共有チャネル（ＰＵＳＣＨ）においてデータまたはデータと制御情報の両方を送信し得る。ＵＬ送信は、サブフレームの両方のスロットにわたり得、周波数上でホッピングし得る。
【００２７】
[0052]初期システムアクセスを実行し、物理ランダムアクセスチャネル（ＰＲＡＣＨ）４３０中でＵＬ同期を達成するために、リソースブロックのセットが使用され得る。ＰＲＡＣＨ４３０は、ランダムシーケンスを搬送し、いかなるＵＬデータ／シグナリングをも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、特定の時間および周波数リソースに限定される。ＰＲＡＣＨの場合、周波数ホッピングはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みを行うことができる。
【００２８】
[0053]図５は、ＬＴＥにおけるユーザプレーンおよび制御プレーンのための無線プロトコルアーキテクチャの例を示す図５００である。ＵＥおよびｅＮＢのための無線プロトコルアーキテクチャは、レイヤ１、レイヤ２、およびレイヤ３という３つのレイヤで示される。レイヤ１（Ｌ１レイヤ）は最下位レイヤであり、様々な物理レイヤ信号処理機能を実装する。Ｌ１レイヤは、本明細書では物理レイヤ５０６と呼ばれる。レイヤ２（Ｌ２レイヤ）５０８は、物理レイヤ５０６の上にあり、物理レイヤ５０６を介したＵＥとｅＮＢとの間のリンクを担当する。
【００２９】
[0054]ユーザプレーンでは、Ｌ２レイヤ５０８は、ネットワーク側のｅＮＢにおいて終端される、媒体アクセス制御（ＭＡＣ）サブレイヤ５１０と、無線リンク制御（ＲＬＣ）サブレイヤ５１２と、パケットデータコンバージェンスプロトコル（ＰＤＣＰ）５１４サブレイヤとを含む。図示されないが、ＵＥは、ネットワーク側のＰＤＮゲートウェイ１１８において終端されるネットワークレイヤ（たとえば、ＩＰレイヤ）と、接続の他端（たとえば、遠端ＵＥ、サーバなど）において終端されるアプリケーションレイヤとを含む、Ｌ２レイヤ５０８の上にいくつかの上位レイヤを有することができる。
【００３０】
[0055]ＰＤＣＰサブレイヤ５１４は、異なる無線ベアラと論理チャネルとの間で多重化を提供する。また、ＰＤＣＰサブレイヤ５１４は、無線送信オーバヘッドを低減するための上位レイヤデータパケットのためのヘッダ圧縮と、データパケットを暗号化することによるセキュリティと、ＵＥのためのｅＮＢ間ハンドオーバサポートとを提供する。ＲＬＣサブレイヤ５１２は、上位レイヤデータパケットのセグメンテーションおよびリアセンブリと、紛失データパケットの再送と、ハイブリッド自動再送要求（ＨＡＲＱ）に起因して異なる順序で受信されたデータパケットを補償するための並べ替えとを提供する。ＭＡＣサブレイヤ５１０は、論理チャネルとトランスポートチャネルとの間の多重化を提供する。ＭＡＣサブレイヤ５１０はまた、１つのセルの中の様々な無線リソース（たとえば、リソースブロック）をＵＥの間で割り振ることを担当する。ＭＡＣサブレイヤ５１０はまた、ＨＡＲＱ演算を担当する。
【００３１】
[0056]制御プレーンにおいて、ＵＥおよびｅＮＢのための無線プロトコルアーキテクチャは、制御プレーンに関するヘッダ圧縮機能がないことを除いて、物理レイヤ５０６およびＬ２レイヤ５０８についても実質的に同じである。制御プレーンはまた、レイヤ３（Ｌ３レイヤ）の中に無線リソース制御（ＲＲＣ）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００３２】
[0057]図６は、アクセスネットワークにおいてＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能性を実装する。ＤＬでは、コントローラ／プロセッサ６７５は、ヘッダ圧縮と、暗号化と、パケットのセグメント化および並べ替えと、論理チャネルとトランスポートチャネルとの間の多重化と、様々な優先度メトリックに基づくＵＥ６５０への無線リソース割振りとを行う。コントローラ／プロセッサ６７５はまた、ＨＡＲＱ演算と、紛失パケットの再送信と、ＵＥ６５０へのシグナリングとを担当する。
【００３３】
[0058]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ）と、様々な変調方式（たとえば、２位相シフトキーイング（ＢＰＳＫ）、４位相シフトキーイング（ＱＰＳＫ）、Ｍ位相シフトキーイング（Ｍ−ＰＳＫ）、多値直交振幅変調（Ｍ−ＱＡＭ））に基づく信号コンスタレーションへのマッピングとを容易にするための、コーディングとインターリービングとを含む。次いで、コード化および変調されたシンボルが、並列ストリームに分割される。次いで、各ストリームは、ＯＦＤＭサブキャリアにマッピングされ、時間領域および／または周波数領域において基準信号（たとえば、パイロット）と多重化され、次いで、逆高速フーリエ変換（ＩＦＦＴ）を使用して合成されて、時間領域のＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられ得る。各送信機６１８ＴＸは、送信のためにそれぞれの空間ストリームでＲＦキャリアを変調し得る。
【００３４】
[0059]ＵＥ６５０において、各受信機６５４ＲＸは、それのそれぞれのアンテナ６５２を通して信号を受信する。各受信機６５４ＲＸは、ＲＦキャリア上に変調された情報を復元し、情報を受信（ＲＸ）プロセッサ６５６に与える。ＲＸプロセッサ６５６は、Ｌ１レイヤの様々な信号処理機能を実装する。ＲＸプロセッサ６５６は、ＵＥ６５０に宛てられた空間ストリームを復元するために、情報に対して空間処理を実施し得る。複数の空間ストリームがＵＥ６５０に宛てられた場合、それらの空間ストリームはＲＸプロセッサ６５６によって単一のＯＦＤＭシンボルストリームに合成され得る。ＲＸプロセッサ６５６は、次いで、高速フーリエ変換（ＦＦＴ）を使用してＯＦＤＭシンボルストリームを時間領域から周波数領域にコンバートする。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３５】
[0060]コントローラ／プロセッサ６５９はＬ２レイヤを実装する。コントローラ／プロセッサは、プログラムコードとデータとを記憶するメモリ６６０に関連付けられ得る。メモリ６６０は、コンピュータ可読媒体と呼ばれ得る。ＵＬにおいて、コントローラ／プロセッサ６５９は、コアネットワークからの上位レイヤパケットを復元するために、トランスポートチャネルと論理チャネルとの間の逆多重化と、パケットリアセンブリと、暗号解読（decipher）と、ヘッダ解凍（decompression）と、制御信号処理とを提供する。上位レイヤパケットは、次いで、Ｌ２レイヤの上のすべてのプロトコルレイヤを表すデータシンク６６２に供給される。様々な制御信号が、Ｌ３処理ができるようにデータシンク６６２に提供され得る。コントローラ／プロセッサ６５９はまた、ＨＡＲＱ演算をサポートするために、肯定応答（ＡＣＫ）および／または否定応答（ＮＡＣＫ）プロトコルを使用する誤り検出を担当する。
【００３６】
[0061]ＵＬにおいて、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能性と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンに関するＬ２レイヤを実装する。また、コントローラ／プロセッサ６５９は、ＨＡＲＱ演算と、紛失パケットの再送信と、ｅＮＢ６１０へのシグナリングとを担当する。
【００３７】
[0062]ｅＮＢ６１０によって送信される基準信号またはフィードバックからチャネル推定器６５８によって導出されるチャネル推定値は、適切なコーディングおよび変調方式を選択することと、空間処理を容易にすることとを行うために、ＴＸプロセッサ６６８によって使用され得る。ＴＸプロセッサ６６８によって生成された空間ストリームは、別個の送信機６５４ＴＸを介して異なるアンテナ６５２に与えられ得る。各送信機６５４ＴＸは、送信のためにそれぞれの空間ストリームを用いてＲＦキャリアを変調し得る。
【００３８】
[0063]ＵＬ送信は、ＵＥ６５０における受信機機能に関して説明した様式と同様の様式でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３９】
[0064]コントローラ／プロセッサ６７５は、Ｌ２レイヤを実装する。コントローラ／プロセッサ６７５は、プログラムコードとデータとを記憶するメモリ６７６に関連付けられ得る。メモリ６７６は、コンピュータ可読媒体と呼ばれ得る。ＵＬでは、コントローラ／プロセッサ６７５は、トランスポートチャネルと論理チャネルとの間の逆多重化と、パケットリアセンブリと、暗号解読と、ヘッダ解凍と、制御信号処理とを行って、ＵＥ６５０からの上位レイヤパケットを復元する。コントローラ／プロセッサ６７５からの上位レイヤパケットは、コアネットワークに提供され得る。コントローラ／プロセッサ６７５はまた、ＨＡＲＱ演算をサポートするために、ＡＣＫおよび／またはＮＡＣＫのプロトコルを使用する誤り検出を担当する。
【００４０】
[0065]図７は、一構成におけるＰＣＣおよびＳＣＣ上でのＵＥとｅＮＢとの間のワイヤレス通信を示す図７００である。ｅＮＢ７０２が、ＰＣＣ７０６およびＳＣＣ７０８上でＵＥ７０４と通信し得る。ＰＣＣ７０６はライセンススペクトル中にあり、ＳＣＣ７０８はアンライセンススペクトル中にある。ＰＣＣ７０６は、フレーム期間７９２および７９４とそれぞれ重なるフレーム７１１および７１３とともに示されている。フレーム７１１は、サブフレーム期間７７０〜７７９とそれぞれ重なるサブフレーム７２０〜７２９を含む。フレーム７１３は、サブフレーム期間７８０〜７８９とそれぞれ重なるサブフレーム７３０〜７３９を含む。ＳＣＣ７０８は、フレーム期間７９２および７９４とそれぞれ重なるフレーム７１２および７１４とともに示されている。フレーム７１２は、サブフレーム期間７７１〜７７９とそれぞれ重なるサブフレーム７４１〜７４９を含む。干渉時間期間７６０ならびにチャネル予約およびアクセス指示信号７６１（たとえば、ダウンリンクチャネル使用ビーコンシーケンス（Ｄ−ＣＵＢＳ））が、フレーム７１２に先行する。フレーム７１４は、サブフレーム期間７８０〜７８９とそれぞれ重なるサブフレーム７５０〜７５９を含む。一例では、ＰＣＣ７０６はダウンリンク（ＤＬ）送信用に構成されてよく、ＰＣＣ７０６上で送信されるフレームは、ダウンリンクサブフレームのみを含み得る。ただし、ＰＣＣ７０６は、ＴＤＤまたはＦＤＤ実装形態に従って、アップリンクおよびダウンリンクサブフレームの両方で構成されてもよい。ＳＣＣ７０８は、ＴＤＤモードにあり、異なる時間において、ＤＬおよびアップリンク（ＵＬ）送信用に構成され得る。ＳＣＣ７０８上で送信されるフレームは、１つもしくは複数のダウンリンクサブフレーム（Ｄ）、１つもしくは複数のアップリンクサブフレーム（Ｕ）、および／または１つもしくは複数の特殊サブフレーム（Ｓ）を有し得る。さらに、ｅＮＢ７０２は、ｅＩＭＴＡ構成におけるＳＣＣ７０８上のフレームについて、ダウンリンクサブフレーム、アップリンクサブフレーム、および／または特殊サブフレームの割振りを指示することができ、この割振りは、ＵＥ７０４に送信されることになる。
【００４１】
[0066]ｅＩＭＴＡ無線ネットワーク一時識別子（ＲＮＴＩ）でスクランブルされた物理ダウンリンク制御チャネル（ＰＤＣＣＨ）が、いくつかのｅＩＭＴＡ構成（たとえば、ＤＬ／ＵＬ構成）を搬送し得る。さらに、これらのｅＩＭＴＡ構成は、マルチキャリア構成の一部としてスケジュールされた異なるＳＣＣに対応し得る。たとえば、２０ＭＨｚキャリアにおいて使われる１５ビットのデータは、５つの異なり得るＤＬ／ＵＬ構成を示し得る。１０ＭＨｚキャリアにおいて使われる１３ビットのデータは、４つの異なり得るＤＬ／ＵＬ構成を示し得る。ｅＮＢ７０２は、所与のキャリア用のＤＬ／ＵＬ構成を導出するために、ＰＤＣＣＨ中で監視するべきビットのグループをＵＥ７０４に指示するのに、ＲＲＣ構成メッセージを使うことができる。
【００４２】
[0067]さらに、ｅＮＢ７０２は、ＰＣＣ７０６およびＳＣＣ７０８に加え、１つまたは複数のＳＣＣを確立することができる。ＵＥ７０４は、異なるＳＣＣ用のＤＬ／ＵＬ構成を導出するために、ＰＣＣ７０６上のｅＩＭＴＡ−ＲＮＴＩベースのＰＤＣＣＨ中で、ビットの異なるセットを監視することができる。
【００４３】
[0068]ＳＣＣ７０８によって使われるアンライセンススペクトルは、１つまたは複数の他のＲＡＴ（たとえば、ＩＥＥＥ８０２．１１）によって共有され得る。ｅＮＢ７０２は、アンライセンススペクトルを共有するＲＡＴのキャリア検知および衝突回避機構を、アンライセンススペクトルを予約するために使用し得る。たとえば、ＩＥＥＥ８０２．１１がアンライセンススペクトルを共有しているとき、ｅＮＢ７０２は、アンライセンススペクトルを予約するのにチャネル予約機構（channel reservation mechanism）を利用することができる。
【００４４】
[0069]この構成において、ＳＣＣ７０８上でＵＥ７０４とデータを通信することを決定すると、ｅＮＢ７０２は、フレーム期間７９２中にＰＣＣ７０６上で送信されるフレーム７１１中でＳＣＣ７０８に適用されるべきｅＩＭＴＡ構成をＵＥ７０４に送信することができる。フレーム７１１は、フレーム期間７９２のサブフレーム期間中に各々が送信される１０個のサブフレーム（すなわち、サブフレーム７２０〜７２９）を有する。フレーム７１１の選択されたサブフレーム、たとえば、サブフレーム７２０またはサブフレーム７２５は、ｅＩＭＴＡ構成を含む。ＵＥ７０４を対象とするｅＩＭＴＡ構成は、ＵＥ７０４のｅＩＭＴＡ−ＲＮＴＩでスクランブルされたＰＤＣＣＨ中に含められ得る。スクランブルされたＰＤＣＣＨは、ダウンリンク制御情報（ＤＣＩ）フォーマット１Ｃを含み得る。サブフレーム７２０を受信すると、ＵＥ７０４は、共通探索空間中で、スクランブルされたＰＤＣＣＨを検出し、復号する。ｅＩＭＴＡ構成は、フレーム中で、ダウンリンクサブフレーム、アップリンクサブフレーム、および特殊サブフレームの割振りを指示する。たとえば、ｅＩＭＴＡ構成は、スケジュールされたフレームについて、サブフレーム０〜５がダウンリンクサブフレームであることと、サブフレーム６および９が特殊サブフレームであることと、サブフレーム７〜８がアップリンクサブフレームであることとを指示し得る。
【００４５】
[0070]このような構成に関して、ダウンリンクとアップリンクとの間のスイッチは、特殊サブフレームであるサブフレーム７４６およびサブフレーム７４９中で起こる。特殊サブフレームは、ＬＴＥ  ＴＤＤ構成において共通する、ダウンリンク部分（ＤｗＰＴＳ）、ガード期間（ＧＰ）、およびアップリンク部分（ＵｐＰＴＳ）という３つの部分に分離され得る。さらに、特殊サブフレームは、アンライセンススペクトル挙動に関連する他の送信を含み得る。一技法では、ＳＣＣ７０８上のフレームの最終サブフレームは特殊サブフレーム（すなわち、Ｓ’）であり得る。特殊サブフレームＳ’の時間期間（たとえば、サブフレーム期間７７９）内に、ｅＮＢ７０２は、次のフレーム期間（たとえば、フレーム期間７９４）についてアンライセンススペクトルを獲得するために、アンライセンススペクトルを共有する、ＲＡＴの予約機構（たとえば、ＩＥＥＥ８０２．１１に関して、ＤＣＦ）を使用し得る。
【００４６】
[0071]フレーム期間７９２の始めに、ｅＮＢ７０２は、アンライセンススペクトルを共有するＲＡＴの予約機構を使って、アンライセンススペクトルを獲得しようと試み得る。たとえば、アンライセンススペクトルがＩＥＥＥ８０２．１１によって共有される場合、ｅＮＢ７０２は、アンライセンススペクトルを獲得するのに、様々な媒体アクセス／ランダムアクセス手順を使うことができる。ｅＮＢ７０２は、アンライセンススペクトルを獲得するのに、時間期間７６０だけかかり得る。アンライセンススペクトルを獲得した後、ｅＮＢ７０２は、次のサブフレーム期間中に、ＵＥ７０４とデータを通信し始めることができる。この例では、時間期間７６０は、フレーム期間７９２のサブフレーム期間７７０内にある。したがって、ｅＮＢ７０２は、フレーム期間７９２の次のサブフレーム期間（すなわち、サブフレーム期間７７１）中にＵＥ７０４とデータを通信し始めることができる。
【００４７】
[0072]一技法では、ｅＮＢ７０２は、上記で説明したように、ＳＣＣ７０８についてのｅＩＭＴＡ構成を、ＰＣＣ７０６上でＵＥ７０４に送信する。さらに、ｅＩＭＴＡ構成は、ＳＣＣ７０８上で送信されるフレームの境界が、ＰＣＣ７０６上で送信されるフレームとアライメントされるべきであることを示すことができる。
【００４８】
[0073]第１のオプションでは、ｅＩＭＴＡ構成は、サブフレームの割振りが、ＳＣＣ７０８上の１つのフレームに適用されるべきであることを示す。言い換えると、ｅＩＭＴＡ構成の周期（periodicity）（Ｔ）は、事前設定（preconfigured）された数のサブフレームであり得る。この具体例では、周期は１０個のサブフレームである（すなわち、Ｔ＝１０）。他の例では、周期は、１２、１４、２０、または他の適した数のサブフレームである。ｅＩＭＴＡ構成は、ＰＣＣ７０６上で送信されるフレームのサブフレーム０に含まれてよく、ＵＥ７０４に、同じフレーム期間中にＳＣＣ７０８上で送信されるフレームに割振りを適用するよう要求し得る。この例では、ｅＮＢ７０２は、ｅＩＭＴＡ構成を、フレーム期間７９２中に送信されるフレーム７１１のサブフレーム７２０中で送信する。ｅＩＭＴＡ構成は、ＳＣＣ７０８上でフレーム期間７９２中に送信されるフレームに適用されることになる。たとえば、ｅＩＭＴＡ構成は、適用されるべきフレームについて、サブフレーム０〜５がダウンリンクサブフレームであることと、サブフレーム６および９が特殊サブフレームであることと、サブフレーム７〜８がアップリンクサブフレームであることとを指示し得る。
【００４９】
[0074]上記で説明したように、ｅＮＢ７０２は、サブフレーム期間７７０内にある時間期間７６０においてアンライセンススペクトルを獲得する。ｅＮＢ７０２は、フレーム期間７９２の残りのサブフレーム期間中に、部分的フレーム７１２がＵＥ７０４と通信され得ると決定する。具体的には、ｅＮＢ７０２は、フレーム期間７９２のサブフレーム期間７７１〜７７９中に、部分的フレーム７１２のサブフレーム７４１〜７４９がＵＥ７０４と通信され得ると決定する。ＵＥ７０４は、この具体例のｅＩＭＴＡ構成に従って、サブフレーム７４１〜７４５がダウンリンクサブフレームであり、サブフレーム７４６およびサブフレーム７４９が特殊サブフレームであり、サブフレーム７４７〜７４８がアップリンクサブフレームであるとさらに決定する。サブフレーム７４１を送信するのに先立って、ｅＮＢ７０２は、部分的フレーム７１２の開始をＵＥ７０４に知らせるために、チャネル予約およびアクセス指示信号７６１（たとえば、Ｄ−ＣＵＢＳであり得る）をＳＣＣ７０８上で送信する。チャネル予約およびアクセス指示信号７６１を受信すると、ＵＥ７０４は、たとえば、ＰＣＣ７０６上で受信された同期情報に基づいて、部分的フレーム７１２の送信が、サブフレーム期間７７１の始めに開始すると決定することができる。ＵＥ７０４は次いで、ｅＩＭＴＡ構成に従って、部分的フレーム７１２を処理し、通信する。
【００５０】
[0075]一技法では、ｅＮＢ７０２およびＵＥ７０４は、フレームの通信を常にダウンリンクサブフレーム中に始めるように構成され得る。この例では、ＵＥ７０４は、サブフレーム７４１がダウンリンクサブフレームであると決定し得る。したがって、ＵＥ７０４は、サブフレーム期間７７１中にサブフレーム７４１を受信するように動作する。同様に、ＵＥ７０４は、サブフレーム７４２〜７４５がダウンリンクサブフレームであると決定し、サブフレーム７４２〜７４５を受信するように動作する。ＵＥ７０４は、サブフレーム７４７〜７４８がアップリンクサブフレームであるとさらに決定し、それらのサブフレームを、ｅＮＢ７０２にデータを送信するのに使用することができる。
【００５１】
[0076]上記で説明したように、この技法において、ｅＮＢ７０２は、ダウンリンクサブフレームが利用可能であるときのみ、部分的フレーム７１２を送信し始める。いくつかの状況では、ｅＮＢ７０２は、アンライセンススペクトルを獲得するのに、比較的長い時間がかかり得る。たとえば、時間期間７６０はサブフレーム期間７７０〜７７６を占有し得る。したがって、部分的フレーム７１２は、サブフレーム７４７〜７４９のみを含むことになる。この例では、サブフレーム７４７は、アップリンクサブフレームとして割り振られる。したがって、ｅＮＢ７０２は、サブフレーム７４７に先行する部分的フレーム７１２の開始を示すためのチャネル予約およびアクセス指示信号７６１をＵＥ７０４に送信しない。さらに、ｅＮＢ７０２は、アンライセンススペクトルを保持するために、ＵＥ７０４によって認識可能でない信号を、サブフレーム期間７７７〜７７９中にアンライセンススペクトル上で送信し得る。したがって、ｅＮＢ７０２は、次のフレーム期間（すなわち、フレーム期間７９４のサブフレーム期間７８０）の始めにおいてアンライセンススペクトルを使うことができる。その後、ｅＮＢ７０２は、ＰＣＣ７０６上でフレーム期間７９４中に、フレーム７１３のサブフレーム７３０中でｅＩＭＴＡ構成を送信する。ｅＩＭＴＡ構成を受信すると、ＵＥ７０４は、フレーム期間７９４中にＳＣＣ７０８上で送信されるフレーム７１４にｅＩＭＴＡ構成を適用する。
【００５２】
[0077]図７から明らかなように、様々な例が、一連のダウンリンクサブフレーム、またはその何らかの変形体でｅＩＭＴＡ構成を始める可能性を想定している。一技法では、ｅＮＢ７０２は、ＳＣＣ７０８上のフレームではダウンリンクサブフレームすべてが連続し、アップリンクサブフレームすべてが連続し、さらに、ダウンリンクサブフレームがアップリンクサブフレームに先立って割り振られることをＵＥ７０４に知らせ得る。たとえば、割振りは、Ｄ  Ｄ  Ｄ  Ｄ  Ｄ  Ｓ  Ｕ  Ｕ  Ｕ  Ｓ’であり得る。ｅＮＢは、参照サブフレーム指示を使って、割振りなどを実装し得る。たとえば、ｅＮＢは、既存のＴＤＤ構成Ｄ  Ｓ  Ｕ  Ｕ  Ｕ  Ｄ  Ｄ  Ｄ  Ｄ  Ｄ用の参照サブフレーム５（サブフレームは０から始まる）を指示して、構成を５つのサブフレームだけシフトさせて、新規構成Ｄ  Ｄ  Ｄ  Ｄ  Ｄ  Ｄ  Ｓ  Ｕ  Ｕ  Ｕを生成し得る。このようなシフティング機構を使って、ｅＮＢは、ダウンリンクおよびアップリンクサブフレームを、アンライセンススペクトルにおいてＬＴＥにとってより好適な構成に並べることができる。
【００５３】
[0078]明示的および暗黙的シグナリングを含む様々な技法が、参照サブフレーム指示を実装するのに使われ得る。たとえば、参照サブフレーム指示は、ｅＩＭＴＡ構成とともに、インデックスまたは他の値として明示的に送信され得る。
【００５４】
[0079]様々な暗黙的シグナリング方法がまた使用され得る。たとえば、サブフレーム０においてｅＩＭＴＡ構成を送信するのではなく、ｅＩＭＴＡは参照サブフレーム上で送信され得る。したがって、ｅＩＭＴＡ構成がサブフレーム５上で送信されるにおいては、送信されるｅＩＭＴＡ構成は、５つのサブフレーム分シフトされるが、それでもやはり、次のフレームのサブフレーム０において始まる。同様の例において、ｅＩＭＴＡ構成がサブフレーム５上で送信されるときには、送信されるｅＩＭＴＡ構成はサブフレーム５において始まり、次のサブフレーム用の実装を効果的にシフトする。さらに別の例では、ｅＩＭＴＡ構成がサブフレーム５上で送信されるときには、ｅＩＭＴＡ構成は、直ちに有効になり得、ｅＩＭＴＡ構成のサブフレーム５で開始する。
【００５５】
[0080]サブフレーム５および構成Ｄ  Ｓ  Ｕ  Ｕ  Ｕ  Ｄ  Ｄ  Ｄ  Ｄ  Ｄは例示のためにのみ使われたものであるので、他の様々なサブフレーム構成および参照サブフレームが使用され得る。
【００５６】
[0081]代替として、ｅＮＢ７０２は、割振りを指示するためのｅＩＭＴＡ構成をＰＣＣ７０６上で送信しないことがあり得る。そうではなく、ＵＥ７０４は、連続ダウンリンクサブフレームを検出した後でダウンリンクサブフレームを検出しないときに、アップリンクサブフレームおよび特殊サブフレームの割振りを決定し得る。ＵＥ７０４は、ＳＣＣ７０８上のフレーム中で、連続ダウンリンクサブフレームには特殊サブフレーム（Ｓ）が続き、アップリンクサブフレーム（Ｕ）が特殊サブフレーム（Ｓ）に続き、フレーム中の最終サブフレームが別の特殊サブフレーム（Ｓ’）であると決定することができる。
【００５７】
[0082]図８は、別の構成におけるＰＣＣおよびＳＣＣ上でのＵＥとｅＮＢとの間のワイヤレス通信を示す図８００である。ＰＣＣ７０６は、フレーム期間８９２および８９４とそれぞれ重なるフレーム８１１および８１３とともに示されている。フレーム８１１は、サブフレーム期間８７０〜８７９とそれぞれ重なるサブフレーム８２０〜８２９を含む。フレーム８１３は、サブフレーム期間８８０〜８８９とそれぞれ重なるサブフレーム８３０〜８３９を含む。ＳＣＣ７０８は、フレーム期間８９２および８９４とそれぞれ重なるフレーム８１２および８１４とともに示されている。フレーム８１２は、サブフレーム期間８７５〜８７９とそれぞれ重なるサブフレーム８４５〜８４９を含む。干渉時間期間８６０ならびにチャネル予約およびアクセス指示信号８６１（たとえば、Ｄ−ＣＵＢＳ）が、フレーム８１２に先行する。フレーム８１４は、サブフレーム期間８８０〜８８９とそれぞれ重なるサブフレーム８５０〜８５９を含む。
【００５８】
[0083]この構成において、ｅＮＢ７０２は、ＳＣＣ７０８における使用のためのｅＩＭＴＡ構成を選択し、次いで、ｅＩＭＴＡ構成が、複数の連続するダウンリンクサブフレームを割り振るかどうかを決定する。ｅＩＭＴＡ構成が、複数の連続するダウンリンクサブフレームを割り振る場合、ｅＮＢ７０２は、連続するダウンリンクサブフレームのうちの最初のサブフレームのインデックスを見つけ、次いで、選択されたフレーム期間中に、同じインデックスを有するサブフレーム中でｅＩＭＴＡ構成を送信する。ｅＩＭＴＡ構成は、選択されたフレーム期間中に送信されるフレームの、同じインデックスを有するサブフレームにおいて始まるとともに次のフレーム期間中のフレーム中に拡張する、ＳＣＣ７０８上で送信される１つの仮想フレーム８９６にｅＩＭＴＡ構成が適用されるべきであることを示すことができる。
【００５９】
[0084]たとえば、ｅＩＭＴＡ構成は、フレーム中の第０〜第９のサブフレームをＤ  Ｓ  Ｕ  Ｕ  Ｕ  Ｄ  Ｄ  Ｄ  Ｄ  Ｄとして割り振ることができる。ｅＮＢ７０２は、ｅＩＭＴＡ構成が、第５〜第９のサブフレーム中で、連続ダウンリンクサブフレームを割り振ると決定する。連続ダウンリンクサブフレームのうちの最初のサブフレームが、第５のサブフレームである。したがって、ｅＮＢ７０２は、ｅＩＭＴＡ構成を、フレーム期間８９２中にＰＣＣ７０６上で送信されるフレーム８１１のサブフレーム８２５中に含める。ｅＩＭＴＡ構成は、適用可能サブフレームが、フレーム期間７９２中に送信されるフレーム８１２のサブフレーム８４５〜８４９およびＳＣＣ７０８上でフレーム期間７９４中に送信されるフレーム８１４のサブフレーム８５０〜８５４であることを示す。これらの１０個のサブフレーム（すなわち、仮想フレーム８９６）の割振りは、Ｄ  Ｄ  Ｄ  Ｄ  Ｄ  Ｄ  Ｓ  Ｕ  Ｕ  Ｕとなる。
【００６０】
[0085]ｅＮＢ７０２は、アンライセンススペクトルを獲得するのに時間期間８６０を使用し得、次いで、フレーム８１２の送信の開始を指示するために、サブフレーム期間８７５に先立って、ＳＣＣ７０８上でチャネル予約およびアクセス指示信号８６１を送信する。チャネル予約およびアクセス指示信号８６１を検出すると、ＵＥ７０４は、フレーム８１２のサブフレーム８４５〜８４９およびフレーム８１４のサブフレーム８５０〜８５４の次のサブフレーム（たとえば、サブフレーム８４５）において、ｅＮＢ７０２と通信し始める。いくつかの状況では、ｅＮＢ７０２は、アンライセンススペクトルを獲得するのに、比較的長い時間がかかり得る。たとえば、時間期間８６０はサブフレーム期間８７５〜８７７を占有し得る。したがって、ＵＥ７０４は、フレーム８１２のサブフレーム８４８においてｅＮＢ７０２と通信し始める。一技法では、ＳＣＣ７０８上でのｅＮＢ７０２とＵＥ７０４との間の通信は、ｅＮＢ７０２からＵＥ７０４に対して、ダウンリンクサブフレームにおいて開始するよう求められ得る。したがって、ｅＩＭＴＡ構成に関連付けられた１０個のサブフレームのうちの最初の連続するダウンリンクサブフレームは、ｅＮＢ７０２に、アンライセンススペクトルを獲得するためのより多くの機会を提供し、次いで、ｅＮＢ７０２とＵＥ７０４との間の通信が遅延なく迅速に開始するように、ＵＥ７０４にダウンリンクサブフレームを直ちに送信し得る。さらに、ｅＮＢ７０２は、フレーム８１３のサブフレーム８３５中で別のｅＩＭＴＡ構成を送信することができる。ｅＩＭＴＡ構成を受信すると、ＵＥ７０４は、サブフレーム８５５において始まるｎ個のサブフレームに、ｅＩＭＴＡ構成を適用する（ここで、ｎは、所定の整数値、たとえば、１０もしくは１１、またはＲＲＣもしくはＭＡＣシグナリングによりシグナリングされる値であり得る）。
【００６１】
[0086]図９は、別の構成におけるＰＣＣおよびＳＣＣ上でのＵＥとｅＮＢとの間のワイヤレス通信を示す図９００である。ＰＣＣ７０６は、フレーム期間９９２および９９４とそれぞれ重なるフレーム９１１および９１３とともに示されている。フレーム９１１は、サブフレーム期間９７０〜９７９とそれぞれ重なるサブフレーム９２０〜９２９を含む。フレーム９１３は、サブフレーム期間９８０〜９８９とそれぞれ重なるサブフレーム９３０〜９３９を含む。ＳＣＣ７０８は、フレーム期間９９４および９９６とそれぞれ重なるフレーム９１２および９１４とともに示されている。フレーム９１２は、サブフレーム期間９８１〜９８９とそれぞれ重なるサブフレーム９４１〜９４９を含む。干渉時間期間９６０ならびにチャネル予約およびアクセス指示信号９６１（たとえば、Ｄ−ＣＵＢＳ）が、フレーム９１２に先行する。フレーム９１４は、フレーム期間９９６と重なるサブフレーム９５０〜９５９を含む。
【００６２】
[0087]この構成において、ｅＩＭＴＡ構成は、ＳＣＣ７０８上の複数のフレームに適用されるべきであるサブフレームの割振りを指示する。たとえば、ｅＩＭＴＡ構成の周期（Ｔ）は、２０、４０、または８０個のサブフレームであってよい（すなわち、Ｔ＝２０、４０、または８０）。一技法では、ＰＣＣ７０６上の（ｍＴ／１０）番目のフレーム（すなわち、（ｍＴ／１０）番目のフレーム期間内のフレーム）中のサブフレーム中で指示されるｅＩＭＴＡ構成が、ＳＣＣ７０８上の（ｍＴ／１０＋１）番目、（ｍＴ／１０＋２）番目、．．．、（（ｍ＋１）Ｔ／１０）番目のフレームのために使われるべきである。ｍは０よりも大きい整数である。この例では、ｅＩＭＴＡ構成は、フレーム期間９９２中に送信されるフレーム９１１のサブフレーム中に含められ得る。ｅＩＭＴＡ構成は、ｅＩＭＴＡ構成が、それぞれ、後続フレーム期間９９４およびフレーム期間９９６中にＳＣＣ７０８上で送信されるフレーム９１２およびフレーム９１４に適用されるべきであることを示す。上記で説明したように、ｅＮＢ７０２は、時間期間９６０中にアンライセンススペクトルを獲得し、次いで、フレーム９１２の開始をＵＥ７０４に知らせるために、ＳＣＣ７０８上でチャネル予約およびアクセス指示信号９６１を送信する。フレーム９１２の開始を検出すると、ＵＥ７０４は、図７〜図８に関して上述したのと同様に、ｅＩＭＴＡ構成に従ってフレーム９１２を通信する。その後、ＵＥ７０４は同様に、フレーム９１４の開始を検出し得る。フレーム９１４の開始を検出すると、ＵＥ７０４は、ｅＩＭＴＡ構成に従ってフレーム９１４を通信する。
【００６３】
[0088]図７を再び参照すると、一シナリオでは、ｅＩＭＴＡ構成は、Ｄ  Ｄ  Ｄ  Ｓ  Ｕ  Ｕ  Ｕ  Ｕ  Ｕ  Ｓという割振りを指示し得る。上述したように、部分的フレーム７１２の送信は、ダウンリンクサブフレームにおいて始まる。ｅＮＢ７０２が、たとえば、サブフレーム期間７７４までチャネルアクセスを取得しない場合、ＵＥ７０４は、ダウンリンクサブフレームを検出せず、フレーム期間７９２中にｅＮＢ７０２と通信しない。したがって、サブフレーム期間７７４〜７７９は、これらの期間中のサブフレームはアップリンクサブフレームであるとｅＮＢ７０２が宣言しているので、浪費され得る。一技法では、ＵＥ７０４が、受信されたｅＩＭＴＡ構成が有効でないと決定した場合、ＵＥ７０４は、次の数個のサブフレームがダウンリンクサブフレームであると仮定し得る。この例では、ＵＥ７０４は、サブフレーム７４４〜７４９がダウンリンクサブフレームであると仮定し得る。したがって、ｅＮＢ７０２は、ＵＥ７０４の仮定を意識して、たとえば、サブフレーム期間７７４中に、アンライセンススペクトルを獲得した後、サブフレーム７４４〜７４９上で送信し得る。代替として、ＵＥ７０４はデフォルトｅＩＭＴＡ構成を有する場合があり、ｅＮＢ７０２およびＵＥ７０４はこのシナリオにおいてデフォルトｅＩＭＴＡ構成を使うことができる。別の技法では、上記シナリオにおいて、ＵＥ７０４は、次の無線フレーム（すなわち、フレーム７１４）の開始まで、ｅＮＢ７０２が非アクティブであると仮定し得る。
【００６４】
[0089]別のシナリオでは、サブフレーム中のアップリンク許可は、ｅＩＭＴＡ構成と合致しない場合がある。たとえば、ｅＩＭＴＡ構成は、部分的フレーム７１２用にＤ  Ｄ  Ｄ  Ｄ  Ｄ  Ｄ  Ｄ  Ｓ  Ｕ  Ｕという割振りを指示し得る。ただし、ＵＥ７０４はその後、サブフレーム７４６についてのアップリンク許可を検出し、この許可は、ｅＩＭＴＡ構成によるサブフレーム７４６についてのダウンリンクサブフレーム割振りと衝突（conflict）する。一技法では、ＵＥ７０４は、アップリンク許可に従って動作し得る。つまり、アップリンク許可はｅＩＭＴＡ構成に優先する（overrides）。別の技法では、ＵＥ７０４は、衝突するアップリンク許可はフォールスアラームであると仮定し得る。
【００６５】
[0090]別のシナリオでは、ＵＥ７０４は、たとえば、ｅＮＢ７０２から、フレーム７１３のサブフレーム７３０中でｅＩＭＴＡ構成を受信する。同時に、ＵＥ７０４は、ダウンリンクサブフレームであるサブフレーム７５０を、ＳＣＣ７０８上で受信する。さらに、ｅＩＭＴＡ構成は、サブフレーム７５１を、たとえば、ダウンリンクサブフレームまたは特殊サブフレームとして割り振ることができ、ＵＥ７０４は、ｅＩＭＴＡ構成の割振りに従ってｅＮＢ７０２とサブフレーム７５１を通信するために、通常は約１ｍｓであるサブフレーム期間７８０中にｅＩＭＴＡ構成を処理する必要がある。ＵＥ７０４が、ｅＩＭＴＡ構成を処理し、サブフレーム７５１用の割振りを決定するのに、サブフレーム期間７８０よりも長い時間期間がかかる場合、ＵＥ７０４は、サブフレーム７５１を使用することができない可能性がある。
【００６６】
[0091]たとえば、一技法では、ＵＥ７０４が、ｅＩＭＴＡ構成を処理するのに１．５ｍｓを必要とする場合、ｅＮＢ７０２は、ｅＩＭＴＡ構成が最初の２つのサブフレームをダウンリンクサブフレームとして割り振ることを、ＵＥ７０４に知らせればよい。したがって、サブフレーム７３０中でｅＩＭＴＡ構成を受信すると、ＵＥ７０４は、ｅＩＭＴＡ構成を処理するのに、サブフレーム期間７８０〜７８１を使うことができる。言い換えると、ｅＮＢ７０２は、ＵＥ７０４に十分な処理時間を与えるために、ＵＥ７０４によってｅＩＭＴＡ構成を処理するのに必要とされる時間期間に従って、いくつかの最初のサブフレーム（たとえば、２、３、または４つのサブフレーム）をダウンリンクサブフレームとして割り振る。
【００６７】
[0092]代替として、ＵＥ７０４は、処理時間期間中に受信されたサブフレームをバッファリングし、ＵＥ７０４が、バッファリングされたサブフレームの割振りを決定するためにｅＩＭＴＡ構成を処理した後、バッファリングされたサブフレームを処理することができる。たとえば、サブフレーム７３０中でｅＩＭＴＡ構成を受信すると、ＵＥ７０４は、サブフレーム７５０がダウンリンクサブフレームであることを知り、サブフレーム７５１をバッファリングし、ＵＥ７０４がｅＩＭＴＡ構成を処理するまで、サブフレーム７５１を処理するのを遅延させ得る。
【００６８】
[0093]別の技法では、ｅＮＢ７０２は、フレーム７１４用のｅＩＭＴＡ構成をフレーム７１１中で送信することができ、したがって、ＵＥ７０４に、ｅＩＭＴＡ構成を処理するための十分な時間を与える。言い換えると、ｅＮＢ７０２は、そのフレーム期間に先行するフレーム期間中のフレーム期間中に使われるべきｅＩＭＴＡ構成を送信する。
【００６９】
[0094]図１０は、別の構成におけるＰＣＣおよびＳＣＣ上でのＵＥとｅＮＢとの間のワイヤレス通信を示す図１０００である。ＰＣＣ７０６は、フレーム期間１０９２および１０９４とそれぞれ重なるフレーム１０１１および１０１３とともに示されている。フレーム１０１１は、サブフレーム期間１０７０〜１０７９とそれぞれ重なるサブフレーム１０２０〜１０２９を含む。フレーム１０１３は、サブフレーム期間１０８０〜１０８９とそれぞれ重なるサブフレーム１０３０〜１０３９を含む。ＳＣＣ７０８は、フレーム期間１０９２および１０９４とそれぞれ重なるフレーム１０１２および１０１４とともに示されている。フレーム１０１２は、サブフレーム期間１０７７〜１０７９とそれぞれ重なるサブフレーム１０４７〜１０４９を含む。発見信号１０６７、干渉時間期間１０６０ならびにチャネル予約およびアクセス指示信号１０６１（たとえば、Ｄ−ＣＵＢＳ）が、フレーム１０１２に先行する。フレーム１０１４は、サブフレーム期間１０８０〜１０８９とそれぞれ重なるサブフレーム１０５０〜１０５９を含む。発見ウィンドウ１０６４はサブフレーム期間１０７０〜１０８４と重なる。
【００７０】
[0095]この構成において、ｅＮＢ７０２は、アンライセンススペクトルにおけるＳＣＣ７０８上で、発見ウィンドウにおいて１つまたは複数の発見信号を定期的に送信することができる。たとえば、ｅＮＢ７０２は、１５個のサブフレーム期間を占有する発見ウィンドウ１０６４を割り振ることができる。特に、発見ウィンドウ１０６４は、フレーム期間１０９２のサブフレーム期間１０７０から始まり、フレーム期間１０９４のサブフレーム期間１０８４において終わる。この例では、ｅＮＢ７０２は、発見ウィンドウ１０６４において、ＳＣＣ７０８上で１つまたは複数の発見信号１０６７を送信する。１つまたは複数の発見信号１０６７は、ＳＣＣ７０８上で干渉時間期間１０６０と重なり得る。
【００７１】
[0096]一技法では、ｅＮＢ７０２は、ＰＣＣ７０６上でフレーム期間１０９２中に送信されるフレーム１０１１のサブフレーム１０２０中でｅＩＭＴＡ構成を送信し得る。ｅＩＭＴＡ構成は、１つのフレーム（たとえば、フレーム期間１０９２中に送信されるフレーム）中で適用されるべきサブフレームの割振りを指示し得る。さらに、ｅＮＢ７０２は、サブフレーム期間１０７０〜１０７６中に、１つまたは複数の発見信号を送信し終えた後、チャネル予約およびアクセス指示信号１０６１を送信する。チャネル予約およびアクセス指示信号１０６１を受信すると、ＵＥ７０４は、フレーム１０１２の送信が、サブフレーム期間１０７７の始めに開始すると決定し得る。代替として、ｅＮＢ７０２は、サブフレーム期間１０７７中に送信されるフレーム１０１１のサブフレーム１０２７（すなわち、チャネル予約およびアクセス指示信号１０６１の後の第１のダウンリンクサブフレーム）中でｅＩＭＴＡ構成を送信し得る。ＵＥ７０４は次いで、ｅＩＭＴＡ構成に従って、フレーム１０１２を処理し、通信する。さらに、ｅＮＢ７０２は、ＰＣＣ７０６上でフレーム期間１０９４中に送信されるフレーム１０１３のサブフレーム１０３０中でｅＩＭＴＡ構成を送信する。ｅＩＭＴＡ構成を受信すると、ＵＥ７０４は、フレーム期間１０９４中にＳＣＣ７０８上で送信されるフレーム１０１４にｅＩＭＴＡ構成を適用する。
【００７２】
[0097]さらに、上記で説明したように、ＵＥ７０４が、ｅＩＭＴＡ構成中で指示されたダウンリンクサブフレーム中でチャネル予約およびアクセス指示信号１０６１を検出しない場合、ＵＥ７０４は、現在のフレーム中のｅＩＭＴＡ構成を、前に受信されたＲＲＣメッセージ中で指示されたデフォルト構成でオーバーライド（override）し得る。
【００７３】
[0098]図１１は、別の構成におけるＰＣＣおよびＳＣＣ上でのＵＥとｅＮＢとの間のワイヤレス通信を示す図１１００である。ＰＣＣ７０６は、フレーム期間１１９２および１１９４とそれぞれ重なるフレーム１１１１および１１１３とともに示されている。フレーム１１１１は、サブフレーム期間１１７０〜１１７９とそれぞれ重なるサブフレーム１１２０〜１１２９を含む。フレーム１１１３は、サブフレーム期間１１８０〜１１８９とそれぞれ重なるサブフレーム１１３０〜１１３９を含む。ＳＣＣ７０８は、それぞれ、フレーム期間１１９２および１１９４内に始まる仮想フレーム１１１２および１１１４とともに示されている。仮想フレーム１１１２は、サブフレーム期間１１７２〜１１８１とそれぞれ重なるサブフレーム１１４０〜１１４９を含む。干渉時間期間１１６０ならびにチャネル予約およびアクセス指示信号１１６１（たとえば、Ｄ−ＣＵＢＳ）が、仮想フレーム１１１２に先行する。仮想フレーム１１１４は、サブフレーム期間１１８４中に始まるサブフレーム１１５０〜１１５９を含み得る。干渉時間期間１１６４ならびにチャネル予約およびアクセス指示信号１１６５（たとえば、Ｄ−ＣＵＢＳ）が、フレーム１１１４に先行する。
【００７４】
[0099]この構成では、ｅＮＢ７０２は、ＰＣＣ７０６上で、フレーム１１１１のサブフレーム１１２０中でｅＩＭＴＡ構成を送信し得る。ｅＩＭＴＡ構成は、１つまたは複数のフレーム期間（すなわち、ｅＩＭＴＡ構成期間）中にＳＣＣ７０８上のフレームに適用されるべきサブフレームの割振りを指示し得る。この例では、ｅＩＭＴＡ構成は、フレーム期間１１９２とフレーム期間１１９４とを含むｅＩＭＴＡ構成期間に適用されるべきである。上記で説明したように、ｅＮＢ７０２は、アンライセンススペクトルを獲得するのに、時間期間１１６０を使うことができる。アンライセンススペクトルを獲得した後、この構成において、ｅＮＢ７０２は、フレーム期間１１９２中に始まってフレーム期間１１９４中に終わる完全長フレームである仮想フレーム１１１２の開始をＵＥ７０４に知らせるために、ＳＣＣ７０８上でチャネル予約およびアクセス指示信号１１６１を送信することができる。この例では、仮想フレーム１１１２は、サブフレーム期間１１７３において始まり、サブフレーム期間１１８１において終わるか、またはサブフレームアライメントにかかわらず、Ｄ−ＣＵＢＳが完了すると始まり、１つのフレーム後で終わり得る。したがって、チャネル予約およびアクセス指示信号１１６１を受信すると、ＵＥ７０４は、仮想フレーム１１１２が、サブフレーム期間１１７３の始めに開始すると決定し得る。ＵＥ７０４は次いで、ｅＩＭＴＡ構成に従って、仮想フレーム１１１２を処理し、通信する。
【００７５】
[00100]仮想フレーム１１１２を通信した後、ｅＮＢ７０２は、現在時間が依然としてｅＩＭＴＡ構成期間内であると決定することができ、したがって、アンライセンススペクトルを再度獲得するのに時間期間１１６４を使うことができる。アンライセンススペクトルを獲得した後、ｅＮＢ７０２は、仮想フレーム１１１４の開始をＵＥ７０４に知らせるために、ＳＣＣ７０８上でチャネル予約およびアクセス指示信号１１６５を送信することができる。一技法では、仮想フレーム１１１４は、フレーム期間１１９４中に始まって、フレーム期間１１９４に続くフレーム期間１１９６中に終わる、完全長フレームであり得る。言い換えると、仮想フレーム１１１４はサブフレーム１１５０〜１１５９を含む。別の技法では、仮想フレーム１１１４は、フレーム期間１１９４の境界（すなわち、ｅＩＭＴＡ構成期間の最後（end））において終わり得る。言い換えると、仮想フレーム１１１４はサブフレーム１１５０〜１１５５を含む。
【００７６】
[00101]さらに、フレーム期間１１９６が、上記で説明した発見ウィンドウとして割り振られ、フレーム期間１１９６中の仮想フレーム１１１４のサブフレーム（すなわち、サブフレーム１１５６〜１１５９）が、発見ウィンドウと干渉し得る１つまたは複数のアップリンクサブフレームであるとき、ｅＮＢ７０２および／またはＵＥ７０４は、フレーム期間１１９４の境界において仮想フレーム１１１４を打ち切る（truncate）ことができる。さらに、ＵＥ７０４は、発見ウィンドウに相対した仮想フレーム１１１４の開始位置と、ｅＩＭＴＡ構成とに基づいて、仮想フレーム１１１４を打ち切るかどうかを決定することができる。
【００７７】
[00102]図１２は、ある構成におけるキャリア上でのＵＥとｅＮＢとの間のワイヤレス通信を示す図１２００である。ｅＮＢ１２０２が、ＴＤＤモードで、キャリア１２０８上でＵＥ１２０４と通信する。連続フレーム期間１２９２および１２９４が、それぞれ、サブフレーム期間１２７０〜１２７９およびサブフレーム期間１２８０〜１２８９を有する。キャリア１２０８は、フレーム期間１２９２および１２９４とそれぞれ重なるフレーム１２１２および１２１４とともに示されている。フレーム１２１２は、サブフレーム期間１２７１〜１２７９とそれぞれ重なるサブフレーム１２４１〜１２４９を含む。干渉時間期間１２６０ならびにチャネル予約およびアクセス指示信号１２６１（たとえば、Ｄ−ＣＵＢＳ）が、フレーム１２１２に先行する。フレーム１２１４は、サブフレーム期間１２８０〜１２８９とそれぞれ重なるサブフレーム１２５０〜１２５９を含む。上記で説明したように、キャリア１２０８上で送信されるフレームは、ｅＩＭＴＡ構成に従って、ダウンリンクサブフレーム（Ｄ）、アップリンクサブフレーム（Ｕ）、および／または特殊サブフレーム（Ｓ）を有し得る。さらに、キャリア１２０８は、アンライセンススペクトル中にある。
【００７８】
[00103]ＵＥ１２０４は、たとえば、ライセンススペクトル中のキャリア上でｅＮＢ１２０２によって送信される同期情報に基づいて、ｅＮＢ１２０２によって使われるのフレーム期間を決定し得る。キャリア１２０８上でＵＥ１２０４とデータを通信することを決定すると、ｅＮＢ１２０２は、アンライセンススペクトルを共有するＲＡＴの予約機構を使って、アンライセンススペクトルを獲得しようと試みる。たとえば、アンライセンススペクトルがＩＥＥＥ８０２．１１によって共有される場合、ｅＮＢ１２０２は、アンライセンススペクトルを獲得するのに、様々な媒体アクセス／ランダムアクセス手順を使うことができる。ｅＮＢ１２０２は、アンライセンススペクトルを獲得するのに、時間期間１２６０だけかかり得る。アンライセンススペクトルを獲得した後、ｅＮＢ１２０２は、次のサブフレーム期間中に、ＵＥ１２０４とデータを通信し始めてよい。この例では、時間期間１２６０は、フレーム期間１２９２のサブフレーム期間１２７０内にある。その後、ｅＮＢ１２０２は、サブフレーム１２４１〜１２４９を含むフレーム１２１２の開始をＵＥ１２０４に知らせるために、キャリア１２０８上でチャネル予約およびアクセス指示信号１２６１を送信する。ｅＮＢ１２０２は、フレーム１２１２のサブフレーム中でｅＩＭＴＡ構成を送信することができる。一技法では、フレーム１２１２はダウンリンクサブフレームで始まる。
【００７９】
[00104]一オプションにおいて、ｅＩＭＴＡ構成は、ｅＩＭＴＡ構成の周期（Ｔ）が１０個のサブフレームである（すなわち、Ｔ＝１０）ことを示す。一技法において、ｅＮＢ１２０２は、フレーム１２１２のどのダウンリンクサブフレーム中でもｅＩＭＴＡ構成を送信することができる。ｅＩＭＴＡ構成は、割振りが、フレーム１２１２に続くフレーム１２１４に対して使われるべきであることをさらに示す。
【００８０】
[00105]一技法では、ＵＥ１２０４が、フレーム１２１２中ではｅＩＭＴＡ構成を検出することができないが、フレーム１２１４の最初のダウンリンクサブフレーム（たとえば、サブフレーム１２５０）中ではｅＩＭＴＡ構成を検出することができる場合、ＵＥ１２０４は、最初のダウンリンクサブフレーム中のｅＩＭＴＡ構成中で指示された割振りをフレーム１２１４用に使用し得る。代替的に、ＵＥ１２０４は、ｅＳＩＢ中で送られるデフォルトｅＩＭＴＡ構成において指示される割振りを、フレーム１２１４用に使うこともできる。
【００８１】
[00106]別の技法では、ｅＮＢ１２０２は、フレーム１２１２の第１のダウンリンクサブフレーム（すなわち、サブフレーム１２４１）中でｅＩＭＴＡ構成を送信する。ｅＩＭＴＡ構成は、割振りが現在のフレーム用であることを示し得る。フレーム１２１２の第１のダウンリンクサブフレーム（すなわち、サブフレーム１２４１）中でｅＩＭＴＡ構成を受信すると、ＵＥ１２０４は、ｅＩＭＴＡ構成を処理し、ｅＩＭＴＡ構成において指示された割振りに従って、残りのサブフレーム（すなわち、サブフレーム１２４２〜１２４９）を通信する。
【００８２】
[00107]図１３は、別の構成におけるキャリア上でのＵＥとｅＮＢとの間のワイヤレス通信を示す図１３００である。連続フレーム期間１３９２および１３９４が、それぞれ、サブフレーム期間１３７０〜１３７９およびサブフレーム期間１３８０〜１３８９を有する。フレーム期間１３９６が、フレーム期間１３９４に後続する。キャリア１２０８は、それぞれ、フレーム期間１３９２、１３９４および１３９６と重なるフレーム１３１１、１３１２および１３１４とともに示されている。フレーム１３１１は、サブフレーム期間１３７１〜１３７９とそれぞれ重なるサブフレーム１３２１〜１３２９を含む。干渉時間期間１３６０ならびにチャネル予約およびアクセス指示信号１３６１（たとえば、Ｄ−ＣＵＢＳ）が、フレーム１３１１に先行する。フレーム１３１２は、サブフレーム期間１３８０〜１３８９とそれぞれ重なるサブフレーム１３４０〜１３４９を含む。フレーム１３１４は、フレーム期間１３９６と重なるサブフレーム１３５０〜１３５９を含む。
【００８３】
[00108]この構成において、ｅＩＭＴＡ構成は、キャリア１２０８上の複数のフレームに適用されるべきであるサブフレームの割振りを指示する。たとえば、ｅＩＭＴＡ構成の周期（Ｔ）は、２０、４０、または８０個のサブフレームを有する（すなわち、Ｔ＝２０、４０、または８０）ｅＩＭＴＡ構成期間を指示し得る。一技法では、現在のｅＩＭＴＡ構成期間中にある（ｍＴ／１０）番目のフレーム（すなわち、（ｍＴ／１０）番目のフレーム期間中のフレーム）中のサブフレーム中で指示されるｅＩＭＴＡ構成が、次のｅＩＭＴＡ構成期間中にある（ｍＴ／１０＋１）番目、（ｍＴ／１０＋２）番目、．．．、（ｍ＋１）Ｔ／１０）番目のフレーム用に使われるべきである。Ｍは０よりも大きい整数である。この例では、ｅＩＭＴＡ構成は、フレーム期間１３９２中に送信されるフレーム１３１１のサブフレーム中に含められてよく、ｅＩＭＴＡ構成期間がフレーム期間１３９４とフレーム期間１３９６とを含むことを示し得る。言い換えると、ｅＩＭＴＡ構成は、ｅＩＭＴＡ構成が、それぞれ、後続フレーム期間１３９４およびフレーム期間１３９６中にキャリア１２０８上で送信されるフレーム１３１２およびフレーム１３１４に適用されるべきであることを示す。上記で説明したように、ｅＮＢ１２０２は、時間期間１３６０中にアンライセンススペクトルを獲得し、次いで、フレーム１３１１の開始をＵＥ１２０４に知らせるために、キャリア１２０８上でチャネル予約およびアクセス指示信号１３６１を送信する。
【００８４】
[00109]一技法では、ｅＮＢ１２０２は、そのｅＩＭＴＡ構成期間内に始まるフレームすべてのためのサブフレーム割振りを指示するために、１つのｅＩＭＴＡ構成期間中に送信される第１のフレームの物理フレームフォーマットインジケータチャネル（ＰＦＦＩＣＨ）中でｅＩＭＴＡ構成を送ることができる。ＰＦＦＩＣＨは、各フレームの最初に送信され得る。この例では、ｅＩＭＴＡ構成は、フレーム１３１２のＰＦＦＩＣＨ中で送られてよく、フレーム１３１２とフレーム１３１４の両方に当てはまり得る。任意選択で、ｅＮＢ１２０２は、ｅＩＭＴＡ構成期間内に始まる各フレームのＰＦＦＩＣＨ中でｅＩＭＴＡ構成を送ることができる。
【００８５】
[00110]別の技法では、ｅＮＢ１２０２は、次のｅＩＭＴＡ構成期間内に始まるフレーム（たとえば、フレーム１３１２、１３１４）すべてのためのサブフレーム割振りを指示するために、現在のｅＩＭＴＡ構成期間内に始まる最終フレーム（たとえば、フレーム１３１１）のＰＦＦＩＣＨ中でｅＩＭＴＡ構成を送ることができる。
【００８６】
[00111]ＵＥ１２０４が、フレーム１３１１中ではｅＩＭＴＡ構成を検出することができないが、フレーム１３１２の最初のダウンリンクサブフレーム中でｅＩＭＴＡ構成を検出することができる場合、ＵＥ１２０４は、フレーム１３１２とフレーム１３１４（すなわち、周期内のフレーム）の両方のための最初のダウンリンクサブフレーム中のｅＩＭＴＡ構成において指示される割振りを使えばよい。代替的に、ＵＥ１２０４は、ｅＳＩＢ中で送られるデフォルトｅＩＭＴＡ構成において指示される割振りを、フレーム１３１２とフレーム１３１４の両方に使うことができる。
【００８７】
[00112]一技法では、ＵＥ１２０４は、ｅＮＢ１２０２が現在のフレーム中でのみアップリンク許可を送信するとともにアップリンク許可が複数のフレームに渡って有効でないときにサブフレームにおいて衝突があるとき、アップリンク許可がｅＩＭＴＡ構成に優先するように構成される。
【００８８】
[00113]別の技法では、ｅＩＭＴＡ構成は、フレーム１３１１の複数のダウンリンクサブフレーム中で送信され得る。たとえば、ｅＮＢ１２０２は、サブフレーム１３２１、サブフレーム１３２３、およびサブフレーム１３２５中でｅＩＭＴＡ構成を送信することができる。ＵＥ１２０４は、単一のフレームの複数のダウンリンクサブフレーム中で検出されたｅＩＭＴＡ構成が同じであり、同じ割振りを指示すると仮定し得る。
【００８９】
[00114]別の技法では、ｅＮＢ１２０２はＰＦＦＩＣＨ中でｅＩＭＴＡ構成を送ることができ、この構成は、どの前に送られたｅＩＭＴＡ構成にも優先する。さらに別の技法では、ｅＮＢ１２０２は、ＤＣＩフォーマット１ＣでｅＩＭＴＡ構成を送るのに、共通探索空間ベースの拡張物理ダウンリンク制御チャネル（ＥＰＤＣＣＨ）を使うことができる。
【００９０】
[00115]図１４は、別の構成におけるキャリア上でのＵＥとｅＮＢとの間のワイヤレス通信を示す図１４００である。連続フレーム期間１４９２および１４９４が、それぞれ、サブフレーム期間１４７０〜１４７９およびサブフレーム期間１４８０〜１４８９を有する。フレーム期間１４９６が、フレーム期間１４９４に後続する。キャリア１２０８は、それぞれ、フレーム期間１４９２および１４９４で始まる仮想フレーム１４１２および１４１４とともに示されている。仮想フレーム１４１２は、サブフレーム期間１４７２〜１４８１とそれぞれ重なるサブフレーム１４４０〜１４４９を含む。干渉時間期間１４６０ならびにチャネル予約およびアクセス指示信号１４６１（たとえば、Ｄ−ＣＵＢＳ）が、仮想フレーム１４１２に先行する。仮想フレーム１４１４は、期間１４９４および１４９６と重なるサブフレーム１４５０〜１４５９を含み得る。干渉時間期間１４６４ならびにチャネル予約およびアクセス指示信号１４６５（たとえば、Ｄ−ＣＵＢＳ）が、仮想フレーム１４１４に先行する。
【００９１】
[00116]この構成において、ｅＮＢ１２０２は、アンライセンススペクトルを獲得するのに、時間期間１４６０を使うことができる。アンライセンススペクトルを獲得した後、ｅＮＢ１２０２は、仮想フレーム１４１２の開始をＵＥ１２０４に知らせるために、キャリア１２０８上でチャネル予約およびアクセス指示信号１４６１を送信することができる。この例では、チャネル予約およびアクセス指示信号１４６１は、フレーム期間１４９２のサブフレーム期間１４７３に先立って送信される。したがって、チャネル予約およびアクセス指示信号１４６１を受信すると、ＵＥ１２０４は、仮想フレーム１４１２が、サブフレーム期間１４７３の始めに開始すると決定することができる。さらに、ｅＮＢ１２０２は、仮想フレーム１４１２のサブフレーム中でｅＩＭＴＡ構成を送信し得る。ｅＩＭＴＡ構成は、１つまたは複数のフレーム期間（すなわち、ｅＩＭＴＡ構成期間）中にキャリア１２０８上のフレームに適用されるべきサブフレームの割振りを指示し得る。この例では、ｅＩＭＴＡ構成は、フレーム期間１４９２および後続フレーム期間１４９４に適用されるべきである。ｅＮＢ１２０２は、仮想フレーム１４１２が、フレーム期間１４９２中に始まってフレーム期間１４９４中に終わる完全長フレームであると決定し得る。この例では、仮想フレーム１４１２は、フレーム期間１０９２のサブフレーム期間１４７３において始まり、フレーム期間１４９４のサブフレーム期間１４８１において終わる。ＵＥ１２０４は次いで、ｅＩＭＴＡ構成に従って、仮想フレーム１４１２を処理し、通信する。
【００９２】
[00117]仮想フレーム１４１２を通信した後、ｅＮＢ１２０２は、フレーム期間１４９４内で、アンライセンススペクトルを再度獲得するのに時間期間１４６４を使用し得る。次いで、ｅＮＢ１２０２は、仮想フレーム１４１４の開始をＵＥ１２０４に知らせるために、キャリア１２０８上でチャネル予約およびアクセス指示信号１４６５を送信することができる。一技法では、仮想フレーム１４１４は、フレーム期間１４９４中に始まって、フレーム期間１４９４に続くフレーム期間１４９６中に終わる、完全長フレームであり得る。言い換えると、仮想フレーム１４１４はサブフレーム１４５０〜１４５９を含む。別の技法では、仮想フレーム１４１４は、フレーム期間１４９４の境界（すなわち、ｅＩＭＴＡ構成期間の最後）において終わり得る。言い換えると、仮想フレーム１４１４はサブフレーム１４５０〜１４５５を含む。
【００９３】
[00118]一技法では、ｅＮＢ１２０２は、そのｅＩＭＴＡ構成期間内に始まる仮想フレームすべてのためのサブフレーム割振りを指示するために、１つのｅＩＭＴＡ構成期間中に送信される第１のフレームのＰＦＦＩＣＨ中でｅＩＭＴＡ構成を送ることができる。ＰＦＦＩＣＨは、各仮想フレームの最初に送信され得る。この例では、ｅＩＭＴＡ構成は、仮想フレーム１４１２のＰＦＦＩＣＨ中で送られてよく、仮想フレーム１４１２と仮想フレーム１４１４の両方に当てはまり得る。任意選択で、ｅＮＢ１２０２は、ｅＩＭＴＡ構成期間内に始まる各仮想フレームのＰＦＦＩＣＨ中でｅＩＭＴＡ構成を送ることができる。
【００９４】
[00119]別の技法では、ｅＮＢ１２０２は、次のｅＩＭＴＡ構成期間内に始まる仮想フレームすべてのためのサブフレーム割振りを指示するために、現在のｅＩＭＴＡ構成期間内に始まる最終仮想フレーム（たとえば、仮想フレーム１４１４）のＰＦＦＩＣＨ中でｅＩＭＴＡ構成を送ることができる。
【００９５】
[00120]さらに、フレーム期間１４９６が、上記で説明した発見ウィンドウとして割り振られ、フレーム期間１４９６中の仮想フレーム１４１４のサブフレーム（すなわち、サブフレーム１４５６〜１４５９）が、発見ウィンドウと干渉し得る１つまたは複数のアップリンクサブフレームであるとき、ｅＮＢ１２０２および／またはＵＥ１２０４は、フレーム期間１４９４の境界において仮想フレーム１４１４を打ち切ることができる。さらに、ＵＥ１２０４は、発見ウィンドウに相対した仮想フレーム１４１４の開始位置と、ｅＩＭＴＡ構成とに基づいて、仮想フレーム１４１４を打ち切るかどうかを決定することができる。
【００９６】
[00121]ＵＥ１２０４が、仮想フレーム１４１２中のすべてのダウンリンクサブフレームについてｅＩＭＴＡ−ＲＮＴＩを紛失（miss）した場合、ＵＥ１２０４は、前に受信されたＲＲＣメッセージ中で指示されたデフォルト構成を使用し得る。さらに、ＵＥ１２０４は、各仮想フレーム中でｅＩＭＴＡ構成をシグナリングするために、チャネル予約およびアクセス指示信号（たとえば、ＣＵＢＳ）とともに送信される拡張物理フレームフォーマットインジケータチャネル（ｅＰＦＦＩＣＨ）を使うことができる。
【００９７】
[00122]図１５は、ＰＣＣおよびＳＣＣ上でのＵＥのワイヤレス通信の方法のフローチャート１５００である。本方法は、ＵＥ（たとえば、ＵＥ７０４、装置２３０２／２３０２’）によって実施され得る。
【００９８】
[00123]動作１５１３において、ＵＥは、基地局から、ＰＣＣ上の第１のフレーム中でＳＣＣについての第１の構成情報を受信する。ＰＣＣは、ライセンススペクトル中にある。ＳＣＣは、アンライセンススペクトル中にある。第１の構成情報は、ＳＣＣ上の少なくとも１つのフレームについての第１のサブフレーム割振りを示す。たとえば、図７を参照すると、ＵＥ７０４は、ｅＮＢ７０２から、ＳＣＣ７０８についてのｅＩＭＴＡ構成をＰＣＣ７０６上のフレーム７１１中で受信する。
【００９９】
[00124]動作１５１６において、一構成では、ＵＥは、ＳＣＣ上の第１のフレーム中の少なくとも１つのサブフレームを占有する発見ウィンドウにおいて、ＳＣＣ上で１つまたは複数の発見信号を受信し得る。たとえば、図１０を参照すると、ＵＥ７０４は、ＳＣＣ７０８上で、発見ウィンドウ１０６４において１つまたは複数の発見信号を受信し得る。
【０１００】
[00125]動作１５１９において、ＵＥは、ＳＣＣ上での基地局からのデータ送信の開始を検出しようと試みる。たとえば、図７を参照すると、ＵＥ７０４は、チャネル予約およびアクセス指示信号７６１を検出しようと試みる。
【０１０１】
[00126]一構成では、第１の構成情報は、１つのフレーム中での第１のサブフレーム割振りを指示する。１つのフレームの第１の割振りは、少なくとも１つのフレームの各フレームに適用される。たとえば、図９を参照すると、ｅＩＭＴＡ構成は、フレーム期間９９２中に送信されるフレーム９１１のサブフレーム中に含められ得る。ｅＩＭＴＡ構成は、後続フレーム期間９９４およびフレーム期間９９６中にＳＣＣ７０８上でそれぞれ送信されるフレーム９１２およびフレーム９１４にｅＩＭＴＡ構成が適用されるべきであることを示す。
【０１０２】
[00127]一構成では、第１の構成情報は、１つのフレームの最後における、複数の連続するアップリンクサブフレームを指示する。データ送信の開始を検出しようとする試みが成功しなかったとき、動作１５２３において、ＵＥは、デフォルト構成に従って、複数の連続するアップリンクサブフレームのうちの最初のサブフレームに対応する第１のフレームのサブフレームにおいて、基地局と通信し得る。たとえば、図７を参照すると、一シナリオでは、ｅＩＭＴＡ構成は、Ｄ  Ｄ  Ｄ  Ｓ  Ｕ  Ｕ  Ｕ  Ｕ  Ｕ  Ｓという割振りを指示し得る。ｅＮＢ７０２が、たとえば、サブフレーム期間７７４までチャネルアクセスを取得しない場合、ＵＥ７０４は、ダウンリンクサブフレームを検出せず、フレーム期間７９２中にｅＮＢ７０２と通信しない。ＵＥ７０４はデフォルトｅＩＭＴＡ構成を有することがあり、ｅＮＢ７０２およびＵＥ７０４は、通信するのにデフォルトｅＩＭＴＡ構成を使用することができる。
【０１０３】
[00128]一構成では、ダウンリンクサブフレームの受信は、データ送信の開始を検出しようとする試みが成功しなかったとき、デフォルト構成に従って、発見ウィンドウでの発見信号の受信に続いて起こる。
【０１０４】
[00129]データ送信の開始を検出しようとする試みが成功したとき、ＵＥは、動作１５２６において、第１のサブフレーム割振りに従って、ＳＣＣ上の少なくとも１つのフレーム中に基地局からダウンリンクサブフレームを受信し得る。ダウンリンクサブフレームは、データ送信の最初のサブフレームであり、第１のサブフレーム割振りの開始に後続する。たとえば、図７を参照すると、ＵＥ７０４はサブフレーム７４１中にｅＮＢ７０２からダウンリンクサブフレームを受信する。
【０１０５】
[00130]一構成では、第１のサブフレーム割振りは、少なくとも１つのフレーム中での、１つまたは複数のアップリンクサブフレーム、１つまたは複数のダウンリンクサブフレーム、および１つまたは複数の特殊サブフレームの割振りを指示する。
【０１０６】
[00131]一構成では、少なくとも１つのフレームはＳＣＣ上の第１のフレームを含む。第１の構成情報は、第１のフレームの最初のサブフレーム中に、ＰＣＣ上で受信される。
【０１０７】
[00132]いくつかの構成では、動作１５２６に続いて、ＵＥは、図１６に示される１つまたは複数の動作を実施し得る。
【０１０８】
[00133]図１６は、ＰＣＣおよびＳＣＣ上でのＵＥのワイヤレス通信の別の方法のフローチャート１６００である。本方法は、図１５に示す動作１５２６に続いて、ＵＥ（たとえば、ＵＥ７０４、装置２３０２／２３０２’）によって実施され得る。
【０１０９】
[00134]一構成では、動作１６１３において、ＵＥは、アンライセンススペクトルを保持するために、ＳＣＣ上の第１のフレームの最終サブフレームにおいて、基地局にデータを送信し得、または基地局からデータを受信する。たとえば、図７を参照すると、ＵＥ７０４は、アンライセンススペクトルを保持するために、サブフレーム期間７７７〜７７９中にアンライセンススペクトル上でＵＥ７０４によって認識可能でない信号を、ｅＮＢ７０２から受信し得る。動作１６１６において、ＵＥは、ＰＣＣ上の第２のフレームの最初のサブフレームにおいて、ＳＣＣについての第２の構成情報を基地局から受信し得る。第２のフレームは、第１のフレームに後続し、かつ連続する。第２の構成情報は、ＳＣＣ上の第２のフレームについての第２のサブフレーム割振りを示す。動作１６１９において、ＵＥは基地局から第２のダウンリンクサブフレームを受信する。第２のダウンリンクサブフレームは、第２のサブフレーム割振りの開始に後続する。たとえば、図７を参照すると、ＵＥ７０４は、ＰＣＣ７０６上のフレーム７１３のサブフレーム７３０においてｅＩＭＴＡ構成を受信し得る。ＵＥ７０４は、ＳＣＣ７０８上のフレーム７１４のサブフレーム７５０においてダウンリンクサブフレームを受信し得る。
【０１１０】
[00135]一構成では、第１の構成情報は、ＳＣＣ上の第１のフレームの最初の２つのサブフレームがダウンリンクサブフレームであることを示す。
【０１１１】
[00136]一構成では、ＵＥは、動作１６２３において、ＳＣＣ上の少なくとも１つのフレームのダウンリンクサブフレームに続くサブフレームにおいて受信されたデータをバッファリングし得る。動作１６２６において、ＵＥは、ＳＣＣ上の最初のサブフレームに続くサブフレームの割振りがダウンリンクサブフレームであるか、それとも特殊サブフレームであるかを決定するために、第１の構成情報を処理し得る。動作１６２９において、ＵＥは、ＳＣＣ上の最初のサブフレームに続くサブフレームの決定された割振りに従って、バッファリングされたデータを処理し得る。たとえば、図７を参照すると、ＵＥ７０４は、処理時間期間中に受信されたサブフレームをバッファリングし、ＵＥ７０４がバッファリングされたサブフレームの割振りを決定するためにｅＩＭＴＡ構成を処理した後、バッファリングされたサブフレームを処理することができる。たとえば、サブフレーム７３０中でｅＩＭＴＡ構成を受信すると、ＵＥ７０４は、サブフレーム７５０がダウンリンクサブフレームであることを知り、サブフレーム７５１をバッファリングして、ＵＥ７０４がｅＩＭＴＡ構成を処理するまでサブフレーム７５１を処理するのを遅延させてもよい。
【０１１２】
[00137]一構成では、少なくとも１つのフレームは、第１のフレームに続くＭ個のフレームを含み得る。Ｍは１よりも大きい整数である。一構成では、第１の構成情報は、１つのフレーム中での第１のサブフレーム割振りを指示する。１つのフレームの第１の割振りは、少なくとも１つのフレームの各フレームに適用される。たとえば、図９を参照すると、ｅＩＭＴＡ構成は、フレーム期間９９２中に送信されるフレーム９１１のサブフレーム中に含められ得る。ｅＩＭＴＡ構成は、後続フレーム期間９９４およびフレーム期間９９６中にＳＣＣ７０８上でそれぞれ送信されるフレーム９１２およびフレーム９１４にｅＩＭＴＡ構成が適用されるべきであることを示す。
【０１１３】
[00138]一構成では、第１のサブフレーム割振りは、１つのフレーム中の各アップリンクサブフレームに連続して、および先立って、１つまたは複数のダウンリンクサブフレームを割り振ることができる。たとえば、図７を参照すると、一技法では、ｅＮＢ７０２は、ＳＣＣ７０８上のフレームではダウンリンクサブフレームすべてが連続し、アップリンクサブフレームすべてが連続し、さらに、ダウンリンクサブフレームがアップリンクサブフレームに先立って割り振られることをＵＥ７０４に知らせ得る。たとえば、割振りは、Ｄ  Ｄ  Ｄ  Ｄ  Ｄ  Ｓ  Ｕ  Ｕ  Ｕ  Ｓであり得る。
【０１１４】
[00139]一構成では、第１の構成情報は、１つのフレーム中の複数の連続するダウンリンクサブフレームを指示し得る。第１の構成情報は、１つのフレームの、複数の連続するダウンリンクサブフレームのうちの最初のダウンリンクサブフレームに対応する、第１のフレームのｎ番目のサブフレーム中に受信され得る。ｎは整数である。少なくとも１つのフレームは、第１のフレームと第２のフレームとを連続して含み得る。ＳＣＣ上で基地局からダウンリンクサブフレームを受信することは、第１のフレームのｎ番目のサブフレームから第２のフレームの（ｎ−１）番目のサブフレームまでの期間内に実施され得る。たとえば、図８を参照すると、ｅＩＭＴＡ構成は、フレーム８１２のサブフレーム８４５からフレーム８１４のサブフレーム８５４までに適用される。
【０１１５】
[00140]一構成では、動作１６３３において、ＵＥは、少なくとも１つのフレームに関連付けられたアップリンク許可を受信し得る。動作１６３６において、ＵＥは、アップリンク許可と第１のサブフレーム割振りとの間に衝突が存在すると決定し得る。動作１６３９において、ＵＥは、アップリンク許可に従って、少なくとも１つのフレーム中に基地局と通信し得る。たとえば、図７を参照すると、サブフレーム中のアップリンク許可は、ｅＩＭＴＡ構成と合致しない場合がある。たとえば、ｅＩＭＴＡ構成は、部分的フレーム７１２用にＤ  Ｄ  Ｄ  Ｄ  Ｄ  Ｄ  Ｄ  Ｓ  Ｕ  Ｕという割振りを指示し得る。ただし、ＵＥ７０４はその後、サブフレーム７４６についてのアップリンク許可を検出し、この許可は、ｅＩＭＴＡ構成によるサブフレーム７４６についてのダウンリンクサブフレーム割振りと衝突する。一技法では、ＵＥ７０４は、アップリンク許可に従って動作し得る。つまり、アップリンク許可はｅＩＭＴＡ構成に優先する。
【０１１６】
[00141]一構成では、少なくとも１つのフレームは、受信されたダウンリンクサブフレームにおいて始まる、ＳＣＣ上の第２のフレームを含む。一構成では、少なくとも１つのフレームはＭ個のフレームを含み得る。Ｍは１よりも大きい整数である。Ｍ個のフレームのうちの最初のフレームは、データ送信の開始に続いて、受信されたダウンリンクサブフレームにおいて始まり得る。動作１６４３において、ＵＥは、Ｍ個のフレームのうちのｋ番目のフレームに後続する、ＳＣＣ上での基地局からのデータ送信のｋ番目の後続開始（kth subsequent start）を検出し得る。ｋは整数であり、ｋ＝１〜（Ｍ−１）である。Ｍ個のフレームのうちの（ｋ＋１）番目のフレームは、ｋ番目の後続開始に続いて、最初のダウンリンクサブフレームにおいて始まる。動作１６４６において、ＵＥは、第１の割振りに従って、ＳＣＣ上でＭ個のフレーム内のデータを基地局と通信し得る。たとえば、図１１を参照すると、少なくとも１つのフレームは仮想フレーム１１１２と仮想フレーム１１１４とを含み得る。
【０１１７】
[00142]図１７は、キャリア上でのＵＥのワイヤレス通信の方法のフローチャート１７００である。本方法は、ＵＥ（たとえば、ＵＥ１２０４、装置２３０２／２３０２’）によって実施され得る。
【０１１８】
[00143]動作１７１３において、ＵＥは、第１のフレーム中の、キャリア上での基地局からのデータ送信の開始を検出する。キャリアは、アンライセンススペクトル中にある。動作１７１６において、ＵＥは基地局から、キャリアについての第１の構成情報を受信しようと試みる。第１の構成情報は、キャリア上の少なくとも１つのフレームについての第１のサブフレーム割振りを示す。たとえば、図１２を参照すると、ＵＥ１２０４は、ｅＮＢ１２０２からのチャネル予約およびアクセス指示信号１２６１を、キャリア１２０８上で検出する。ＵＥ１２０４は、キャリア１２０８上のフレーム１２１２中でｅＩＭＴＡ構成を受信しようと試みる。
【０１１９】
[00144]キャリアについての第１の構成情報を受信しようとする試みが成功したとき、一構成では、ＵＥは、動作１７１９において、第１のフレームの複数のダウンリンクサブフレーム中に第１の構成情報を受信し得る。たとえば、図１３を参照すると、一技法では、ＵＥ１２０４は、フレーム１３１１の複数のダウンリンクサブフレーム中にｅＩＭＴＡ構成を受信し得る。ＵＥ１２０４は、単一のフレームの複数のダウンリンクサブフレーム中で検出されたｅＩＭＴＡ構成が同じであり、同じ割振りを指示すると仮定し得る。
【０１２０】
[00145]動作１７２３において、ＵＥは、第１のサブフレーム割振りに従って、キャリア上の少なくとも１つのフレーム中に基地局からダウンリンクサブフレームを受信する。ダウンリンクサブフレームは、データ送信の最初のサブフレームであり、第１のサブフレーム割振りの開始に後続する。たとえば、図１２を参照すると、ＵＥ１２０４は、受信されたｅＩＭＴＡ構成に従って、サブフレーム１２５０中にｅＮＢ１２０２からダウンリンクサブフレームを受信する。
【０１２１】
[00146]一構成では、第１のサブフレーム割振りは、少なくとも１つのフレーム中での、１つまたは複数のアップリンクサブフレーム、１つまたは複数のダウンリンクサブフレーム、および１つまたは複数の特殊サブフレームの割振りを指示し得る。一構成では、少なくとも１つのフレームは、第１のフレームに後続し連続する第２のフレームを含み得る。たとえば、図１３を参照すると、ｅＩＭＴＡ構成は、フレーム期間１３９２中に送信されるフレーム１３１１のサブフレーム中に含められ得る。ｅＩＭＴＡ構成は、後続フレーム期間１３９４およびフレーム期間１３９６中にキャリア１２０８上でそれぞれ送信されるフレーム１３１２およびフレーム１３１４にｅＩＭＴＡ構成が適用されるべきであることを示す。
【０１２２】
[00147]一構成では、キャリアについての第１の構成情報を受信しようとする試みが成功しなかったとき、ＵＥは、動作１７２６において、第２のフレーム中の最初のダウンリンクサブフレーム中で第２の構成情報を受信し得る。第２の構成情報は、キャリア上の第２のフレームについての第２のサブフレーム割振りを示す。動作１７２９において、ＵＥは、第２のサブフレーム割振りに従って、キャリア上の第２のフレーム中の第２のダウンリンクサブフレームを基地局から受信し得る。たとえば、図１２を参照すると、一技法では、ＵＥ１２０４が、フレーム１２１２中ではｅＩＭＴＡ構成を検出することができないが、フレーム１２１４の最初のダウンリンクサブフレーム（たとえば、サブフレーム１２５０）中ではｅＩＭＴＡ構成を検出することができる場合、ＵＥ１２０４は、最初のダウンリンクサブフレーム中のｅＩＭＴＡ構成中で指示された割振りをフレーム１２１４のために使用し得る。
【０１２３】
[00148]一構成では、少なくとも１つのフレームは第１のフレームを含み得る。第１の構成情報は、第１のフレームの最初のダウンリンクサブフレーム中で受信され得る。一構成では、少なくとも１つのフレームは、第１のフレームに続くＭ個のフレームを含み得る。Ｍは１よりも大きい整数である。一構成では、キャリアについての第１の構成情報を受信しようとする試みが成功しなかったとき、ＵＥは、動作１７３３において、Ｍ個のフレームのうちの最初のフレーム中の最初のダウンリンクサブフレーム中で第２の構成情報を受信し得る。第２の構成情報は、キャリア上の１つのフレーム中での第２のサブフレーム割振りを示す。動作１７３６において、ＵＥは、第２のサブフレーム割振りに従って、Ｍ個のフレームの各々においてダウンリンクサブフレームを基地局から受信し得る。たとえば、図１３を参照すると、ＵＥ１２０４が、フレーム１３１１中ではｅＩＭＴＡ構成を検出することができないが、フレーム１３１２の最初のダウンリンクサブフレーム中ではｅＩＭＴＡ構成を検出することができる場合、ＵＥ１２０４は、フレーム１３１２とフレーム１３１４（すなわち、周期内のフレーム）の両方に対して、最初のダウンリンクサブフレーム中のｅＩＭＴＡ構成において指示される割振りを使用し得る。
【０１２４】
[00149]図１８は、キャリア上でのＵＥのワイヤレス通信の別の方法のフローチャート１８００である。本方法は、図１７に示す動作１７２３に続いて、ＵＥ（たとえば、ＵＥ１２０４、装置２３０２／２３０２’）によって実施され得る。
【０１２５】
[00150]一構成では、動作１７２３に続いて、ＵＥは、動作１８１３において、少なくとも１つのフレームに関連付けられたアップリンク許可を受信し得る。動作１８１６において、ＵＥは、アップリンク許可と第１のサブフレーム割振りとの間に衝突が存在すると決定し得る。動作１８１９において、ＵＥは、アップリンク許可に従って、少なくとも１つのフレーム中に基地局と通信し得る。たとえば、図１２を参照すると、ｅＮＢ１２０２が現在のフレーム中でのみアップリンク許可を送信し、アップリンク許可が複数のフレームに渡って有効ではないので、ＵＥ１２０４は、サブフレームにおいて衝突があるとき、アップリンク許可がｅＩＭＴＡ構成に優先するように構成される。
【０１２６】
[00151]一構成では、少なくとも１つのフレームは、ダウンリンクサブフレームにおいて始まる、キャリア上の第２のフレームを含み得る。たとえば、図１４を参照すると、少なくとも１つのフレームはフレーム１４１２を含み得る。一構成では、少なくとも１つのフレームはＭ個のフレームを含み得る。Ｍは１よりも大きい整数である。Ｍ個のフレームのうちの最初のフレームは、データ送信の開始に続いて、ダウンリンクサブフレームにおいて始まり得る。第１の構成情報は、データ送信の開始に続いて、ダウンリンクサブフレーム中で受信され得る。動作１７２３に続いて、ＵＥは、動作１８２３において、Ｍ個のフレームのうちのｋ番目のフレームに後続する、キャリア上での基地局からのデータ送信のｋ番目の後続開始を検出し得る。ｋは整数であり、ｋ＝１〜（Ｍ−１）である。Ｍ個のフレームのうちの（ｋ＋１）番目のフレームは、ｋ番目の後続開始に続いて、最初のダウンリンクサブフレーム中で始まる。動作１８２６において、ＵＥは、第１の割振りに従って、キャリア上でＭ個のフレーム中のデータを基地局と通信し得る。たとえば、図１４を参照すると、少なくとも１つのフレームは仮想フレーム１４１２と仮想フレーム１４１４とを含み得る。
【０１２７】
[00152]図１９は、ＰＣＣおよびＳＣＣ上での基地局のワイヤレス通信の方法のフローチャート１９００である。本方法は、基地局（たとえば、ｅＮＢ７０２、装置２４０２／２４０２’）によって実施され得る。
【０１２８】
[00153]動作１９１３において、基地局は、ＳＣＣについての第１の構成情報を、ＰＣＣ上の第１のフレーム中でＵＥに送信する。ＰＣＣは、ライセンススペクトル中にある。ＳＣＣは、アンライセンススペクトル中にある。第１の構成情報は、ＳＣＣ上の少なくとも１つのフレームについての第１のサブフレーム割振りを示す。たとえば、図７を参照すると、ｅＮＢ７０２は、ＵＥ７０４に、ＳＣＣ７０８についてのｅＩＭＴＡ構成をＰＣＣ７０６上のフレーム７１１中で送信する。
【０１２９】
[00154]動作１９１６において、一構成では、基地局は、ＳＣＣ上の第１のフレーム中の少なくとも１つのサブフレームを占有する発見ウィンドウにおいて、ＳＣＣ上で１つまたは複数の発見信号を送信し得る。たとえば、図１０を参照すると、ｅＮＢ７０２は、ＳＣＣ７０８上で、発見ウィンドウ１０６４において１つまたは複数の発見信号を送信し得る。
【０１３０】
[00155]動作１９１９において、基地局は、ＳＣＣ上での第１のサブフレーム割振りに従って、ＵＥにデータ送信の開始を示すインジケータを送信しようと試みる。たとえば、図７を参照すると、ｅＮＢ７０２は、チャネル予約およびアクセス指示信号７６１を送信しようと試みる。
【０１３１】
[00156]一構成では、第１の構成情報は、１つのフレーム中での第１のサブフレーム割振りを指示する。１つのフレームの第１の割振りは、少なくとも１つのフレームの各フレームに適用される。たとえば、図９を参照すると、ｅＩＭＴＡ構成は、フレーム期間９９２中に送信されるフレーム９１１のサブフレーム中に含められ得る。ｅＩＭＴＡ構成は、後続フレーム期間９９４およびフレーム期間９９６中にＳＣＣ７０８上でそれぞれ送信されるフレーム９１２およびフレーム９１４にｅＩＭＴＡ構成が適用されるべきであることを示す。
【０１３２】
[00157]一構成では、第１の構成情報は、１つのフレームの最後における、複数の連続するアップリンクサブフレームを指示する。インジケータを送信しようとする試みが成功しなかったとき、動作１９２３において、基地局は、デフォルト構成に従って、複数の連続するアップリンクサブフレームのうちの最初のサブフレームに対応する、第１のフレームのサブフレームにおいて、ＵＥと通信してもよい。たとえば、図７を参照すると、一シナリオでは、ｅＩＭＴＡ構成は、Ｄ  Ｄ  Ｄ  Ｓ  Ｕ  Ｕ  Ｕ  Ｕ  Ｕ  Ｓという割振りを指示し得る。ｅＮＢ７０２が、たとえば、サブフレーム期間７７４までチャネルアクセスを取得しない場合、ＵＥ７０４は、ダウンリンクサブフレームを検出せず、フレーム期間７９２中にｅＮＢ７０２と通信しない。ＵＥ７０４はデフォルトｅＩＭＴＡ構成を有することができ、ｅＮＢ７０２およびＵＥ７０４は、通信するのにデフォルトｅＩＭＴＡ構成を使用し得る。
【０１３３】
[00158]一構成では、ダウンリンクサブフレームの送信は、インジケータを送信しようとする試みが成功しなかったとき、デフォルト構成に従って、発見ウィンドウでの発見信号の送信に続いて起こる。
【０１３４】
[00159]インジケータを送信しようとする試みが成功したとき、基地局は、動作１９２６において、第１のサブフレーム割振りに従って、ＳＣＣ上の少なくとも１つのフレームの間にＵＥにダウンリンクサブフレームを送信し得る。ダウンリンクサブフレームは、データ送信の最初のサブフレームであり、第１のサブフレーム割振りの開始に後続する。たとえば、図７を参照すると、ｅＮＢ７０２はサブフレーム７４１中にＵＥ７０４にダウンリンクサブフレームを送信する。
【０１３５】
[00160]一構成では、第１のサブフレーム割振りは、少なくとも１つのフレーム中での、１つまたは複数のアップリンクサブフレーム、１つまたは複数のダウンリンクサブフレーム、および１つまたは複数の特殊サブフレームの割振りを指示する。
【０１３６】
[00161]一構成では、少なくとも１つのフレームはＳＣＣ上の第１のフレームを含む。第１の構成情報は、第１のフレームの最初のサブフレーム中に、ＰＣＣ上で受信される。
【０１３７】
[00162]いくつかの構成では、動作１９２６に続いて、基地局は、図２０に示される１つまたは複数の動作を実施し得る。
【０１３８】
[00163]図２０は、ＰＣＣおよびＳＣＣ上での基地局のワイヤレス通信の別の方法のフローチャート２０００である。本方法は、図１９に示す動作１９２６に続いて、基地局（たとえば、ｅＮＢ７０２、装置２４０２／２４０２’）によって実施され得る。
【０１３９】
[00164]一構成では、動作２０１３において、基地局は、アンライセンススペクトルを保持するために、ＳＣＣ上の第１のフレームの最終サブフレームにおいてＵＥからデータを受信するか、またはＵＥにデータを送信し得る。たとえば、図７を参照すると、ｅＮＢ７０２は、アンライセンススペクトルを保持するために、ＵＥ７０４によって認識可能でない信号を、サブフレーム期間７７７〜７７９中にアンライセンススペクトル上で送信し得る。動作２０１６において、基地局は、ＰＣＣ上の第２のフレームの最初のサブフレーム中に、ＳＣＣについての第２の構成情報をＵＥに送信し得る。第２のフレームは、第１のフレームに後続し連続する。第２の構成情報は、ＳＣＣ上の第２のフレームについての第２のサブフレーム割振りを示す。ブロック２０１９において、基地局はＵＥに第２のダウンリンクサブフレームを送信し得る。第２のダウンリンクサブフレームは、第２のサブフレーム割振りの開始に後続する。たとえば、図７を参照すると、ｅＮＢ７０２は、ＰＣＣ７０６上のフレーム７１３のサブフレーム７３０中でｅＩＭＴＡ構成を送信し得る。ｅＮＢ７０２は、ＳＣＣ７０８上のフレーム７１４のサブフレーム７５０中でダウンリンクサブフレームを送信し得る。
【０１４０】
[00165]一構成では、第１の構成情報は、ＳＣＣ上の第１のフレームの最初の２つのサブフレームがダウンリンクサブフレームであることを示す。
【０１４１】
[00166]一構成では、少なくとも１つのフレームは、第１のフレームに続くＭ個のフレームを含み得る。Ｍは１よりも大きい整数である。一構成では、第１の構成情報は、１つのフレーム中での第１のサブフレーム割振りを指示する。１つのフレームの第１の割振りは、少なくとも１つのフレームの各フレームに適用される。たとえば、図９を参照すると、ｅＩＭＴＡ構成は、フレーム期間９９２中に送信されるフレーム９１１のサブフレーム中に含められ得る。ｅＩＭＴＡ構成は、後続フレーム期間９９４およびフレーム期間９９６中にＳＣＣ７０８上でそれぞれ送信されるフレーム９１２およびフレーム９１４にｅＩＭＴＡ構成が適用されるべきであることを示す。
【０１４２】
[00167]一構成では、第１のサブフレーム割振りは、１つのフレーム中の各アップリンクサブフレームに連続して、および先立って、１つまたは複数のダウンリンクサブフレームを割り振ることができる。たとえば、図７を参照すると、一技法では、ｅＮＢ７０２は、ＳＣＣ７０８上のフレームではダウンリンクサブフレームすべてが連続し、アップリンクサブフレームすべてが連続し、さらに、ダウンリンクサブフレームがアップリンクサブフレームに先立って割り振られることをＵＥ７０４に知らせ得る。たとえば、割振りは、Ｄ  Ｄ  Ｄ  Ｄ  Ｄ  Ｓ  Ｕ  Ｕ  Ｕ  Ｓであり得る。
【０１４３】
[00168]一構成では、第１の構成情報は、１つのフレーム中の複数の連続ダウンリンクサブフレームを指示し得る。第１の構成情報は、１つのフレームの複数の連続するダウンリンクサブフレームのうちの最初のダウンリンクサブフレームに対応する、第１のフレームのｎ番目のサブフレーム中で送信され得る。ｎは整数である。少なくとも１つのフレームは、第１のフレームと第２のフレームとを連続して含み得る。ＳＣＣ上でＵＥにダウンリンクサブフレームを送信することは、第１のフレームのｎ番目のサブフレームから第２のフレームの（ｎ−１）番目のサブフレームまでの期間内に実施され得る。たとえば、図８を参照すると、ｅＩＭＴＡ構成は、フレーム８１２のサブフレーム８４５からフレーム８１４のサブフレーム８５４までに適用される。
【０１４４】
[00169]一構成では、動作２０３３において、基地局は、少なくとも１つのフレームに関連付けられたアップリンク許可を送信し得る。アップリンク許可と第１のサブフレーム割振りとの間には衝突が存在し得る。動作２０３６において、基地局は、アップリンク許可に従って、少なくとも１つのフレーム中にＵＥと通信し得る。たとえば、図７を参照すると、サブフレーム中のアップリンク許可は、ｅＩＭＴＡ構成と合致しない場合がある。たとえば、ｅＩＭＴＡ構成は、部分的フレーム７１２用にＤ  Ｄ  Ｄ  Ｄ  Ｄ  Ｄ  Ｄ  Ｓ  Ｕ  Ｕという割振りを指示し得る。ただし、ｅＮＢ７０２はその後、サブフレーム７４６についてのアップリンク許可を送信し、この許可は、ｅＩＭＴＡ構成によるサブフレーム７４６についてのダウンリンクサブフレーム割振りと衝突する。一技法では、ｅＮＢ７０２は、アップリンク許可に従って動作し得る。つまり、アップリンク許可はｅＩＭＴＡ構成に優先する。一構成では、少なくとも１つのフレームは、受信されたダウンリンクサブフレームにおいて始まる、ＳＣＣ上の第２のフレームを含む。
【０１４５】
[00170]一構成では、少なくとも１つのフレームは、送信されたダウンリンクサブフレームにおいて始まる、ＳＣＣ上の第２のフレームを含む。一構成では、少なくとも１つのフレームはＭ個のフレームを含み得る。Ｍは１よりも大きい整数である。Ｍ個のフレームのうちの最初のフレームは、データ送信の開始に続いて、受信されたダウンリンクサブフレームにおいて始まり得る。動作２０４３において、基地局は、Ｍ個のフレームのうちのｋ番目のフレームに続いて、ＳＣＣ上でのデータ送信の開始を示すｋ番目の後続インジケータをＵＥに送信し得る。ｋは整数であり、ｋ＝１〜（Ｍ−１）である。Ｍ個のフレームのうちの（ｋ＋１）番目のフレームは、ｋ番目の後続インジケータに続いて、最初のダウンリンクサブフレームにおいて始まる。動作２０４６において、基地局は、第１の割振りに従って、ＳＣＣ上でＭ個のフレーム内のデータをＵＥと通信し得る。たとえば、図１１を参照すると、少なくとも１つのフレームは仮想フレーム１１１２と仮想フレーム１１１４とを含み得る。
【０１４６】
[00171]図２１は、キャリア上での基地局のワイヤレス通信の方法のフローチャート２１００である。本方法は、基地局（たとえば、ｅＮＢ１２０２、装置２４０２／２４０２’）によって実施され得る。
【０１４７】
[00172]動作２１１３において、基地局は、第１のフレームにおいて、キャリア上でＵＥにデータ送信の開始を示すインジケータを送信する。キャリアは、アンライセンススペクトル中にある。動作２１１６において、基地局はＵＥに、キャリアについての第１の構成情報を送信しようと試みる。第１の構成情報は、キャリア上の少なくとも１つのフレームについての第１のサブフレーム割振りを示す。たとえば、図１２を参照すると、ｅＮＢ１２０２は、チャネル予約およびアクセス指示信号１２６１を、キャリア１２０８上でＵＥ１２０４に送信する。ｅＮＢ１２０２は、キャリア１２０８上のフレーム１２１２中でｅＩＭＴＡ構成を送信しようと試みる。
【０１４８】
[00173]キャリアについての第１の構成情報を送信しようとする試みが成功したとき、一構成では、基地局は、動作２１１９において、第１のフレームの複数のダウンリンクサブフレーム中で第１の構成情報を送信し得る。たとえば、図１３を参照すると、一技法では、ｅＮＢ１２０２は、フレーム１３１１の複数のダウンリンクサブフレーム中でｅＩＭＴＡ構成を送信し得る。ｅＮＢ１２０２は、単一のフレームの複数のダウンリンクサブフレームにおける同じ割振りを指示する同じｅＩＭＴＡ構成を含む。
【０１４９】
[00174]キャリアについての第１の構成情報を送信しようとする試みが成功したとき、基地局は、動作２１２３において、第１のサブフレーム割振りに従って、キャリア上の少なくとも１つのフレーム中にＵＥにダウンリンクサブフレームを送信する。ダウンリンクサブフレームは、データ送信の最初のサブフレームであり、第１のサブフレーム割振りの開始に後続する。
【０１５０】
[00175]一構成では、第１のサブフレーム割振りは、少なくとも１つのフレーム中での、１つまたは複数のアップリンクサブフレーム、１つまたは複数のダウンリンクサブフレーム、および１つまたは複数の特殊サブフレームの割振りを指示し得る。一構成では、少なくとも１つのフレームは、第１のフレームに後続し連続する第２のフレームを含み得る。たとえば、図１３を参照すると、ｅＩＭＴＡ構成は、フレーム期間１３９２中に送信されるフレーム１３１１のサブフレーム中に含められ得る。ｅＩＭＴＡ構成は、後続フレーム期間１３９４およびフレーム期間１３９６中にキャリア１２０８上でそれぞれ送信されるフレーム１３１２およびフレーム１３１４にｅＩＭＴＡ構成が適用されるべきであることを示す。
【０１５１】
[00176]一構成では、キャリアについての第１の構成情報を送信しようとする試みが成功しなかったとき、基地局は、動作２１２６において、第２のフレーム中の最初のダウンリンクサブフレーム中で第２の構成情報を送信し得る。第２の構成情報は、キャリア上の第２のフレームについての第２のサブフレーム割振りを示す。動作２１２９において、基地局は、第２のサブフレーム割振りに従って、キャリア上の第２のフレーム中の第２のダウンリンクサブフレームを基地局から送信し得る。たとえば、図１２を参照すると、一技法では、ｅＮＢ１２０２が、フレーム１２１２中ではｅＩＭＴＡ構成を送信することができないが、フレーム１２１４の最初のダウンリンクサブフレーム（たとえば、サブフレーム１２５０）中ではｅＩＭＴＡ構成を送信することができる場合、ｅＮＢ１２０２は、最初のダウンリンクサブフレーム中のｅＩＭＴＡ構成中で指示された割振りをフレーム１２１４のために使用し得る。
【０１５２】
[00177]一構成では、少なくとも１つのフレームは第１のフレームを含み得る。第１の構成情報は、第１のフレームの最初のダウンリンクサブフレーム中で受信され得る。一構成では、少なくとも１つのフレームは、第１のフレームに続くＭ個のフレームを含み得る。Ｍは１よりも大きい整数である。一構成では、キャリアについての第１の構成情報を送信しようとする試みが成功しなかったとき、基地局は、動作２１３３において、Ｍ個のフレームのうちの最初のフレーム中の最初のダウンリンクサブフレーム中で第２の構成情報を送信し得る。第２の構成情報は、キャリア上の１つのフレーム中での第２のサブフレーム割振りを示す。動作２１３６において、基地局は、第２のサブフレーム割振りに従って、Ｍ個のフレームの各々においてダウンリンクサブフレームをＵＥに送信し得る。たとえば、図１３を参照すると、ｅＮＢ１２０２が、フレーム１３１１中ではｅＩＭＴＡ構成を送信することができないが、フレーム１３１２の最初のダウンリンクサブフレーム中でｅＩＭＴＡ構成を送信することができる場合、ｅＮＢ１２０２は、フレーム１３１２とフレーム１３１４（すなわち、周期内のフレーム）の両方のための最初のダウンリンクサブフレーム中のｅＩＭＴＡ構成において指示される割振りを使用し得る。
【０１５３】
[00178]図２２は、キャリア上での基地局のワイヤレス通信の別の方法のフローチャート２２００である。本方法は、図２１に示す動作２１２３に続いて、基地局（たとえば、ｅＮＢ１２０２、装置２４０２／２４０２’）によって実施され得る。
【０１５４】
[00179]一構成では、動作２１２３に続いて、基地局は、動作２２１３において、少なくとも１つのフレームに関連付けられたアップリンク許可を送信し得る。アップリンク許可と第１のサブフレーム割振りとの間には衝突が存在し得る。動作２２１６において、基地局は、アップリンク許可に従って、少なくとも１つのフレーム中にＵＥと通信し得る。たとえば、図１２を参照すると、ｅＮＢ１２０２が現在のフレーム中でのみアップリンク許可を送信し、アップリンク許可が複数のフレームに渡って有効でないのでサブフレームにおいて衝突があるとき、アップリンク許可がｅＩＭＴＡ構成に優先する。
【０１５５】
[00180]一構成では、少なくとも１つのフレームは、ダウンリンクサブフレームにおいて始まる、キャリア上の第２のフレームを含み得る。たとえば、図１４を参照すると、少なくとも１つのフレームはフレーム１４１２を含み得る。一構成では、少なくとも１つのフレームはＭ個のフレームを含み得る。Ｍは１よりも大きい整数である。Ｍ個のフレームのうちの最初のフレームは、データ送信の開始に続いて、ダウンリンクサブフレームにおいて始まり得る。第１の構成情報は、データ送信の開始に続いて、ダウンリンクサブフレーム中で送信され得る。動作２１２３に続いて、基地局は、動作２２２３において、Ｍ個のフレームのうちのｋ番目のフレームに後続する、データ送信のｋ番目の後続開始を示すインジケータをキャリア上でＵＥに送信し得る。ｋは整数であり、ｋ＝１〜（Ｍ−１）である。Ｍ個のフレームのうちの（ｋ＋１）番目のフレームは、ｋ番目の後続インジケータに続いて、最初のダウンリンクサブフレーム中で始まる。動作２２２６において、基地局は、第１の割振りに従って、キャリア上でＭ個のフレーム中のデータをＵＥと通信し得る。たとえば、図１４を参照すると、少なくとも１つのフレームは仮想フレーム１４１２と仮想フレーム１４１４とを含み得る。
【０１５６】
[00181]図２３は、例示的な装置２３０２における異なるモジュール／手段／構成要素間のデータフローを示す概念データフロー図２３００である。装置はＵＥであり得る。装置は、受信モジュール２３０４と、送信モジュール２３１０と、ｅＩＭＴＡモジュール２３０８とを含む。
【０１５７】
[00182]一態様では、受信モジュール２３０４は、ｅＮＢ２３５０から、ＳＣＣについての第１の構成情報をＰＣＣ上の第１のフレーム中で受信するように構成され得る。ＰＣＣは、ライセンススペクトル中にある。ＳＣＣは、アンライセンススペクトル中にある。第１の構成情報は、ＳＣＣ上の少なくとも１つのフレームについての第１のサブフレーム割振りを示す。受信モジュール２３０４は、ｅＩＭＴＡモジュール２３０８に第１の構成情報を送信するように構成され得る。ｅＩＭＴＡモジュール２３０８は、第１のサブフレーム割振りを取得するために、ならびに第１のサブフレーム割振りを受信モジュール２３０４および送信モジュール２３１０に送るために、第１の構成情報を処理するように構成され得る。受信モジュール２３０４は、ＳＣＣ上でのｅＮＢ２３５０からのデータ送信の開始を検出しようと試みるように構成され得る。受信モジュール２３０４は、データ送信の開始を検出しようとする試みが成功したとき、第１のサブフレーム割振りに従って、ＳＣＣ上の少なくとも１つのフレーム中にｅＮＢ２３５０からダウンリンクサブフレームを受信するように構成され得る。ダウンリンクサブフレームは、データ送信の最初のサブフレームであり、第１のサブフレーム割振りの開始に後続する。
【０１５８】
[00183]一構成では、第１のサブフレーム割振りは、少なくとも１つのフレーム中での、１つまたは複数のアップリンクサブフレーム、１つまたは複数のダウンリンクサブフレーム、および１つまたは複数の特殊サブフレームの割振りを指示する。一構成では、少なくとも１つのフレームはＳＣＣ上の第１のフレームを含む。第１の構成情報は、第１のフレームの最初のサブフレーム中に、ＰＣＣ上で受信される。
【０１５９】
[00184]一構成では、アンライセンススペクトルを保持するために、ＳＣＣ上の第１のフレームの最終サブフレームにおいて、送信モジュール２３１０が、ｅＮＢ２３５０にデータを送信するように構成され得るか、または受信モジュール２３０４が、ｅＮＢ２３５０からデータを受信するように構成され得る。受信モジュール２３０４は、ＰＣＣ上の第２のフレームの最初のサブフレーム中で、ＳＣＣについての第２の構成情報をｅＮＢ２３５０から受信するように構成され得る。第２のフレームは、第１のフレームに後続し連続する。第２の構成情報は、ＳＣＣ上の第２のフレームについての第２のサブフレーム割振りを示す。受信モジュール２３０４は、ｅＩＭＴＡモジュール２３０８に第２の構成情報を送信するように構成され得る。ｅＩＭＴＡモジュール２３０８は、第２のサブフレーム割振りを取得するために、ならびに第１のサブフレーム割振りを受信モジュール２３０４および送信モジュール２３１０に送るために、第２の構成情報を処理するように構成され得る。受信モジュール２３０４は、ｅＮＢ２３５０から第２のダウンリンクサブフレームを受信するように構成され得る。第２のダウンリンクサブフレームは、第２のサブフレーム割振りの開始に後続する。
【０１６０】
[00185]一構成では、第１の構成情報は、ＳＣＣ上の第１のフレームの最初の２つのサブフレームがダウンリンクサブフレームであることを示す。一構成では、受信モジュール２３０４は、ＳＣＣ上の少なくとも１つのフレームのダウンリンクサブフレームに続くサブフレーム中で受信されたデータをバッファリングするように構成され得る。ｅＩＭＴＡモジュール２３０８は、ＳＣＣ上の最初のサブフレームに続くサブフレームの割振りがダウンリンクサブフレームであるか、それとも特殊サブフレームであるかを決定するために、第１の構成情報を処理するように構成され得る。受信モジュール２３０４および／または送信モジュール２３１０は、ＳＣＣ上の最初のサブフレームに続くサブフレームの決定された割振りに従って、バッファリングされたデータを処理するように構成され得る。
【０１６１】
[00186]一構成では、受信モジュール２３０４は、ＳＣＣ上の第１のフレーム中の少なくとも１つのサブフレームを占有する発見ウィンドウにおいて、ＳＣＣ上で１つまたは複数の発見信号を受信するように構成され得る。データ送信の開始を検出しようと試みることは、発見ウィンドウでの発見信号の受信に続いて、ＳＣＣ上のサブフレームにおいて実施される。一構成では、ダウンリンクサブフレームの受信は、データ送信の開始を検出しようとする試みが成功しなかったとき、デフォルト構成に従って、発見ウィンドウでの発見信号の受信に続いて起こる。
【０１６２】
[00187]一構成では、少なくとも１つのフレームは、第１のフレームに続くＭ個のフレームを含む。Ｍは１よりも大きい整数である。一構成では、第１の構成情報は、１つのフレーム中での第１のサブフレーム割振りを指示する。１つのフレームの第１の割振りは、少なくとも１つのフレームの各フレームに適用される。一構成では、第１のサブフレーム割振りは、１つのフレーム中の各アップリンクサブフレームに連続して、および先立って、１つまたは複数のダウンリンクサブフレームを割り振る。
【０１６３】
[00188]一構成では、第１の構成情報は、１つのフレーム中の複数の連続ダウンリンクサブフレームを指示する。第１の構成情報は、１つのフレームの複数の連続するダウンリンクサブフレームのうちの最初のダウンリンクサブフレームに対応する、第１のフレームのｎ番目のサブフレーム中で受信される。ｎは整数である。少なくとも１つのフレームは、第１のフレームと第２のフレームとを連続して含む。ＳＣＣ上でｅＮＢ２３５０からダウンリンクサブフレームを受信することは、第１のフレームのｎ番目のサブフレームから第２のフレームの（ｎ−１）番目のサブフレームまでの期間内に実施される。
【０１６４】
[00189]一構成では、第１の構成情報は、１つのフレームの最後における、複数の連続するアップリンクサブフレームを指示する。受信モジュール２３０４および／または送信モジュール２３１０は、データ送信の開始を検出しようとする試みが成功しなかったとき、デフォルト構成に従って、複数の連続するアップリンクサブフレームのうちの最初のサブフレームに対応する第１のフレームのサブフレーム中にｅＮＢ２３５０と通信するように構成され得る。
【０１６５】
[00190]一構成では、受信モジュール２３０４は、少なくとも１つのフレームに関連付けられたアップリンク許可を受信するように構成され得る。ｅＩＭＴＡモジュール２３０８は、アップリンク許可と第１のサブフレーム割振りとの間に衝突が存在すると決定するように構成され得る。受信モジュール２３０４および／または送信モジュール２３１０は、アップリンク許可に従って、少なくとも１つのフレーム中にｅＮＢ２３５０と通信するように構成され得る。
【０１６６】
[00191]一構成では、少なくとも１つのフレームはＭ個のフレームを含む。Ｍは１よりも大きい整数である。Ｍ個のフレームのうちの最初のフレームは、データ送信の開始に続いて、受信されたダウンリンクサブフレームにおいて始まる。動作１６４３において、受信モジュール２３０４は、Ｍ個のフレームのうちのｋ番目のフレームに後続する、ＳＣＣ上でのｅＮＢ２３５０からのデータ送信のｋ番目の後続開始を検出するように構成され得る。ｋは整数であり、ｋ＝１〜（Ｍ−１）である。Ｍ個のフレームのうちの（ｋ＋１）番目のフレームは、ｋ番目の後続開始に続いて、最初のダウンリンクサブフレームにおいて始まる。受信モジュール２３０４および／または送信モジュール２３１０は、第１のサブフレーム割振りに従って、ＳＣＣ上でＭ個のフレーム内のデータをｅＮＢ２３５０と通信するように構成され得る。
【０１６７】
[00192]別の態様では、受信モジュール２３０４は、第１のフレーム中のキャリア上での、ｅＮＢ２３５０からのデータ送信の開始を検出するように構成され得る。キャリアは、アンライセンススペクトル中にある。受信モジュール２３０４は、キャリアについての第１の構成情報をｅＮＢ２３５０から受信しようと試みるように構成され得る。第１の構成情報は、キャリア上の少なくとも１つのフレームについての第１のサブフレーム割振りを示す。受信モジュール２３０４は、ｅＩＭＴＡモジュール２３０８に第１の構成情報を送信するように構成され得る。ｅＩＭＴＡモジュール２３０８は、第１のサブフレーム割振りを取得するために、ならびに第１のサブフレーム割振りを受信モジュール２３０４および送信モジュール２３１０に送るために、第１の構成情報を処理するように構成され得る。受信モジュール２３０４は、キャリアについての第１の構成情報を受信しようとする試みが成功したとき、第１のサブフレーム割振りに従って、キャリア上の少なくとも１つのフレーム中に、ｅＮＢ２３５０からダウンリンクサブフレームを受信するように構成され得る。ダウンリンクサブフレームは、データ送信の最初のサブフレームであり、第１のサブフレーム割振りの開始に後続する。
【０１６８】
[00193]一構成では、第１のサブフレーム割振りは、少なくとも１つのフレーム中での、１つまたは複数のアップリンクサブフレーム、１つまたは複数のダウンリンクサブフレーム、および１つまたは複数の特殊サブフレームの割振りを指示する。
【０１６９】
[00194]一構成では、少なくとも１つのフレームは、第１のフレームに後続し連続する第２のフレームを含む。一構成では、受信モジュール２３０４は、第２のフレーム中の最初のダウンリンクサブフレーム中で第２の構成情報を受信するように構成され得る。第２の構成情報は、キャリア上の第２のフレームについての第２のサブフレーム割振りを示す。受信モジュール２３０４は、ｅＩＭＴＡモジュール２３０８に第２の構成情報を送信するように構成され得る。ｅＩＭＴＡモジュール２３０８は、第２のサブフレーム割振りを取得するために、ならびに第２のサブフレーム割振りを受信モジュール２３０４および送信モジュール２３１０に送るために、第２の構成情報を処理するように構成され得る。受信モジュール２３０４は、キャリアについての第１の構成情報を受信しようとする試みが成功しなかったとき、第２のサブフレーム割振りに従って、キャリア上の第２のフレーム中の第２のダウンリンクサブフレームをｅＮＢ２３５０から受信するように構成され得る。
【０１７０】
[00195]一構成では、少なくとも１つのフレームは第１のフレームを含む。第１の構成情報は、第１のフレームの最初のダウンリンクサブフレーム中で受信される。一構成では、少なくとも１つのフレームは、第１のフレームに続くＭ個のフレームを含む。Ｍは１よりも大きい整数である。一構成では、受信モジュール２３０４は、Ｍ個のフレームのうちの最初のフレーム中の最初のダウンリンクサブフレーム中で第２の構成情報を受信するように構成され得る。第２の構成情報は、キャリア上の１つのフレーム中での第２のサブフレーム割振りを示す。受信モジュール２３０４は、キャリアについての第１の構成情報を受信しようとする試みが成功しなかったとき、第２の割振りに従って、ｅＮＢ２３５０からＭ個のフレームの各々においてダウンリンクサブフレームを受信するように構成され得る。
【０１７１】
[00196]一構成では、受信モジュール２３０４は、少なくとも１つのフレームに関連付けられたアップリンク許可を受信するように構成され得る。ｅＩＭＴＡモジュール２３０８は、アップリンク許可と第１のサブフレーム割振りとの間に衝突が存在すると決定するように構成され得る。受信モジュール２３０４および／または送信モジュール２３１０は、アップリンク許可に従って、少なくとも１つのフレーム中にｅＮＢ２３５０と通信するように構成され得る。
【０１７２】
[00197]一構成では、受信モジュール２３０４は、第１のフレームの複数のダウンリンクサブフレーム中で第１の構成情報を受信するように構成され得る。一構成では、少なくとも１つのフレームは、ダウンリンクサブフレームにおいて始まる、キャリア上の第２のフレームを含む。一構成では、少なくとも１つのフレームはＭ個のフレームを含む。Ｍは１よりも大きい整数である。Ｍ個のフレームのうちの最初のフレームは、データ送信の開始に続いて、ダウンリンクサブフレームにおいて始まる。第１の構成情報は、データ送信の開始に続いて、ダウンリンクサブフレーム中で受信される。受信モジュール２３０４は、Ｍ個のフレームのうちのｋ番目のフレームに続いて、キャリア上でのｅＮＢ２３５０からのデータ送信のｋ番目の後続開始を検出するように構成され得る。ｋは整数であり、ｋ＝１〜（Ｍ−１）である。Ｍ個のフレームのうちの（ｋ＋１）番目のフレームは、ｋ番目の後続開始に続いて、最初のダウンリンクサブフレーム中で始まる。受信モジュール２３０４および／または送信モジュール２３１０は、第１の割振りに従って、キャリア上でＭ個のフレーム中のデータをｅＮＢ２３５０と通信するように構成され得る。
【０１７３】
[00198]本装置は、図１５〜図１８の上述のフローチャート中のアルゴリズムのブロックの各々を実施する追加のモジュールを含み得る。したがって、図１５〜図１８の上述のフローチャート内の各ブロックは１つのモジュールによって実施される場合があり、本装置は、それらのモジュールのうちの１つまたは複数を含む場合がある。モジュールは、述べられたプロセス／アルゴリズムを行うように特に構成された１つもしくは複数のハードウェア構成要素であるか、述べられたプロセス／アルゴリズムを実施するように構成されたプロセッサによって実装されるか、プロセッサによる実装のためにコンピュータ可読媒体内に記憶されるか、またはそれらの何らかの組合せであり得る。
【０１７４】
[00199]図２４は、別の例示的な装置２４０２における異なるモジュール／手段／構成要素間のデータフローを示す概念データフロー図２４００である。装置はｅＮＢであり得る。本装置は、受信モジュール２４０４と、送信モジュール２４１０と、ｅＩＭＴＡモジュール２４０８とを含む。
【０１７５】
[00200]一態様では、ｅＩＭＴＡモジュール２４０８は、送信モジュール２４１０に、ＳＣＣについての第１の構成情報を送信するように構成され得る。第１の構成情報は、ＳＣＣ上の少なくとも１つのフレームについての第１のサブフレーム割振りを示す。送信モジュール２４１０は、ＰＣＣ上の第１のフレーム中の第１の構成情報をＵＥ２４５０に送信するように構成され得る。ＰＣＣは、ライセンススペクトル中にある。ＳＣＣは、アンライセンススペクトル中にある。
【０１７６】
[00201]送信モジュール２４１０は、ＳＣＣ上での第１のサブフレーム割振りに従って、ＵＥ２４５０にデータ送信の開始を示すインジケータを送信しようと試みるように構成され得る。送信モジュール２４１０は、インジケータを送信しようとする試みが成功したとき、第１のサブフレーム割振りに従って、ＳＣＣ上の少なくとも１つのフレーム中にＵＥ２４５０にダウンリンクサブフレームを送信するように構成され得る。ダウンリンクサブフレームは、データ送信の最初のサブフレームであり、第１のサブフレーム割振りの開始に後続する。
【０１７７】
[00202]一構成では、第１のサブフレーム割振りは、少なくとも１つのフレーム中での、１つまたは複数のアップリンクサブフレーム、１つまたは複数のダウンリンクサブフレーム、および１つまたは複数の特殊サブフレームの割振りを指示する。一構成では、少なくとも１つのフレームはＳＣＣ上の第１のフレームを含む。第１の構成情報は、第１のフレームの最初のサブフレーム中に、ＰＣＣ上で送信される。一構成では、アンライセンススペクトルを保持するために、ＳＣＣ上の第１のフレームの最終サブフレームにおいて、受信モジュール２４０４が、ＵＥ２４５０からデータを受信するように構成され得るか、または送信モジュール２４１０が、ＵＥ２４５０にデータを送信するように構成され得る。
【０１７８】
[00203]一構成では、ｅＩＭＴＡモジュール２４０８は、送信モジュール２４１０に、ＳＣＣについての第２の構成情報を送信するように構成され得る。第２の構成情報は、ＳＣＣ上の第２のフレームについての第２のサブフレーム割振りを示す。送信モジュール２４１０は、ＰＣＣ上の第２のフレームの最初のサブフレーム中に、第２の構成情報をＵＥ２４５０に送信するように構成され得る。第２のフレームは、第１のフレームに後続し連続する。送信モジュール２４１０は、ＵＥ２４５０に第２のダウンリンクサブフレームを送信するように構成され得る。第２のダウンリンクサブフレームは、第２のサブフレーム割振りの開始に後続する。
【０１７９】
[00204]一構成では、第１の構成情報は、ＳＣＣ上の第１のフレームの最初の２つのサブフレームがダウンリンクサブフレームであることを示す。一構成では、送信モジュール２４１０は、ＳＣＣ上の第１のフレーム中の少なくとも１つのサブフレームを占有する発見ウィンドウにおいて、ＳＣＣ上で１つまたは複数の発見信号を送信するように構成され得る。インジケータを送信しようと試みることは、発見ウィンドウでの発見信号の送信に続いて、ＳＣＣ上のサブフレームにおいて実施される。
【０１８０】
[00205]一構成では、ダウンリンクサブフレームの送信は、インジケータを送信しようとする試みが成功しなかったとき、デフォルト構成に従って、発見ウィンドウでの発見信号の送信に続いて起こる。一構成では、少なくとも１つのフレームは、第１のフレームに続くＭ個のフレームを含む。Ｍは１よりも大きい整数である。
【０１８１】
[00206]一構成では、第１の構成情報は、１つのフレーム中でのサブフレームの第１の割振りを指示する。１つのフレームの第１の割振りは、少なくとも１つのフレームの各フレームに適用される。
【０１８２】
[00207]一構成では、第１のサブフレーム割振りは、１つのフレーム中の各アップリンクサブフレームに連続して、および先立って、１つまたは複数のダウンリンクサブフレームを割り振る。一構成では、第１の構成情報は、１つのフレーム中の複数の連続ダウンリンクサブフレームを指示する。第１の構成情報は、１つのフレームの、複数の連続するダウンリンクサブフレームのうちの最初のダウンリンクサブフレームに対応する、第１のフレームのｎ番目のサブフレーム中で送信される。ｎは整数である。少なくとも１つのフレームは、第１のフレームと第２のフレームとを連続して含む。ＳＣＣ上でＵＥ２４５０にダウンリンクサブフレームを送信することは、第１のフレームのｎ番目のサブフレームから第２のフレームの（ｎ−１）番目のサブフレームまでの期間内に実施される。
【０１８３】
[00208]一構成では、第１の構成情報は、１つのフレームの最後における、複数の連続するアップリンクサブフレームを指示する。受信モジュール２４０４および／または送信モジュール２４１０は、インジケータを送信しようとする試みがでないとき、デフォルト構成に従って、複数の連続するアップリンクサブフレームのうちの最初のサブフレームに対応する第１のフレームのサブフレーム中にＵＥ２４５０と通信するように構成され得る。
【０１８４】
[00209]一構成では、送信モジュール２４１０は、少なくとも１つのフレームに関連付けられたアップリンク許可を送信するように構成され得る。アップリンク許可と第１のサブフレーム割振りとの間には衝突が存在する。受信モジュール２４０４および／または送信モジュール２４１０は、アップリンク許可に従って、少なくとも１つのフレーム中にＵＥ２４５０と通信するように構成され得る。
【０１８５】
[00210]一構成では、少なくとも１つのフレームは、送信されたダウンリンクサブフレームにおいて始まる、ＳＣＣ上の第２のフレームを含む。一構成では、少なくとも１つのフレームはＭ個のフレームを含む。Ｍは１よりも大きい整数である。Ｍ個のフレームのうちの最初のフレームは、データ送信の開始に続いて、送信されるダウンリンクサブフレームにおいて始まる。送信モジュール２４１０は、Ｍ個のフレームのうちのｋ番目のフレームに続いて、ＳＣＣ上でのデータ送信の開始を示すｋ番目の後続インジケータをＵＥ２４５０に送信するように構成され得る。ｋは整数であり、ｋ＝１〜（Ｍ−１）である。Ｍ個のフレームのうちの（ｋ＋１）番目のフレームは、ｋ番目の後続インジケータに続いて、最初のダウンリンクサブフレームにおいて始まる。受信モジュール２４０４および／または送信モジュール２４１０は、第１のサブフレーム割振りに従って、ＳＣＣ上でＭ個のフレーム内のデータをＵＥ２４５０と通信するように構成され得る。
【０１８６】
[00211]別の態様では、送信モジュール２４１０は、第１のフレームにおいてキャリア上で、ＵＥ２４５０にデータ送信の開始を示すインジケータを送信するように構成され得る。キャリアは、アンライセンススペクトル中にある。ｅＩＭＴＡモジュール２４０８は、送信モジュール２４１０に第１の構成情報を送信するように構成され得る。第１の構成情報は、キャリア上の少なくとも１つのフレームについての第１のサブフレーム割振りを示す。送信モジュール２４１０は、キャリアについての第１の構成情報をＵＥ２４５０に送信しようと試みるように構成され得る。送信モジュール２４１０は、キャリア上で第１の構成情報を送信しようとする試みが成功したとき、第１のサブフレーム割振りに従って、キャリア上の少なくとも１つのフレーム中にＵＥ２４５０にダウンリンクサブフレームを送信するように構成され得る。ダウンリンクサブフレームは、データ送信の最初のサブフレームであり、第１のサブフレーム割振りの開始に後続する。
【０１８７】
[00212]一構成では、第１のサブフレーム割振りは、少なくとも１つのフレーム中での、１つまたは複数のアップリンクサブフレーム、１つまたは複数のダウンリンクサブフレーム、および１つまたは複数の特殊サブフレームの割振りを指示する。一構成では、少なくとも１つのフレームは、第１のフレームに後続し連続する第２のフレームを含む。一構成では、送信モジュール２４１０は、第２のフレーム中の最初のダウンリンクサブフレーム中で第２の構成情報を送信するように構成され得る。第２の構成情報は、キャリア上の第２のフレームについての第２のサブフレーム割振りを示す。送信モジュール２４１０は、キャリアについての第１の構成情報を送信しようとする試みが成功しなかったとき、第２のサブフレーム割振りに従って、キャリア上の第２のフレーム中の第２のダウンリンクサブフレームをＵＥ２４５０に送信するように構成され得る。
【０１８８】
[00213]一構成では、少なくとも１つのフレームは第１のフレームを含む。第１の構成情報は、第１のフレームの最初のダウンリンクサブフレーム中で送信される。一構成では、少なくとも１つのフレームは、第１のフレームに続くＭ個のフレームを含む。Ｍは１よりも大きい整数である。一構成では、送信モジュール２４１０は、Ｍ個のフレームのうちの最初のフレーム中の最初のダウンリンクサブフレーム中で第２の構成情報を送信するように構成され得る。第２の構成情報は、キャリア上の１つのフレーム中での第２のサブフレーム割振りを示す。送信モジュール２４１０は、キャリアについての第１の構成情報を送信しようとする試みが成功しなかったとき、第２のサブフレーム割振りに従って、ＵＥ２４５０にＭ個のフレームの各々においてダウンリンクサブフレームを送信するように構成され得る。
【０１８９】
[00214]一構成では、送信モジュール２４１０は、少なくとも１つのフレームに関連付けられたアップリンク許可を送信するように構成され得る。アップリンク許可と第１のサブフレーム割振りとの間には衝突が存在する。受信モジュール２４０４および／または送信モジュール２４１０は、アップリンク許可に従って、少なくとも１つのフレーム中にＵＥ２４５０と通信するように構成され得る。
【０１９０】
[00215]一構成では、送信モジュール２４１０は、第１のフレームの複数のダウンリンクサブフレーム中で第１の構成情報を送信するように構成され得る。一構成では、少なくとも１つのフレームは、ダウンリンクサブフレームにおいて始まる、キャリア上の第２のフレームを含む。一構成では、少なくとも１つのフレームはＭ個のフレームを含む。Ｍは１よりも大きい整数である。Ｍ個のフレームのうちの最初のフレームは、データ送信の開始に続いて、ダウンリンクサブフレームにおいて始まる。第１の構成情報は、データ送信の開始に続いて、ダウンリンクサブフレーム中で送信される。送信モジュール２４１０は、Ｍ個のフレームのうちのｋ番目のフレームに続くキャリア上で、データ送信の開始を指示するｋ番目の後続インジケータをＵＥ２４５０に送信するように構成され得る。ｋは整数であり、ｋ＝１〜（Ｍ−１）である。Ｍ個のフレームのうちの（ｋ＋１）番目のフレームは、ｋ番目の後続インジケータに続いて、最初のダウンリンクサブフレーム中で始まる。受信モジュール２４０４および／または送信モジュール２４１０は、第１のサブフレーム割振りに従って、キャリア上でＭ個のフレーム中のデータをＵＥ２４５０と通信するように構成され得る。
【０１９１】
[00216]本装置は、図１９〜図２２の上述のフローチャート中のアルゴリズムのブロックの各々を実施する追加のモジュールを含み得る。したがって、図１９〜図２２の上述のフローチャート内の各ブロックは１つのモジュールによって実施される場合があり、本装置は、それらのモジュールのうちの１つまたは複数を含む場合がある。モジュールは、述べられたプロセス／アルゴリズムを行うように特に構成された１つもしくは複数のハードウェア構成要素であるか、述べられたプロセス／アルゴリズムを実施するように構成されたプロセッサによって実装されるか、プロセッサによる実装のためにコンピュータ可読媒体内に記憶されるか、またはそれらの何らかの組合せであり得る。
【０１９２】
[00217]図２５は、処理システム２５１４を採用する装置２３０２’のためのハードウェア実装形態の例を示す図２５００である。処理システム２５１４は、バス２５２４によって概略的に表されるバスアーキテクチャを用いて実装され得る。バス２５２４は、処理システム２５１４の特定の適用例および全体的な設計制約に応じて、任意の数の相互接続バスとブリッジとを含んでもよい。バス２５２４は、プロセッサ２５０４によって表される１つまたは複数のプロセッサおよび／またはハードウェアモジュールと、モジュール２３０４、２３０８、２３１０と、コンピュータ可読媒体／メモリ２５０６とを含む、様々な回路を互いにリンクする。バス２５２４はまた、タイミングソース、周辺機器、電圧調整器、および電力管理回路などの様々な他の回路をリンクし得、これらの回路は当技術分野においてよく知られており、したがって、これ以上は説明しない。
【０１９３】
[00218]処理システム２５１４はトランシーバ２５１０に結合され得る。トランシーバ２５１０は、１つまたは複数のアンテナ２５２０に結合される。トランシーバ２５１０は、送信媒体を介して様々な他の装置と通信するための手段を提供する。トランシーバ２５１０は、１つまたは複数のアンテナ２５２０から信号を受信し、受信された信号から情報を抽出し、抽出された情報を処理システム２５１４、具体的には受信モジュール２３０４に与える。さらに、トランシーバ２５１０は、処理システム２５１４、具体的には送信モジュール２３１０から情報を受信し、受信された情報に基づいて、１つまたは複数のアンテナ２５２０に適用されるべき信号を生成する。処理システム２５１４は、コンピュータ可読媒体／メモリ２５０６に結合されたプロセッサ２５０４を含む。プロセッサ２５０４は、コンピュータ可読媒体／メモリ２５０６に記憶されたソフトウェアの実行を含む全般的な処理を担当する。ソフトウェアは、プロセッサ２５０４によって実行されると、処理システム２５１４に、任意の特定の装置のための上記で説明した様々な機能を実施させる。コンピュータ可読媒体／メモリ２５０６はまた、ソフトウェアを実行するときにプロセッサ２５０４によって操作されるデータを記憶するために使用され得る。処理システムは、モジュール２３０４、２３０８、および２３１０のうちの少なくとも１つをさらに含む。それらのモジュールは、プロセッサ２５０４内で動作し、コンピュータ可読媒体／メモリ２５０６内に存在する／記憶されるソフトウェアモジュールであるか、プロセッサ２５０４に結合された１つもしくは複数のハードウェアモジュールであるか、またはそれらの何らかの組合せであり得る。処理システム２５１４は、ＵＥ６５０の構成要素であり得、メモリ６６０、ならびに／またはＴＸプロセッサ６６８、ＲＸプロセッサ６５６、およびコントローラ／プロセッサ６５９のうちの少なくとも１つを含み得る。
【０１９４】
[00219]一構成では、ワイヤレス通信のための装置２３０２／２３０２’は、基地局から、ＰＣＣ上の第１のフレーム中で、ＳＣＣについての第１の構成情報を受信するための手段を含む。ＰＣＣは、ライセンススペクトル中にある。ＳＣＣは、アンライセンススペクトル中にある。第１の構成情報は、ＳＣＣ上の少なくとも１つのフレームについての第１のサブフレーム割振りを示す。装置２３０２／２３０２’は、ＳＣＣ上での基地局からのデータ送信の開始を検出しようと試みるための手段を含む。装置２３０２／２３０２’は、データ送信の開始を検出しようとする試みが成功したとき、第１のサブフレーム割振りに従って、ＳＣＣ上の少なくとも１つのフレーム中に、基地局からダウンリンクサブフレームを受信するための手段をさらに含む。ダウンリンクサブフレームは、データ送信の最初のサブフレームであり、第１のサブフレーム割振りの開始に後続する。
【０１９５】
[00220]第１のサブフレーム割振りは、少なくとも１つのフレーム中での、１つまたは複数のアップリンクサブフレーム、１つまたは複数のダウンリンクサブフレーム、および１つまたは複数の特殊サブフレームの割振りを指示し得る。少なくとも１つのフレームはＳＣＣ上の第１のフレームを含み得る。第１の構成情報は、第１のフレームの最初のサブフレーム中に、ＰＣＣ上で受信される。
【０１９６】
[00221]装置２３０２／２３０２’は、アンライセンススペクトルを保持するために、ＳＣＣ上の第１のフレームの最終サブフレームにおいて、基地局にデータを送信するか、または基地局からデータを受信するための手段を含み得る。装置２３０２／２３０２’は、ＰＣＣ上の第２のフレームの最初のサブフレーム中に、ＳＣＣについての第２の構成情報を基地局から受信するための手段を含み得る。第２のフレームは、第１のフレームに後続し連続する。第２の構成情報は、ＳＣＣ上の第２のフレームについての第２のサブフレーム割振りを示す。装置２３０２／２３０２’は、基地局から第２のダウンリンクサブフレームを受信するための手段を含み得る。第２のダウンリンクサブフレームは、第２のサブフレーム割振りの開始に後続する。第１の構成情報は、ＳＣＣ上の第１のフレームの最初の２つのサブフレームがダウンリンクサブフレームであることを示し得る。
【０１９７】
[00222]装置２３０２／２３０２’は、ＳＣＣ上の少なくとも１つのフレームのダウンリンクサブフレームに続くサブフレーム中で受信されたデータをバッファリングするための手段を含み得る。装置２３０２／２３０２’は、ＳＣＣ上の最初のサブフレームに続くサブフレームの割振りがダウンリンクサブフレームであるか、それとも特殊サブフレームであるかを決定するために、第１の構成情報を処理するための手段を含み得る。装置２３０２／２３０２’は、ＳＣＣ上の最初のサブフレームに続くサブフレームの決定された割振りに従って、バッファリングされたデータを処理するための手段を含み得る。
【０１９８】
[00223]装置２３０２／２３０２’は、ＳＣＣ上の第１のフレーム中の少なくとも１つのサブフレームを占有する発見ウィンドウにおいて、ＳＣＣ上で１つまたは複数の発見信号を受信するための手段を含み得る。データ送信の開始を検出しようと試みるための手段は、発見ウィンドウでの発見信号の受信に続いて、ＳＣＣ上のサブフレーム中で、データ送信の開始を検出しようと試みるように構成され得る。
【０１９９】
[00224]１つまたは複数の発見信号を受信するための手段は、データ送信の開始を検出しようとする試みが成功しなかったとき、デフォルト構成に従って、発見ウィンドウでの発見信号の受信に続いて、ダウンリンクサブフレームを受信するように構成され得る。少なくとも１つのフレームは、第１のフレームに続くＭ個のフレームを含み得る。Ｍは１よりも大きい整数である。第１の構成情報は、１つのフレーム中での第１のサブフレーム割振りを指示し得る。１つのフレームの第１の割振りは、少なくとも１つのフレームの各フレームに適用され得る。第１のサブフレーム割振りは、１つのフレーム中の各アップリンクサブフレームに連続して、および先立って、１つまたは複数のダウンリンクサブフレームを割り振ることができる。
【０２００】
[00225]第１の構成情報は、１つのフレーム中の複数の連続するダウンリンクサブフレームを指示し得る。第１の構成情報を受信するための手段は、１つのフレームの複数の連続するダウンリンクサブフレームのうちの最初のダウンリンクサブフレームに対応する第１のフレームのｎ番目のサブフレーム中で、第１の構成情報を受信するように構成されてよく、ｎは整数である。少なくとも１つのフレームは、第１のフレームと第２のフレームとを連続して含み得る。ダウンリンクサブフレームを受信するための手段は、第１のフレームのｎ番目のサブフレームから第２のフレームの（ｎ−１）番目のサブフレームまでの期間内に、ダウンリンクサブフレームをＳＣＣ上で基地局から受信するように構成され得る。
【０２０１】
[00226]第１の構成情報は、１つのフレームの最後における複数の連続するアップリンクサブフレームを指示し得る。装置２３０２／２３０２’は、データ送信の開始を検出しようとする試みが成功しなかったとき、デフォルト構成に従って、複数の連続するアップリンクサブフレームのうちの最初のサブフレームに対応する第１のフレームのサブフレーム中に、基地局と通信するための手段を含み得る。
【０２０２】
[00227]装置２３０２／２３０２’は、少なくとも１つのフレームに関連付けられたアップリンク許可を受信するための手段を含み得る。装置２３０２／２３０２’は、アップリンク許可と第１のサブフレーム割振りとの間に衝突が存在すると決定するための手段を含み得る。装置２３０２／２３０２’は、アップリンク許可に従って、少なくとも１つのフレーム中に基地局と通信するための手段を含み得る。少なくとも１つのフレームは、受信されたダウンリンクサブフレームにおいて始まる、ＳＣＣ上の第２のフレームを含み得る。
【０２０３】
[00228]少なくとも１つのフレームはＭ個のフレームを含み得る。Ｍは１よりも大きい整数である。Ｍ個のフレームのうちの最初のフレームは、データ送信の開始に続いて、受信されたダウンリンクサブフレームにおいて始まり得る。装置２３０２／２３０２’は、Ｍ個のフレームのうちのｋ番目のフレームに続いて、ＳＣＣ上での基地局からのデータ送信のｋ番目の後続開始を検出するための手段を含むことができ、ｋは整数であり、ｋ＝１〜（Ｍ−１）である。Ｍ個のフレームのうちの（ｋ＋１）番目のフレームは、ｋ番目の後続開始に続いて、最初のダウンリンクサブフレームにおいて始まる。装置２３０２／２３０２’は、第１のサブフレーム割振りに従って、ＳＣＣ上でＭ個のフレーム内のデータを基地局と通信するための手段を含み得る。
【０２０４】
[00229]別の構成において、装置２３０２／２３０２’は、第１のフレーム中の、キャリア上での基地局からのデータ送信の開始を検出するための手段を含む。キャリアは、アンライセンススペクトル中にある。装置２３０２／２３０２’は、基地局から、キャリアについての第１の構成情報を受信しようと試みるための手段を含む。第１の構成情報は、キャリア上の少なくとも１つのフレームについての第１のサブフレーム割振りを示す。装置２３０２／２３０２’は、キャリアについての第１の構成情報を受信しようとする試みが成功したとき、第１のサブフレーム割振りに従って、キャリア上の少なくとも１つのフレーム中に、基地局からダウンリンクサブフレームを受信するための手段を含み得る。ダウンリンクサブフレームは、データ送信の最初のサブフレームであり、第１のサブフレーム割振りの開始に後続する。第１のサブフレーム割振りは、少なくとも１つのフレーム中での、１つまたは複数のアップリンクサブフレーム、１つまたは複数のダウンリンクサブフレーム、および１つまたは複数の特殊サブフレームの割振りを指示し得る。少なくとも１つのフレームは、第１のフレームに後続し連続する第２のフレームを含み得る。
【０２０５】
[00230]装置２３０２／２３０２’は、第２のフレーム中の最初のダウンリンクサブフレーム中で第２の構成情報を受信するための手段を含み得る。第２の構成情報は、キャリア上の第２のフレームについての第２のサブフレーム割振りを示す。装置２３０２／２３０２’は、キャリアについての第１の構成情報を受信しようとする試みが成功しなかったとき、第２のサブフレーム割振りに従って、キャリア上の第２のフレーム中の第２のダウンリンクサブフレームを基地局から受信するための手段を含み得る。
【０２０６】
[00231]少なくとも１つのフレームは第１のフレームを含み得る。第１の構成を受信するための手段は、第１のフレームの最初のダウンリンクサブフレーム中に第１の構成情報を受信するように構成され得る。少なくとも１つのフレームは、第１のフレームに続くＭ個のフレームを含み、Ｍは１よりも大きい整数である。
【０２０７】
[00232]装置２３０２／２３０２’は、Ｍ個のフレームのうちの最初のフレーム中の最初のダウンリンクサブフレーム中で第２の構成情報を受信するための手段を含み得る。第２の構成情報は、キャリア上の１つのフレーム中での第２のサブフレーム割振りを示す。装置２３０２／２３０２’は、キャリアについての第１の構成情報を受信しようとする試みが成功しなかったとき、第２のサブフレーム割振りに従って、Ｍ個のフレームの各々においてダウンリンクサブフレームを基地局から受信するための手段を含み得る。
【０２０８】
[00233]   装置２３０２／２３０２’は、少なくとも１つのフレームに関連付けられたアップリンク許可を受信するための手段を含み得る。装置２３０２／２３０２’は、アップリンク許可と第１のサブフレーム割振りとの間に衝突が存在すると決定するための手段を含み得る。装置２３０２／２３０２’は、アップリンク許可に従って、少なくとも１つのフレーム中に基地局と通信するための手段を含み得る。装置２３０２／２３０２’は、第１のフレームの複数のダウンリンクサブフレーム中で第１の構成情報を受信するための手段を含み得る。少なくとも１つのフレームは、ダウンリンクサブフレームにおいて始まる、キャリア上の第２のフレームを含み得る。
【０２０９】
[00234]少なくとも１つのフレームはＭ個のフレームを含む。Ｍは１よりも大きい整数である。Ｍ個のフレームのうちの最初のフレームは、データ送信の開始に続いて、ダウンリンクサブフレームにおいて始まり得る。第１の構成情報は、データ送信の開始に続いて、ダウンリンクサブフレーム中で受信され得る。装置２３０２／２３０２’は、Ｍ個のフレームのうちのｋ番目のフレームに続いて、キャリア上での基地局からのデータ送信のｋ番目の後続開始を検出するための手段を含み得る。ｋは整数であり、ｋ＝１〜（Ｍ−１）である。Ｍ個のフレームのうちの（ｋ＋１）番目のフレームは、ｋ番目の後続開始に続いて、最初のダウンリンクサブフレーム中で始まり得る。装置２３０２／２３０２’は、第１の割振りに従って、キャリア上でＭ個のフレーム中のデータを基地局と通信するための手段を含み得る。
【０２１０】
[00235]上述の手段は、上述の手段によって列挙される機能を実施するように構成された、装置２３０２、および／または装置２３０２’の処理システム２５１４の上述のモジュールのうちの１つまたは複数であり得る。上記で説明したように、処理システム２５１４は、ＴＸプロセッサ６６８と、ＲＸプロセッサ６５６と、コントローラ／プロセッサ６５９とを含み得る。したがって、一構成では、上述の手段は、上述の手段によって具陳される機能を実施するように構成されたＴＸプロセッサ６６８、ＲＸプロセッサ６５６、およびコントローラ／プロセッサ６５９であり得る。
【０２１１】
[00236]図２６は、処理システム２６１４を採用する装置２４０２’のためのハードウェア実装形態の例を示す図２６００である。処理システム２６１４は、バス２６２４によって概略的に表されるバスアーキテクチャを用いて実装され得る。バス２６２４は、処理システム２６１４の特定の適用例および全体的な設計制約に応じて、任意の数の相互接続バスとブリッジとを含んでもよい。バス２６２４は、プロセッサ２６０４によって表される１つまたは複数のプロセッサおよび／またはハードウェアモジュールと、モジュール２４０４、２４０８、２４１０と、コンピュータ可読媒体／メモリ２６０６とを含む、様々な回路を互いにリンクする。バス２６２４はまた、タイミングソース、周辺機器、電圧調整器、および電力管理回路など、様々な他の回路をリンクし得るが、これらの回路は当技術分野においてよく知られており、したがって、これ以上は説明しない。
【０２１２】
[00237]処理システム２６１４はトランシーバ２６１０に結合され得る。トランシーバ２６１０は、１つまたは複数のアンテナ２６２０に結合される。トランシーバ２６１０は、送信媒体を介して様々な他の装置と通信するための手段を提供する。トランシーバ２６１０は、１つまたは複数のアンテナ２６２０から信号を受信し、受信された信号から情報を抽出し、抽出された情報を処理システム２６１４、具体的には受信モジュール２４０４に与える。さらに、トランシーバ２６１０は、処理システム２６１４、具体的には送信モジュール２４１０から情報を受信し、受信された情報に基づいて、１つまたは複数のアンテナ２６２０に適用されるべき信号を生成する。処理システム２６１４は、コンピュータ可読媒体／メモリ２６０６に結合されたプロセッサ２６０４を含む。プロセッサ２６０４は、コンピュータ可読媒体／メモリ２６０６に記憶されたソフトウェアの実行を含む全般的な処理を担当する。ソフトウェアは、プロセッサ２６０４によって実行されると、処理システム２６１４に、任意の特定の装置のための上記で説明した様々な機能を実施させる。コンピュータ可読媒体／メモリ２６０６はまた、ソフトウェアを実行するときにプロセッサ２６０４によって操作されるデータを記憶するために使用され得る。処理システムは、モジュール２４０４、２４０８、および２４１０のうちの少なくとも１つをさらに含む。それらのモジュールは、プロセッサ２６０４内で動作し、コンピュータ可読媒体／メモリ２６０６内に存在する／記憶されるソフトウェアモジュールであるか、プロセッサ２６０４に結合された１つもしくは複数のハードウェアモジュールであるか、またはそれらの何らかの組合せであり得る。処理システム２６１４は、ｅＮＢ６１０の構成要素であってよく、メモリ６７６、ならびに／またはＴＸプロセッサ６１６、ＲＸプロセッサ６７０、およびコントローラ／プロセッサ６７５のうちの少なくとも１つを含んでもよい。
【０２１３】
[00238]一構成では、ワイヤレス通信のための装置２４０２／２４０２’は、ＵＥに、ＰＣＣ上の第１のフレーム中で、ＳＣＣについての第１の構成情報を送信するための手段のための手段を含む。ＰＣＣは、ライセンススペクトル中にある。ＳＣＣは、アンライセンススペクトル中にある。第１の構成情報は、ＳＣＣ上の少なくとも１つのフレームについての第１のサブフレーム割振りを示す。装置２４０２／２４０２’は、ＳＣＣ上での第１のサブフレーム割振りに従って、ＵＥにデータ送信の開始を示すインジケータを送信しようと試みるための手段を含む。装置２４０２／２４０２’は、インジケータを送信しようとする試みが成功したとき、第１のサブフレーム割振りに従って、ＳＣＣ上の少なくとも１つのフレーム中に、ＵＥにダウンリンクサブフレームを送信するための手段を含む。ダウンリンクサブフレームは、データ送信の最初のサブフレームであり、第１のサブフレーム割振りの開始に後続する。
【０２１４】
[00239]第１のサブフレーム割振りは、少なくとも１つのフレーム中での、１つまたは複数のアップリンクサブフレーム、１つまたは複数のダウンリンクサブフレーム、および１つまたは複数の特殊サブフレームの割振りを指示し得る。少なくとも１つのフレームはＳＣＣ上の第１のフレームを含み得る。第１の構成情報は、第１のフレームの最初のサブフレーム中に、ＰＣＣ上で送信され得る。
【０２１５】
[00240]装置２４０２／２４０２’は、アンライセンススペクトルを保持するために、ＳＣＣ上の第１のフレームの最終サブフレームにおいて、ＵＥからデータを受信するか、またはＵＥにデータを送信するための手段を含み得る。装置２４０２／２４０２’は、ＰＣＣ上の第２のフレームの最初のサブフレーム中に、ＳＣＣについての第２の構成情報をＵＥに送信するための手段を含み得る。第２のフレームは、第１のフレームに後続し連続し得る。第２の構成情報は、ＳＣＣ上の第２のフレームについての第２のサブフレーム割振りを示し得る。装置２４０２／２４０２’は、ＵＥに第２のダウンリンクサブフレームを送信するための手段を含むことができ、第２のダウンリンクサブフレームは第２のサブフレーム割振りの開始に後続する。第１の構成情報は、ＳＣＣ上の第１のフレームの最初の２つのサブフレームがダウンリンクサブフレームであることを示す。
【０２１６】
[00241]装置２４０２／２４０２’は、ＳＣＣ上の第１のフレーム中の少なくとも１つのサブフレームを占有する発見ウィンドウにおいて、ＳＣＣ上で１つまたは複数の発見信号を送信するための手段を含み得る。インジケータを送信しようと試みるための手段は、発見ウィンドウでの発見信号の送信に続く、ＳＣＣ上のサブフレーム中にインジケータを送信しようと試みるように構成され得る。ダウンリンクサブフレームを送信するための手段は、インジケータを送信しようとする試みが成功しなかったとき、デフォルト構成に従って、発見ウィンドウでの発見信号の送信に続いて、ダウンリンクサブフレームを送信するように構成され得る。
【０２１７】
[00242]少なくとも１つのフレームは、第１のフレームに続くＭ個のフレームを含む。Ｍは１よりも大きい整数である。第１の構成情報は、１つのフレーム中での、サブフレームの第１の割振りを指示し得る。１つのフレームの第１の割振りは、少なくとも１つのフレームの各フレームに適用され得る。第１のサブフレーム割振りは、１つのフレーム中の各アップリンクサブフレームに連続して、および先立って、１つまたは複数のダウンリンクサブフレームを割り振ることができる。
【０２１８】
[00243]第１の構成情報は、１つのフレーム中の複数の連続ダウンリンクサブフレームを指示し得る。第１の構成情報を送信するための手段は、１つのフレームの複数の連続するダウンリンクサブフレームのうちの最初のダウンリンクサブフレームに対応する第１のフレームのｎ番目のサブフレーム中で、第１の構成情報を送信するように構成され得る。ｎは整数である。少なくとも１つのフレームは、第１のフレームと第２のフレームとを連続して含む。ダウンリンクサブフレームを送信するための手段は、第１のフレームのｎ番目のサブフレームから第２のフレームの（ｎ−１）番目のサブフレームまでの期間内に、ダウンリンクサブフレームをＳＣＣ上でＵＥに送信するように構成される。
【０２１９】
[00244]第１の構成情報は、１つのフレームの最後における複数の連続アップリンクサブフレームを指示し得る。装置２４０２／２４０２’は、インジケータを送信しようとする試みが成功しなかったとき、デフォルト構成に従って、複数の連続アップリンクサブフレームのうちの最初のサブフレームに対応する第１のフレームのサブフレーム中に、ＵＥと通信するための手段を含み得る。
【０２２０】
[00245]装置２４０２／２４０２’は、少なくとも１つのフレームに関連付けられたアップリンク許可を送信するための手段を含み得る。アップリンク許可と第１のサブフレーム割振りとの間には衝突が存在し得る。装置２４０２／２４０２’は、アップリンク許可に従って、少なくとも１つのフレーム中にＵＥと通信するための手段を含み得る。少なくとも１つのフレームは、送信されたダウンリンクサブフレームにおいて始まる、ＳＣＣ上の第２のフレームを含み得る。
【０２２１】
[00246]少なくとも１つのフレームはＭ個のフレームを含む。Ｍは１よりも大きい整数である。Ｍ個のフレームのうちの最初のフレームは、データ送信の開始に続いて、送信されるダウンリンクサブフレームにおいて始まり得る。装置２４０２／２４０２’は、Ｍ個のフレームのうちのｋ番目のフレームに続いて、ＳＣＣ上でのデータ送信の開始を指示するｋ番目の後続インジケータをＵＥに送信するための手段を含み得る。ｋは整数であり、ｋ＝１〜（Ｍ−１）である。Ｍ個のフレームのうちの（ｋ＋１）番目のフレームは、ｋ番目の後続インジケータに続いて、最初のダウンリンクサブフレームにおいて始まり得る。装置２４０２／２４０２’は、第１のサブフレーム割振りに従って、ＳＣＣ上でＭ個のフレーム内のデータをＵＥと通信するための手段を含み得る。
【０２２２】
[00247]別の構成において、装置２４０２／２４０２’は、第１のフレームにおいて、キャリア上でＵＥにデータ送信の開始を示すインジケータを送信するための手段を含む。キャリアは、アンライセンススペクトル中にある。装置２４０２／２４０２’は、ＵＥに、キャリアについての第１の構成情報を送信しようと試みるための手段を含む。第１の構成情報は、キャリア上の少なくとも１つのフレームについての第１のサブフレーム割振りを示す。装置２４０２／２４０２’は、キャリア上で第１の構成情報を送信しようとする試みが成功したとき、第１のサブフレーム割振りに従って、キャリア上の少なくとも１つのフレーム中に、ＵＥにダウンリンクサブフレームを送信するための手段を含む。ダウンリンクサブフレームは、データ送信の最初のサブフレームであり、第１のサブフレーム割振りの開始に後続する。
【０２２３】
[00248]第１のサブフレーム割振りは、少なくとも１つのフレーム中での、１つまたは複数のアップリンクサブフレーム、１つまたは複数のダウンリンクサブフレーム、および１つまたは複数の特殊サブフレームの割振りを指示し得る。少なくとも１つのフレームは、第１のフレームに後続し連続する第２のフレームを含み得る。
【０２２４】
[00249]装置２４０２／２４０２’は、第２のフレーム中の最初のダウンリンクサブフレーム中で第２の構成情報を送信するための手段を含み得る。第２の構成情報は、キャリア上の第２のフレームについての第２のサブフレーム割振りを示し得る。装置２４０２／２４０２’は、キャリアについての第１の構成情報を送信しようとする試みが成功しなかったとき、第２のサブフレーム割振りに従って、キャリア上の第２のフレーム中の第２のダウンリンクサブフレームをＵＥに送信するための手段を含み得る。
【０２２５】
[00250]少なくとも１つのフレームは第１のフレームを含み得る。第１の構成情報を送信するための手段は、第１のフレームの最初のダウンリンクサブフレーム中に第１の構成情報を送信するように構成され得る。少なくとも１つのフレームは、第１のフレームに続くＭ個のフレームを含む。Ｍは１よりも大きい整数である。
【０２２６】
[00251]装置２４０２／２４０２’は、Ｍ個のフレームのうちの最初のフレーム中の最初のダウンリンクサブフレーム中で第２の構成情報を送信するための手段を含み得る。第２の構成情報は、キャリア上の１つのフレーム中での第２のサブフレーム割振りを示し得る。装置２４０２／２４０２’は、キャリアについての第１の構成情報を送信しようとする試みが成功しなかったとき、第２のサブフレーム割振りに従って、Ｍ個のフレームの各々においてダウンリンクサブフレームをＵＥに送信するための手段を含み得る。
【０２２７】
[00252]装置２４０２／２４０２’は、少なくとも１つのフレームに関連付けられたアップリンク許可を送信するための手段を含み得る。アップリンク許可と第１のサブフレーム割振りとの間には衝突が存在する。装置２４０２／２４０２’は、アップリンク許可に従って、少なくとも１つのフレーム中にＵＥと通信するための手段を含み得る。装置２４０２／２４０２’は、第１のフレームの複数のダウンリンクサブフレーム中で第１の構成情報を送信するための手段を含み得る。少なくとも１つのフレームは、ダウンリンクサブフレームにおいて始まる、キャリア上の第２のフレームを含み得る。
【０２２８】
[00253]少なくとも１つのフレームはＭ個のフレームを含み得る。Ｍは１よりも大きい整数である。Ｍ個のフレームのうちの最初のフレームは、データ送信の開始に続いて、ダウンリンクサブフレームにおいて始まり得る。第１の構成情報は、データ送信の開始に続いて、ダウンリンクサブフレーム中で送信され得る。装置２４０２／２４０２’は、Ｍ個のフレームのうちのｋ番目のフレームに続いて、キャリア上でのデータ送信の開始を指示するｋ番目の後続インジケータをＵＥに送信するための手段を含み得る。ｋは整数であり、ｋ＝１〜（Ｍ−１）である。Ｍ個のフレームのうちの（ｋ＋１）番目のフレームは、ｋ番目の後続インジケータに続いて、最初のダウンリンクサブフレーム中に始まる。装置２４０２／２４０２’は、第１のサブフレーム割振りに従って、キャリア上でＭ個のフレーム中のデータをＵＥと通信するための手段を含み得る。
【０２２９】
[00254]上述の手段は、上述の手段によって列挙される機能を実施するように構成された、装置２４０２、および／または装置２４０２’の処理システム２６１４の上述のモジュールのうちの１つまたは複数であり得る。上記で説明したように、処理システム２６１４は、ＴＸプロセッサ６１６と、ＲＸプロセッサ６７０と、コントローラ／プロセッサ６７５とを含み得る。したがって、一構成では、上述の手段は、上述の手段によって具陳される機能を実施するように構成されたＴＸプロセッサ６１６、ＲＸプロセッサ６７０、およびコントローラ／プロセッサ６７５であり得る。
【０２３０】
[00255]開示したプロセス／フローチャートにおけるブロックの特定の順序または階層は、例示的な手法の一例であることを理解されたい。設計選好に基づいて、プロセス／フローチャートにおけるブロックの特定の順序または階層は並べ替えられ得ることを理解されたい。さらに、いくつかのブロックは組み合わせられるかまたは省略され得る。添付の方法クレームは、様々なブロックの要素を例示的な順序で提示したものであり、提示された特定の順序または階層に限定されることを意図しない。
【０２３１】
[00256]以上の説明は、当業者が本明細書で説明する様々な態様を実践できるようにするために提供される。これらの態様への様々な変更は当業者には容易に明らかであり、本明細書で定義した一般的原理は他の態様に適用され得る。したがって、特許請求の範囲は、本明細書に示された態様に限定されるものではなく、クレーム文言に矛盾しない最大の範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書において例、事例、または例示の働きをすることを意味するために使用される。「例示的」として本明細書において説明されるいかなる態様も、必ずしも他の態様よりも好ましいか、または有利であると解釈されるべきではない。別段に明記されていない限り、「いくつかの（ｓｏｍｅ）」という用語は１つまたは複数を表す。「Ａ、Ｂ、またはＣのうちの少なくとも１つの」、「Ａ、Ｂ、およびＣのうちの少なくとも１つ」、「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。具体的には、「Ａ、Ｂ、またはＣのうちの少なくとも１つ」、「Ａ、Ｂ、およびＣのうちの少なくとも１つ」、「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、ＡおよびＢおよびＣであり得、任意のそのような組合せは、Ａ、Ｂ、またはＣのうちの１つまたは複数のメンバを含み得る。当業者に知られている、または後に知られることになる、本開示全体にわたって説明された様々な態様の要素のすべての構造的および機能的等価物は、参照により本明細書に明確に組み込まれ、特許請求の範囲に包含されるものである。さらに、本明細書に開示されるものは、そのような開示が特許請求の範囲において明示的に列挙されているかどうかにかかわらず、公に供されることは意図されていない。いかなるクレーム要素も、その要素が「ための手段」という句を使用して明確に列挙されていない限り、ミーンズプラスファンクションとして解釈されるべきではない。
【図１】
2020039136.tif 000003
【図２】
2020039136.tif 000004
【図３】
2020039136.tif 000005
【図４】
2020039136.tif 000006
【図５】
2020039136.tif 000007
【図６】
2020039136.tif 000008
【図７】
2020039136.tif 000009
【図８】
2020039136.tif 000010
【図９】
2020039136.tif 000011
【図１０】
2020039136.tif 000012
【図１１】
2020039136.tif 000013
【図１２】
2020039136.tif 000014
【図１３】
2020039136.tif 000015
【図１４】
2020039136.tif 000016
【図１５】
2020039136.tif 000017
【図１６】
2020039136.tif 000018
【図１７】
2020039136.tif 000019
【図１８】
2020039136.tif 000020
【図１９】
2020039136.tif 000021
【図２０】
2020039136.tif 000022
【図２１】
2020039136.tif 000023
【図２２】
2020039136.tif 000024
【図２３】
2020039136.tif 000025
【図２４】
2020039136.tif 000026
【図２５】
2020039136.tif 000027
【図２６】
2020039136.tif 000028
【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
ライセンススペクトル中のプライマリコンポーネントキャリア（ＰＣＣ）およびアンライセンススペクトル中のセカンダリコンポーネントキャリア（ＳＣＣ）を利用して基地局と通信しているユーザ機器（ＵＥ）におけるワイヤレス通信の方法であって、
基地局から、前記ＰＣＣ上の第１のフレーム中で第１の構成情報を受信しようと試みることと、ここで、前記第１の構成情報は、前記基地局の特定のアンライセンスキャリア上の少なくとも１つのフレームのサブフレームについての第１のダウンリンク／アップリンク構成を指示し、前記特定のアンライセンスキャリアは、前記ＳＣＣである、
前記特定のアンライセンスキャリア上での、前記基地局からの前記データ送信の開始を検出しようと試みることと、
前記第１の構成情報を受信しようとする前記試みが成功したときに、および前記データ送信の前記開始を検出しようとする前記試みが成功したときに、前記第１のダウンリンク／アップリンク構成に従って、前記特定のアンライセンスキャリア上の前記少なくとも１つのフレーム中に前記基地局からダウンリンクサブフレームを受信することと、ここで、前記ダウンリンクサブフレームは、前記基地局からのデータ送信の最初のサブフレームであり、前記指示された第１のダウンリンク／アップリンク構成の前記開始に後続する、
データ送信の前記開始を検出しようとする前記試みが成功しなかったときに、デフォルトのダウンリンク／アップリンク構成に従って、最初のサブフレームに対応する前記少なくとも１つのフレームのサブフレームにおいて、前記基地局と通信することと
を備える方法。
【請求項２】
前記第１のダウンリンク／アップリンク構成は、前記少なくとも１つのフレーム中での、１つまたは複数のアップリンクサブフレーム、１つまたは複数のダウンリンクサブフレーム、および１つまたは複数の特殊サブフレームの割振りを指示する、請求項１に記載の方法。
【請求項３】
前記少なくとも１つのフレームは、前記ＳＣＣ上の前記第１のフレームを含み、前記第１の構成情報は、前記第１のフレームの最初のサブフレーム中に前記ＰＣＣ上で受信される、請求項１に記載の方法。
【請求項４】
前記アンライセンススペクトルを保持するために、前記ＳＣＣ上の前記第１のフレームの最終サブフレームにおいて、前記基地局にデータを送信するか、または前記基地局からデータを受信することと、
前記ＰＣＣ上の第２のフレームの最初のサブフレームにおいて前記基地局から前記ＳＣＣについての第２の構成情報を受信することと、ここにおいて、前記第２のフレームは前記第１のフレームに後続かつ連続し、前記第２の構成情報は、前記ＳＣＣ上の前記第２のフレームについての第２のダウンリンク／アップリンク構成を指示する、
前記基地局から第２のダウンリンクサブフレームを受信することと、ここで、前記第２のダウンリンクサブフレームは前記第２のダウンリンク／アップリンク構成の前記開始に後続する、
をさらに備える、請求項３に記載の方法。
【請求項５】
前記第１の構成情報は、１つのフレーム中での前記第１のダウンリンク／アップリンク構成を指示し、前記１つのフレームの前記第１のダウンリンク／アップリンク構成は、前記少なくとも１つのフレームの各フレームに適用される、請求項１に記載の方法。
【請求項６】
前記第１の構成情報は、前記１つのフレームの最後における複数の連続するアップリンクサブフレームを指示し、前記最初のサブフレームは、前記複数の連続するアップリンクサブフレームのうちの最初のサブフレームである、請求項５に記載の方法。
【請求項７】
ライセンススペクトル中のプライマリコンポーネントキャリア（ＰＣＣ）およびアンライセンススペクトル中のセカンダリコンポーネントキャリア（ＳＣＣ）を利用して基地局と通信しているユーザ機器（ＵＥ）におけるワイヤレス通信の方法であって、
特定のアンライセンスキャリア上で前記基地局からの第１の構成情報を受信しようと試みることと、ここで、前記第１の構成情報は、前記基地局の前記特定のアンライセンスキャリア上の少なくとも１つのフレームのサブフレームについての第１のダウンリンク／アップリンク構成を指示し、前記特定のアンライセンスキャリアは、前記ＳＣＣである、
第１のフレーム中の前記特定のアンライセンスキャリア上での、前記基地局からの前記データ送信の開始を検出しようと試みることと、
前記第１の構成情報を受信しようとする前記試みが成功したときに、および前記データ送信の前記開始を検出しようとする前記試みが成功したときに、前記第１のダウンリンク／アップリンク構成に従って、前記特定のアンライセンスキャリア上の前記少なくとも１つのフレーム中に前記基地局からダウンリンクサブフレームを受信することと、ここで、前記ダウンリンクサブフレームは、前記基地局からのデータ送信の最初のサブフレームであり、前記指示された第１のダウンリンク／アップリンク構成の前記開始に後続する、
データ送信の前記開始を検出しようとする前記試みが成功しなかったときに、デフォルトのダウンリンク／アップリンク構成に従って、最初のサブフレームに対応する前記少なくとも１つのフレームのサブフレームにおいて、前記基地局と通信することと
を備える、方法。
【請求項８】
前記少なくとも１つのフレームは、前記第１のフレームに後続かつ連続する第２のフレームを含む、請求項７に記載の方法。
【請求項９】
前記第２のフレーム中の最初のダウンリンクサブフレームにおいて第２の構成情報を受信することと、ここにおいて、前記第２の構成情報は、前記特定のアンライセンスキャリア上の前記第２のフレームについての第２のダウンリンク／アップリンク構成を指示する、
前記特定のアンライセンスキャリア上で前記第１の構成情報を受信しようとする前記試みが成功しなかったときに、前記第２のダウンリンク／アップリンク構成に従って、前記基地局から、前記特定のキャリア上の前記第２のフレーム中で第２のダウンリンクサブフレームを受信することと、
をさらに備える、請求項８に記載の方法。
【請求項１０】
前記少なくとも１つのフレームは前記第１のフレームを含み、前記第１の構成情報は、前記第１のフレームの最初のダウンリンクサブフレームにおいて受信される、請求項７に記載の方法。
【請求項１１】
前記少なくとも１つのフレームは、前記第１のフレームに続くＭ個のフレームを含み、Ｍは１よりも大きい整数である、請求項７に記載の方法。
【請求項１２】
前記Ｍ個のフレームのうちの最初のフレーム中の最初のダウンリンクサブフレームにおいて第２の構成情報を受信することと、ここにおいて、前記第２の構成情報は、前記特定のアンライセンスキャリア上の１つのフレーム中での第２のダウンリンク／アップリンク構成を指示する、
前記特定のアンライセンスキャリア上で前記第１の構成情報を受信しようとする前記試みが成功しなかったときに、前記第２のダウンリンク／アップリンク構成に従って、前記Ｍ個のフレームの各々においてダウンリンクサブフレームを前記基地局から受信することと、
をさらに備える、請求項１１に記載の方法。
【請求項１３】
前記少なくとも１つのフレームに関連付けられたアップリンク許可を受信することと、
前記アップリンク許可と前記第１のダウンリンク／アップリンク構成との間に衝突が存在すると決定することと、
前記アップリンク許可に従って、前記少なくとも１つのフレーム中に前記基地局と通信することと
をさらに備える、請求項７に記載の方法。
【請求項１４】
ライセンススペクトル中のプライマリコンポーネントキャリア（ＰＣＣ）およびアンライセンススペクトル中のセカンダリコンポーネントキャリア（ＳＣＣ）を利用する基地局におけるワイヤレス通信の方法であって、
前記ＰＣＣ上の第１のフレーム中でユーザ機器（ＵＥ）に第１の構成情報を送信しようと試みることと、ここで、前記第１の構成情報は、特定のアンライセンスキャリア上の少なくとも１つのフレームのサブフレームについての第１のダウンリンク／アップリンク構成を指示し、前記特定のアンライセンスキャリアは、前記ＳＣＣである、
前記特定のアンライセンスキャリア上での前記第１のダウンリンク／アップリンク構成に従って、前記ＵＥにデータ送信の開始を示すインジケータを送信しようと試みることと、
前記第１の構成情報を送信しようとする前記試みが成功したときに、および前記インジケータを送信しようとする前記試みが成功したときに、前記第１のダウンリンク／アップリンク構成に従って、前記特定のアンライセンスキャリア上の前記少なくとも１つのフレーム中に前記ＵＥにダウンリンクサブフレームを送信することと、ここで、前記ダウンリンクサブフレームは、データ送信の最初のサブフレームであり、前記指示された第１のダウンリンク／アップリンク構成の前記開始に後続する、
前記ＵＥに前記インジケータを送信しようとする試みが成功しなかったときに、デフォルトのダウンリンク／アップリンク構成に従って、最初のサブフレームに対応する前記少なくとも１つのフレームのサブフレームにおいて、前記ＵＥと通信することと
を備える、方法。
【請求項１５】
前記第１のダウンリンク／アップリンク構成は、前記少なくとも１つのフレーム中での、１つまたは複数のアップリンクサブフレーム、１つまたは複数のダウンリンクサブフレーム、および１つまたは複数の特殊サブフレームの割振りを指示する、請求項１４に記載の方法。
【請求項１６】
前記少なくとも１つのフレームは、前記ＳＣＣ上の前記第１のフレームを含み、前記第１の構成情報は、前記第１のフレームの最初のサブフレーム中に前記ＰＣＣ上で送信される、請求項１４に記載の方法。
【請求項１７】
前記アンライセンススペクトルを保持するために、前記ＳＣＣ上の前記第１のフレームの最終サブフレームにおいて、前記ＵＥからデータを受信するか、または前記ＵＥにデータを送信することと、
前記ＰＣＣ上の第２のフレームの最初のサブフレームにおいて前記ＵＥに前記ＳＣＣについての第２の構成情報を送信することと、ここにおいて、前記第２のフレームは前記第１のフレームに後続かつ連続し、前記第２の構成情報は、前記ＳＣＣ上の前記第２のフレームについての第２のダウンリンク／アップリンク構成を指示する、
前記ＵＥに第２のダウンリンクサブフレームを送信することと、ここで、前記第２のダウンリンクサブフレームは前記第２のダウンリンク／アップリンク構成の前記開始に後続する、
をさらに備える、請求項１６に記載の方法。
【請求項１８】
前記第１の構成情報は、１つのフレーム中での前記第１のダウンリンク／アップリンク構成を指示し、前記１つのフレームの前記第１のダウンリンク／アップリンク構成は、前記少なくとも１つのフレームの各フレームに適用される、請求項１４に記載の方法。
【請求項１９】
前記第１の構成情報は、前記１つのフレームの最後における複数の連続するアップリンクサブフレームを指示し、前記最初のサブフレームは、前記複数の連続するアップリンクサブフレームのうちの最初のサブフレームである、請求項１８に記載の方法。
【請求項２０】
第１のフレーム中の前記特定のアンライセンスキャリア上で、ユーザ機器（ＵＥ）にデータ送信の開始を指示するインジケータを送信すること
をさらに備える、請求項１４に記載の方法。
【請求項２１】
前記少なくとも１つのフレームは、前記第１のフレームに後続かつ連続する第２のフレームを含む、請求項２０に記載の方法。
【請求項２２】
前記第２のフレーム中の最初のダウンリンクサブフレームにおいて第２の構成情報を送信することと、ここにおいて、前記第２の構成情報は、前記特定のアンライセンスキャリア上の前記第２のフレームについての第２のダウンリンク／アップリンク構成を指示する、
前記第１の構成情報を送信しようとする前記試みが成功しなかったときに、前記第２のダウンリンク／アップリンク構成に従って、前記ＵＥに、前記特定のアンライセンスキャリア上の前記第２のフレーム中の第２のダウンリンクサブフレームを送信することと、
をさらに備える、請求項２１に記載の方法。
【請求項２３】
前記少なくとも１つのフレームは前記第１のフレームを含み、前記第１の構成情報は、前記第１のフレームの最初のダウンリンクサブフレーム中に送信される、請求項２０に記載の方法。
【請求項２４】
前記少なくとも１つのフレームは、前記第１のフレームに続くＭ個のフレームを含み、Ｍは１よりも大きい整数である、請求項２０に記載の方法。
【請求項２５】
前記Ｍ個のフレームのうちの最初のフレーム中の最初のダウンリンクサブフレームにおいて第２の構成情報を送信することと、ここにおいて、前記第２の構成情報は、前記特定のアンライセンスキャリア上の１つのフレーム中での第２のダウンリンク／アップリンク構成を指示する、
前記特定のアンライセンスキャリア上で前記第１の構成情報を送信しようとする前記試みが成功しなかったときに、前記第２のダウンリンク／アップリンク構成に従って、前記Ｍ個のフレームの各々においてダウンリンクサブフレームを前記ＵＥに送信することと、
をさらに備える、請求項２４に記載の方法。
【請求項２６】
前記少なくとも１つのフレームに関連付けられたアップリンク許可を送信することと、ここにおいて、前記アップリンク許可と前記第１のダウンリンク／アップリンク構成との間に衝突が存在する、
前記アップリンク許可に従って、前記少なくとも１つのフレーム中で前記ＵＥと通信することと
をさらに備える、請求項２０に記載の方法。
【請求項２７】
ワイヤレス通信のための装置であって、前記装置が、ライセンススペクトル中のプライマリコンポーネントキャリア（ＰＣＣ）およびアンライセンススペクトル中のセカンダリコンポーネントキャリア（ＳＣＣ）を利用して基地局と通信しているユーザ機器（ＵＥ）であり、
メモリと、
前記メモリに結合された少なくとも１つのプロセッサとを備え、前記少なくとも１つのプロセッサが、
基地局から、前記ＰＣＣ上の第１のフレーム中で第１の構成情報を受信しようと試みることと、ここで、前記第１の構成情報は、前記基地局の特定のアンライセンスキャリア上の少なくとも１つのフレームのサブフレームについての第１のダウンリンク／アップリンク構成を指示し、前記特定のアンライセンスキャリアは、前記ＳＣＣである、
前記ＳＣＣ上での、前記基地局からの前記データ送信の開始を検出しようと試みることと、
前記第１の構成情報を受信しようとする前記試みが成功したときに、および前記データ送信の前記開始を検出しようとする前記試みが成功したときに、前記第１のダウンリンク／アップリンク構成に従って、前記特定のアンライセンスキャリア上の前記少なくとも１つのフレーム中に前記基地局からダウンリンクサブフレームを受信することと、ここで、前記ダウンリンクサブフレームは、前記基地局からのデータ送信の最初のサブフレームであり、前記指示された第１のダウンリンク／アップリンク構成の前記開始に後続する、
データ送信の前記開始を検出しようとする前記試みが成功しなかったときに、デフォルトのダウンリンク／アップリンク構成に従って、最初のサブフレームに対応する前記少なくとも１つのフレームのサブフレームにおいて、前記基地局と通信することと
を行うように構成される、装置。
【請求項２８】
ワイヤレス通信のための装置であって、前記装置が、ライセンススペクトル中のプライマリコンポーネントキャリア（ＰＣＣ）およびアンライセンススペクトル中のセカンダリコンポーネントキャリア（ＳＣＣ）を利用する基地局であり、
メモリと、
前記メモリに結合された少なくとも１つのプロセッサとを備え、前記少なくとも１つのプロセッサは、
前記ＰＣＣ上の第１のフレーム中でユーザ機器（ＵＥ）に第１の構成情報を送信しようと試みることと、ここで、前記第１の構成情報は、特定のアンライセンスキャリア上の少なくとも１つのフレームのサブフレームについての第１のダウンリンク／アップリンク構成を指示し、前記特定のアンライセンスキャリアは、前記ＳＣＣである、
前記特定のアンライセンスキャリア上での前記第１のダウンリンク／アップリンク構成に従って、前記ＵＥにデータ送信の開始を示すインジケータを送信しようと試みることと、
前記第１の構成情報を送信しようとする前記試みが成功したときに、および前記インジケータを送信しようとする前記試みが成功したときに、前記第１のダウンリンク／アップリンク構成に従って、前記特定のアンライセンスキャリア上の前記少なくとも１つのフレーム中に前記ＵＥにダウンリンクサブフレームを送信することと、ここで、前記ダウンリンクサブフレームは、データ送信の最初のサブフレームであり、前記指示された第１のダウンリンク／アップリンク構成の前記開始に後続する、
前記ＵＥに前記インジケータを送信しようとする試みが成功しなかったときに、デフォルトのダウンリンク／アップリンク構成に従って、最初のサブフレームに対応する前記少なくとも１つのフレームのサブフレームにおいて、前記ＵＥと通信することと
を行うように構成される、装置。
【手続補正２】
【補正対象書類名】明細書
【補正対象項目名】０２３１
【補正方法】変更
【補正の内容】
【０２３１】
[00256]以上の説明は、当業者が本明細書で説明する様々な態様を実践できるようにするために提供される。これらの態様への様々な変更は当業者には容易に明らかであり、本明細書で定義した一般的原理は他の態様に適用され得る。したがって、特許請求の範囲は、本明細書に示された態様に限定されるものではなく、クレーム文言に矛盾しない最大の範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書において例、事例、または例示の働きをすることを意味するために使用される。「例示的」として本明細書において説明されるいかなる態様も、必ずしも他の態様よりも好ましいか、または有利であると解釈されるべきではない。別段に明記されていない限り、「いくつかの（ｓｏｍｅ）」という用語は１つまたは複数を表す。「Ａ、Ｂ、またはＣのうちの少なくとも１つの」、「Ａ、Ｂ、およびＣのうちの少なくとも１つ」、「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。具体的には、「Ａ、Ｂ、またはＣのうちの少なくとも１つ」、「Ａ、Ｂ、およびＣのうちの少なくとも１つ」、「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、ＡおよびＢおよびＣであり得、任意のそのような組合せは、Ａ、Ｂ、またはＣのうちの１つまたは複数のメンバを含み得る。当業者に知られている、または後に知られることになる、本開示全体にわたって説明された様々な態様の要素のすべての構造的および機能的等価物は、参照により本明細書に明確に組み込まれ、特許請求の範囲に包含されるものである。さらに、本明細書に開示されるものは、そのような開示が特許請求の範囲において明示的に列挙されているかどうかにかかわらず、公に供されることは意図されていない。いかなるクレーム要素も、その要素が「ための手段」という句を使用して明確に列挙されていない限り、ミーンズプラスファンクションとして解釈されるべきではない。
以下に本願の出願当初の特許請求の範囲に記載された発明を付記する。
［Ｃ１］
ユーザ機器（ＵＥ）におけるワイヤレス通信の方法であって、
基地局から第１の構成情報を受信しようと試みることと、ここで、前記第１の構成情報は、前記基地局の特定のキャリア上の少なくとも１つのフレームについての第１のサブフレーム割振りを指示する、
前記第１の構成情報を受信しようとする前記試みが成功したときに、前記第１のサブフレーム割振りに従って、前記特定のキャリア上の前記少なくとも１つのフレーム中に前記基地局からダウンリンクサブフレームを受信することと、ここで、前記ダウンリンクサブフレームは、データ送信の最初のサブフレームであり、前記第１のサブフレーム割振りの開始に後続する、
を備える方法。
［Ｃ２］
前記第１の構成情報は、前記基地局のプライマリコンポーネントキャリア（ＰＣＣ）上の第１のフレーム中で受信され、前記特定のキャリアは前記基地局のセカンダリコンポーネントキャリア（ＳＣＣ）であり、前記ＰＣＣはライセンススペクトル中にあり、前記ＳＣＣはアンライセンススペクトル中にあり、前記方法は、
前記ＳＣＣ上での前記基地局からの前記データ送信の開始を検出しようと試みること、ここにおいて、前記基地局から前記ダウンリンクサブフレームを前記受信することは、データ送信の前記開始を検出しようとする前記試みが成功したときに実施される、
をさらに備える、Ｃ１に記載の方法。
［Ｃ３］
前記第１のサブフレーム割振りは、前記少なくとも１つのフレーム中での、１つまたは複数のアップリンクサブフレーム、１つまたは複数のダウンリンクサブフレーム、および１つまたは複数の特殊サブフレームの割振りを指示する、Ｃ２に記載の方法。
［Ｃ４］
前記少なくとも１つのフレームは、前記ＳＣＣ上の前記第１のフレームを含み、前記第１の構成情報は、前記第１のフレームの最初のサブフレーム中に前記ＰＣＣ上で受信される、Ｃ２に記載の方法。
［Ｃ５］
前記アンライセンススペクトルを保持するために、前記ＳＣＣ上の前記第１のフレームの最終サブフレームにおいて、前記基地局にデータを送信するか、または前記基地局からデータを受信することと、
前記ＰＣＣ上の第２のフレームの最初のサブフレームにおいて前記基地局から前記ＳＣＣについての第２の構成情報を受信することと、ここにおいて、前記第２のフレームは前記第１のフレームに後続かつ連続し、前記第２の構成情報は、前記ＳＣＣ上の前記第２のフレームについての第２のサブフレーム割振りを指示する、
前記基地局から第２のダウンリンクサブフレームを受信することと、ここで、前記第２のダウンリンクサブフレームは前記第２のサブフレーム割振りの開始に後続する、
をさらに備える、Ｃ４に記載の方法。
［Ｃ６］
前記第１の構成情報は、１つのフレーム中での前記第１のサブフレーム割振りを指示し、前記１つのフレームの前記第１のサブフレーム割振りは、前記少なくとも１つのフレームの各フレームに適用される、Ｃ２に記載の方法。
［Ｃ７］
前記第１の構成情報は、前記１つのフレームの最後における複数の連続するアップリンクサブフレームを指示し、前記方法は、データ送信の前記開始を検出しようとする前記試みが成功しなかったときに、デフォルト構成に従って、前記複数の連続するアップリンクサブフレームのうちの最初のサブフレームに対応する前記第１のフレームのサブフレームにおいて、前記基地局と通信することをさらに備える、Ｃ６に記載の方法。
［Ｃ８］
前記特定のキャリアはアンライセンススペクトル中にあり、前記第１の構成情報を受信しようと前記試みることは、前記特定のキャリア上で実施され、前記方法は、
第１のフレーム中の前記特定のキャリア上での、前記基地局からの前記データ送信の開始を検出することをさらに備える、
Ｃ１に記載の方法。
［Ｃ９］
前記少なくとも１つのフレームは、前記第１のフレームに後続かつ連続する第２のフレームを含む、Ｃ８に記載の方法。
［Ｃ１０］
前記第２のフレーム中の最初のダウンリンクサブフレームにおいて第２の構成情報を受信することと、ここにおいて、前記第２の構成情報は、前記特定のキャリア上の前記第２のフレームについての第２のサブフレーム割振りを指示する、
前記特定のキャリア上で前記第１の構成情報を受信しようとする前記試みが成功しなかったときに、前記第２のサブフレーム割振りに従って、前記基地局から、前記特定のキャリア上の前記第２のフレーム中で第２のダウンリンクサブフレームを受信することと、  をさらに備える、Ｃ９に記載の方法。
［Ｃ１１］
前記少なくとも１つのフレームは前記第１のフレームを含み、前記第１の構成情報は、前記第１のフレームの最初のダウンリンクサブフレームにおいて受信される、Ｃ８に記載の方法。
［Ｃ１２］
前記少なくとも１つのフレームは、前記第１のフレームに続くＭ個のフレームを含み、Ｍは１よりも大きい整数である、Ｃ８に記載の方法。
［Ｃ１３］
前記Ｍ個のフレームのうちの最初のフレーム中の最初のダウンリンクサブフレームにおいて第２の構成情報を受信することと、ここにおいて、前記第２の構成情報は、前記特定のキャリア上の１つのフレーム中での第２のサブフレーム割振りを指示する、
前記特定のキャリア上で前記第１の構成情報を受信しようとする前記試みが成功しなかったときに、前記第２のサブフレーム割振りに従って、前記Ｍ個のフレームの各々においてダウンリンクサブフレームを前記基地局から受信することと、
をさらに備える、Ｃ１２に記載の方法。
［Ｃ１４］
前記少なくとも１つのフレームに関連付けられたアップリンク許可を受信することと、前記アップリンク許可と前記第１のサブフレーム割振りとの間に衝突が存在すると決定することと、前記アップリンク許可に従って、前記少なくとも１つのフレーム中に前記基地局と通信することとをさらに備える、Ｃ８に記載の方法。
［Ｃ１５］
基地局におけるワイヤレス通信の方法であって、
ユーザ機器（ＵＥ）に第１の構成情報を送信しようと試みることと、ここで、前記第１の構成情報は、特定のキャリア上の少なくとも１つのフレームについての第１のサブフレーム割振りを指示する、
前記第１の構成情報を送信しようとする前記試みが成功したときに、前記第１のサブフレーム割振りに従って、前記特定のキャリア上の前記少なくとも１つのフレーム中に前記ＵＥにダウンリンクサブフレームを送信することと、ここで、前記ダウンリンクサブフレームは、データ送信の最初のサブフレームであり、前記第１のサブフレーム割振りの開始に後続する、
を備える、方法。
［Ｃ１６］
前記特定のキャリアは前記基地局のセカンダリコンポーネントキャリア（ＳＣＣ）であり、前記第１の構成情報は、前記基地局のプライマリコンポーネントキャリア（ＰＣＣ）上の第１のフレーム中で前記ＵＥに送信され、前記ＰＣＣはライセンススペクトル中にあり、前記ＳＣＣはアンライセンススペクトル中にあり、前記方法は、
前記ＳＣＣ上での前記第１のサブフレーム割振りに従って、前記ＵＥにデータ送信の開始を示すインジケータを送信しようと試みること、ここにおいて、前記ダウンリンクサブフレームを前記ＵＥに前記送信することは、前記インジケータを送信しようとする前記試みが成功したときに実施される、
をさらに備える、Ｃ１５に記載の方法。
［Ｃ１７］
前記第１のサブフレーム割振りは、前記少なくとも１つのフレーム中での、１つまたは複数のアップリンクサブフレーム、１つまたは複数のダウンリンクサブフレーム、および１つまたは複数の特殊サブフレームの割振りを指示する、Ｃ１６に記載の方法。
［Ｃ１８］
前記少なくとも１つのフレームは前記ＳＣＣ上の前記第１のフレームを含み、前記第１の構成情報は、前記第１のフレームの最初のサブフレーム中に前記ＰＣＣ上で送信される、Ｃ１６に記載の方法。
［Ｃ１９］
前記アンライセンススペクトルを保持するために、前記ＳＣＣ上の前記第１のフレームの最終サブフレームにおいて、前記ＵＥからデータを受信するか、または前記ＵＥにデータを送信することと、
前記ＰＣＣ上の第２のフレームの最初のサブフレームにおいて前記ＵＥに前記ＳＣＣについての第２の構成情報を送信することと、ここにおいて、前記第２のフレームは前記第１のフレームに後続かつ連続し、前記第２の構成情報は、前記ＳＣＣ上の前記第２のフレームについての第２のサブフレーム割振りを指示する、
前記ＵＥに第２のダウンリンクサブフレームを送信することと、ここで、前記第２のダウンリンクサブフレームは前記第２のサブフレーム割振りの開始に後続する、
をさらに備える、Ｃ１８に記載の方法。
［Ｃ２０］
前記第１の構成情報は、１つのフレーム中でのサブフレームの前記第１の割振りを指示し、前記１つのフレームの前記第１の割振りは、前記少なくとも１つのフレームの各フレームに適用される、Ｃ１６に記載の方法。
［Ｃ２１］
前記第１の構成情報は、前記１つのフレームの最後における複数の連続するアップリンクサブフレームを指示し、前記方法は、前記インジケータを送信しようとする前記試みが成功しなかったときに、デフォルト構成に従って、前記複数の連続するアップリンクサブフレームのうちの最初のサブフレームに対応する前記第１のフレームのサブフレームにおいて前記ＵＥと通信することをさらに備える、Ｃ２０に記載の方法。
［Ｃ２２］
第１のフレーム中の前記特定のキャリア上で、ユーザ機器（ＵＥ）にデータ送信の開始を指示するインジケータを送信すること、ここにおいて、前記特定のキャリアはアンライセンススペクトル中にある、
をさらに備える、Ｃ１５に記載の方法。
［Ｃ２３］
前記少なくとも１つのフレームは、前記第１のフレームに後続かつ連続する第２のフレームを含む、Ｃ２２に記載の方法。
［Ｃ２４］
前記第２のフレーム中の最初のダウンリンクサブフレーム中で第２の構成情報を送信することと、ここにおいて、前記第２の構成情報は、前記特定のキャリア上の前記第２のフレームについての第２のサブフレーム割振りを指示する、
前記特定のキャリア上で前記第１の構成情報を送信しようとする前記試みが成功しなかったときに、前記第２のサブフレーム割振りに従って、前記ＵＥに、前記特定のキャリア上の前記第２のフレーム中の第２のダウンリンクサブフレームを送信することと、
をさらに備える、Ｃ２３に記載の方法。
［Ｃ２５］
前記少なくとも１つのフレームは前記第１のフレームを含み、前記第１の構成情報は、前記第１のフレームの最初のダウンリンクサブフレーム中に送信される、Ｃ２２に記載の方法。
［Ｃ２６］
前記少なくとも１つのフレームは、前記第１のフレームに続くＭ個のフレームを含み、Ｍは１よりも大きい整数である、Ｃ２２に記載の方法。
［Ｃ２７］
前記Ｍ個のフレームのうちの最初のフレーム中の最初のダウンリンクサブフレームにおいて第２の構成情報を送信することと、ここにおいて、前記第２の構成情報は、前記特定のキャリア上の１つのフレーム中での第２のサブフレーム割振りを指示する、
前記特定のキャリア上で前記第１の構成情報を送信しようとする前記試みが成功しなかったときに、前記第２のサブフレーム割振りに従って、前記Ｍ個のフレームの各々においてダウンリンクサブフレームを前記ＵＥに送信することと、
をさらに備える、Ｃ２６に記載の方法。
［Ｃ２８］
前記少なくとも１つのフレームに関連付けられたアップリンク許可を送信することと、ここにおいて、前記アップリンク許可と前記第１のサブフレーム割振りとの間で衝突は存在する、前記アップリンク許可に従って、前記少なくとも１つのフレームにおいて前記ＵＥと通信することとをさらに備える、Ｃ２２に記載の方法。
［Ｃ２９］
ワイヤレス通信のための装置であって、前記装置がユーザ機器（ＵＥ）であり、
メモリと、
前記メモリに結合された少なくとも１つのプロセッサとを備え、前記少なくとも１つのプロセッサが、
基地局から第１の構成情報を受信しようと試みることと、ここで、前記第１の構成情報は、前記基地局の特定のキャリア上の少なくとも１つのフレームについての第１のサブフレーム割振りを指示する、
前記第１の構成情報を受信しようとする前記試みが成功したときに、前記第１のサブフレーム割振りに従って、前記特定のキャリア上の前記少なくとも１つのフレーム中に前記基地局からダウンリンクサブフレームを受信することと、ここで、前記ダウンリンクサブフレームは、データ送信の最初のサブフレームであり、前記第１のサブフレーム割振りの開始に後続する、
を行うように構成される、装置。
［Ｃ３０］
ワイヤレス通信のための装置であって、前記装置が基地局であり、
メモリと、
前記メモリに結合された少なくとも１つのプロセッサとを備え、前記少なくとも１つのプロセッサは、
ユーザ機器（ＵＥ）に第１の構成情報を送信しようと試みることと、ここで、前記第１の構成情報は、特定のキャリア上の少なくとも１つのフレームについての第１のサブフレーム割振りを指示する、
前記第１の構成情報を送信しようとする前記試みが成功したときに、前記第１のサブフレーム割振りに従って、前記特定のキャリア上の前記少なくとも１つのフレーム中に前記ＵＥにダウンリンクサブフレームを送信することと、ここで、前記ダウンリンクサブフレームは、データ送信の最初のサブフレームであり、前記第１のサブフレーム割振りの開始に後続する、
を行うように構成される、装置。
【外国語明細書】
2020039136000001.pdf